(57)【要約】【課題】配線の困難さを低減させ、獲得遊技媒体カウント専用の制御部を排除することで製作コストをの低減を図ることができ、遊技者に遊技ホールの出玉状況が一目で把握できる表示機能を備えた獲得遊技媒体表示システムおよび獲得遊技媒体表示方法を提供することを目的とする。【解決手段】  パチンコ機９０１における遊技に供するパチンコ玉の貸し出し、または遊技媒体を貸し出すための指示が可能な台間機３と、パチンコ機９０１において獲得したパチンコ玉を計数する計数機９３０と、計数機９３０で計数された情報を、台間機３を経由して入力し、その情報に基づいて、獲得したパチンコ玉数に対応した表示を行う幕板表示機９５０とを備え、配線の困難さを低減し、遊技者が遊技ホールの出玉状況を一目で把握することができる。【選択図】図７０
2006175061.tif 000002
【特許請求の範囲】
【請求項１】
遊技機と、
前記遊技機毎に配置され、前記遊技機において獲得した遊技媒体を計数可能な計数機と、
前記遊技機における遊技に供する遊技媒体の貸し出し、または遊技媒体を貸し出すための指示が可能であり、少なくとも前記計数機によって計数された獲得した遊技媒体数を表示する表示部を備えた台間機と
を具備することを特徴とする獲得遊技媒体表示システム。
【請求項２】
遊技機と、
前記遊技機における遊技に供する遊技媒体の貸し出し、または遊技媒体を貸し出すための指示が可能な台間機と、
前記遊技機毎に配置され、前記遊技機において獲得した遊技媒体を計数可能な計数機と、
前記遊技機の上方に設置され、前記計数機で計数された情報に基づいて、獲得した遊技媒体数に対応した表示を行う表示機と
を具備したことを特徴とする獲得遊技媒体表示システム。
【請求項３】
遊技機と、
前記遊技機における遊技に供する遊技媒体の貸し出し、または遊技媒体を貸し出すための指示が可能な台間機と、
前記遊技機において獲得した遊技媒体を計数する計数機と、
前記遊技機の上方に設置され、前記計数機で計数された情報を、前記台間機を経由して入力し、その情報に基づいて、獲得した遊技媒体数に対応した表示を行う表示機と
を具備したことを特徴とする獲得遊技媒体表示システム。
【請求項４】
前記獲得遊技媒体表示システムが、
前記台間機、前記計数機、前記表示機のいずれかに設置され、前記台間機、前記計数機および前記表示機を制御する制御装置を具備することを特徴とする請求項２または３記載の獲得遊技媒体表示システム。
【請求項５】
前記計数機が、前記遊技機毎に対応して設置されることを特徴とする請求項３または４記載の獲得遊技媒体表示システム。
【請求項６】
遊技機と、
前記遊技機における遊技に供する遊技媒体の貸し出し、または遊技媒体を貸し出すための指示が可能な台間機と、
前記遊技機の上方に設置され、遊技に供した遊技媒体の回収信号および入賞に基づいて払い出された遊技媒体の出玉信号に基づいて算出された獲得した遊技媒体数に対応する信号を、前記台間機を経由して入力し、その情報に基づいて獲得した遊技媒体数に対応した表示を行う表示機と
を具備したことを特徴とする獲得遊技媒体表示システム。
【請求項７】
前記獲得遊技媒体表示システムが、
前記台間機、前記表示機のいずれかに設置され、前記台間機および前記表示機を制御する制御装置を具備することを特徴とする請求項６記載の獲得遊技媒体表示システム。
【請求項８】
前記制御装置が、前記遊技に供した遊技媒体の回収信号および前記入賞に基づいて払い出された遊技媒体の出玉信号に基づいて、獲得した遊技媒体数を算出することを特徴とする請求項７記載の獲得遊技媒体表示システム。
【請求項９】
前記制御装置が、前記台間機に設置されることを特徴とする請求項１乃至８のいずれか１項記載の獲得遊技媒体表示システム。
【請求項１０】
前記表示機が入力する獲得した遊技媒体数に基づく情報は、獲得した所定の遊技媒体数毎に異なり、前記表示機は、この異なる情報に対応して、所定の遊技媒体数毎に異なる表示態様をとることを特徴とする請求項２乃至９のいずれか１項記載の獲得遊技媒体表示システム。
【請求項１１】
前記表示機は、表示体と、表示体設置部とから構成され、
前記表示体が、
一端側に光入孔を有する棒状筒体と、
前記棒状筒体内に前記棒状筒体に沿って設置され、前記光入孔から入射した光を外部に導く１または複数の光漏れ孔を有する光伝送手段と
を具備し、
前記表示体設置部が、
前記遊技機の上部の板体に、前記表示体の棒状筒体に対応して形成された凹部と、
光を出射する発光手段と、
前記発光手段からの出射光を、前記凹部に挿入された前記棒状筒体の光入孔に導く光導入孔と
を具備することを特徴とする請求項２乃至１０のいずれか１項記載の獲得遊技媒体表示システム。
【請求項１２】
前記表示機は、表示体と、表示体設置部とから構成され、
前記表示体が、
一端側に光入孔を有する棒状筒体と、
前記棒状筒体の他端側に接続された所定の形状を有する発光表示部と、
前記光入孔から入射した光を、前記棒状筒体内を介して前記発光表示部に導く光伝送手段と
を具備し、
前記表示体設置部が、
前記遊技機の上部の板体に、前記表示体の棒状筒体に対応して形成された凹部と、
光を出射する発光手段と、
前記発光手段からの出射光を、前記凹部に挿入された前記棒状筒体の光入孔に導く光導入孔と
を具備することを特徴とする請求項２乃至１０のいずれか１項記載の獲得遊技媒体表示システム。
【請求項１３】
前記発光表示部が、光透過性の物質で形成されていることを特徴とする請求項１２記載の獲得遊技媒体表示システム。
【請求項１４】
前記台間機および前記計数機の相互の情報の交信を無線通信にて行うことを特徴とする請求項１記載の獲得遊技媒体表示システム。
【請求項１５】
前記台間機、前記計数機および前記表示機の相互の情報の交信を無線通信にて行うことを特徴とする請求項２または３記載の獲得遊技媒体表示システム。
【請求項１６】
前記台間機および前記表示機の相互の情報の交信を無線通信にて行うことを特徴とする請求項７記載の獲得遊技媒体表示システム。
【請求項１７】
遊技機と、台間機と、計数機と、制御装置とを備え、前記制御装置が前記台間機、前記計数機のいずれかに設置された獲得遊技媒体表示システムの獲得遊技媒体表示方法であって、
前記計数機が、前記遊技機における遊技で獲得した遊技媒体を計数する計数ステップと、
前記制御装置が、前記計数機からの遊技媒体の検知信号を入力する検知信号入力ステップと、
前記制御装置が、前記検知信号に基づいて遊技媒体数を算出し、前記算出された遊技媒体数に対応する所定の情報を前記台間機に出力する表示情報出力ステップと、
前記台間機が、前記制御装置からの情報に基づいて、前記台間機の表示部に獲得した遊技媒体数に対応した表示を行う表示ステップと
を具備したことを特徴とする獲得遊技媒体表示方法。
【請求項１８】
遊技機と、台間機と、計数機と、表示機と、制御装置とを備え、前記制御装置が前記台間機、前記計数機、前記表示機のいずれかに設置された獲得遊技媒体表示システムの獲得遊技媒体表示方法であって、
前記計数機が、前記遊技機における遊技で獲得した遊技媒体を計数する計数ステップと、
前記制御装置が、前記計数機からの遊技媒体の検知信号を入力する検知信号入力ステップと、
前記制御装置が、前記検知信号に基づいて遊技媒体数を算出し、前記算出された遊技媒体数に対応する所定の情報を前記表示機に出力する表示情報出力ステップと、
前記表示機が、前記制御装置からの情報に基づいて、獲得した遊技媒体数に対応した表示を行う表示ステップと
を具備したことを特徴とする獲得遊技媒体表示方法。
【請求項１９】
遊技機と、台間機と、計数機と、表示機と、制御装置とを備え、前記制御装置が前記台間機、前記計数機、前記表示機のいずれかに設置され、前記台間機を経由して前記表示機に情報を出力する獲得遊技媒体表示システムの獲得遊技媒体表示方法であって、
前記計数機が、前記遊技機における遊技で獲得した遊技媒体を計数する計数ステップと、
前記制御装置が、前記計数機からの遊技媒体の検知信号を入力する検知信号入力ステップと、
前記制御装置が、前記検知信号に基づいて遊技媒体数を算出し、前記算出された遊技媒体数に対応する所定の情報を前記表示機に出力する表示情報出力ステップと、
前記表示機が、前記制御装置からの情報に基づいて、獲得した遊技媒体数に対応した表示を行う表示ステップと
を具備したことを特徴とする獲得遊技媒体表示方法。
【請求項２０】
遊技機と、台間機と、表示機と、制御装置とを備え、前記制御装置が前記台間機または前記表示機に設置され、前記台間機を経由して前記表示機に情報を出力する獲得遊技媒体表示システムの獲得遊技媒体表示方法であって、
前記制御装置が、遊技に供した遊技媒体の回収信号および入賞に基づいて払い出された遊技媒体の出玉信号を入力する回収出玉信号入力ステップと、
前記制御装置が、前記回収信号および前記出玉信号に基づいて、獲得した遊技媒体数を算出し、前記算出された遊技媒体数に対応する所定の情報を前記表示機に出力する表示情報出力ステップと、
前記表示機が、前記制御装置からの情報に基づいて、獲得した遊技媒体数に対応した表示を行う表示ステップと
を具備したことを特徴とする獲得遊技媒体表示方法。
【請求項２１】
前記表示情報出力ステップにおいて出力する獲得した遊技媒体数に基づく情報は、獲得した所定の遊技媒体数毎に異なり、
前記表示ステップにおける表示は、前記遊技媒体数毎に異なる情報に対応して異なる表示態様をとることを特徴とする請求項１８乃至２０のいずれか１項記載の獲得遊技媒体表示方法。
【請求項２２】
前記台間機および前記計数機の相互の情報の交信を無線通信にて行うことを特徴とする請求項１７記載の獲得遊技媒体表示方法。
【請求項２３】
前記台間機、前記計数機および前記表示機の相互の情報の交信を無線通信にて行うことを特徴とする請求項１８または１９記載の獲得遊技媒体表示方法。
【請求項２４】
前記台間機および前記表示機の相互の情報の交信を無線通信にて行うことを特徴とする請求項２０記載の獲得遊技媒体表示方法。
【発明の詳細な説明】
【技術分野】
【０００１】
本発明は、パチンコ機、スロットマシンなどの遊技機において獲得した遊技媒体数を計数し、その計数された遊技媒体数に対応する表示を行う獲得遊技媒体表示システムおよび獲得遊技媒体表示方法に関する。
【背景技術】
【０００２】
従来の表示装置として、幕板フレームの支持板を用いて固定され、各遊技機に対応して膳板に設けられた計数装置において計数した獲得玉数を１０００個毎に発光セグメントに段階的に表示するものが開示されている（例えば、特許文献１。）。この表示装置では、センサで検知した獲得玉をカウンタにてカウントし、その情報を記憶した記憶処理部から配線を介して幕板フレームの表示装置へ出力している。
【０００３】
また、従来の表示装置として、遊技機より出玉および回収玉の信号を中継ユニットに出力し、この中継ユニットにおいて出玉数と回収玉数を計数して、計数結果を幕板表示機に表示するものが開示されている（例えば、特許文献２。）。
【特許文献１】特開平５−６８７４６号公報
【特許文献２】特開平９−２９４８６６号公報
【発明の開示】
【発明が解決しようとする課題】
【０００４】
上記した従来の表示装置では、カウンタにてカウントされた獲得玉数の情報を記憶した記憶処理部から配線を介して幕板フレームの表示装置へ情報を出力しているので、記憶処理部からの配線距離が長くなり、稼働率の落ちた遊技機を交換する際、その配線が邪魔になるなどの問題があった。また、記憶処理部のような回路装置を島内に設けなければならず、島内のスペースが少ない場合には、記憶処理部を配置するためのスペースを取ることが困難となる場合がある。さらに、その回路装置の電源ラインを含めて島内に配線することは、かなりの困難を伴うとともに、冬場の乾燥期には、パチンコ玉が配線と触れ合うことにより、静電気が発生し、配線を介して出力される情報にノイズが載り、誤計数の原因となるという問題があった。また、記憶処理部のような回路装置を構成に有することで、製造コストが増加する。
【０００５】
また、従来の遊技機では、出玉および回収玉の信号を出力しない機種が多く、出玉および回収玉の信号を出力する一部の遊技機に対応させて計数結果を幕板表示機に表示するようにしても、出玉および回収玉の信号を出力しない遊技機に交換された場合には、幕体表示機を活用することができない。
【０００６】
また、各遊技機に対応して計数機を設け、出玉信号および回収玉信号より計数玉を算出して表示する場合においても、遊技機の下方の島内に設置された、各遊技機の回収玉を計数するためのアウトメータ、および遊技機の上方の島内に設置された、出玉信号として遊技機の上皿へ供給される玉数を計数するセーフメータからの情報を、幕板等の上部の表示装置に出力するので、配線距離が長くなり、上述した種々の問題が生じる。
【０００７】
また、従来、遊技ホールでは、獲得玉が入れられた玉箱は、島間の通路に積み上げて置かれていた。そして、この玉箱の積み上げられた状況から遊技者は、その遊技ホールの出玉状況を把握していた。しかし、この玉箱の積み上げや、積み上げられた玉箱の遊技媒体を計数機まで運んで計数機で計数するなどの行為を店員が行うことがあり、店員に負担がかかるなどの問題があった。さらに、店員や遊技者が、島間の通路に積み上げて置かれた玉箱につまずいて転倒するなどの安全面からも問題があった。
【０００８】
そこで本発明では、このような課題を解決するためになされたもので、配線の困難さを低減させ、信号線に対する静電気ノイズを防止して、遊技媒体の誤計数を防止し、獲得遊技媒体カウント専用の制御部を排除することで製作コストの低減を図ることができる獲得遊技媒体表示システムおよび獲得遊技媒体表示方法を提供することを目的とする。さらに、玉箱を通路に置く代わりに、遊技者に遊技ホールの出玉状況が一目で把握できる表示機能を備えた獲得遊技媒体表示システムおよび獲得遊技媒体表示方法を提供することを目的とする。
【課題を解決するための手段】
【０００９】
上記目的を達成するために、本発明の獲得遊技媒体表示システムは、遊技機と、前記遊技機毎に配置され、前記遊技機において獲得した遊技媒体を計数可能な計数機と、前記遊技機における遊技に供する遊技媒体の貸し出し、または遊技媒体を貸し出すための指示が可能であり、少なくとも前記計数機によって計数された獲得した遊技媒体数を表示する表示部を備えた台間機とを具備することを特徴とする。
【００１０】
この獲得遊技媒体表示システムによれば、台間機の表示部に、計数機によって計数された獲得した遊技媒体数を表示すことができるので、獲得した遊技媒体数を一目で把握することができる。なお、台間機の表示部には、上記した獲得した遊技媒体数以外にも、従来と同様の、例えば、残度数、貯玉数などの表示を行うこともできる。
【００１１】
ここで、台間機において、遊技機における遊技に供する遊技媒体の貸し出しを行うタイプのものは、遊技機と情報通信ができないサンドタイプの台間機であり、遊技媒体を貸し出すための指示が可能なタイプのものは、遊技機と情報通信ができるユニットタイプ（ＣＲ機用）の台間機である。
【００１２】
また、制御装置を、台間機、計数機のいずれかに設置し、制御装置によって台間機および計数機を制御することもできる。これによって、台間機および計数機を、１つの制御装置で制御することができるので、機器のコンパクト化および製造コストの削減を図ることができる。
【００１３】
また、本発明の獲得遊技媒体表示システムは、遊技機と、前記遊技機における遊技に供する遊技媒体の貸し出し、または遊技媒体を貸し出すための指示が可能な台間機と、前記遊技機毎に配置され、前記遊技機において獲得した遊技媒体を計数可能な計数機と、前記遊技機の上方に設置され、前記計数機で計数された情報に基づいて、獲得した遊技媒体数に対応した表示を行う表示機とを具備したことを特徴とする。
【００１４】
この獲得遊技媒体表示システムによれば、表示機が、計数機で計数された情報に基づいて、獲得した遊技媒体数に対応した表示を行うので、獲得玉数を一目で把握することができる。また、この表示機を設けることで、通路に玉箱を積み上げなくても、獲得された獲得玉数を一目で把握することができ、通路における安全性を確保することができる。
ここで、台間機において、遊技機における遊技に供する遊技媒体の貸し出しを行うタイプのものは、遊技機と情報通信ができないサンドタイプの台間機であり、遊技媒体を貸し出すための指示が可能なタイプのものは、遊技機と情報通信ができるユニットタイプ（ＣＲ機用）の台間機である。
【００１５】
なお、上記した情報として、例えば、計数機からの遊技媒体１個または所定個数（例えば１０個）毎に１パルス出力される検知センサからのパルス信号、その計数パルス信号を回路で加工処理した加工信号、その計数パルスを計数した結果である計数値をシリアル通信またはパラレル通信した通信信号、その計数値を重畳した重畳信号などを例示することができる。また、その情報に基づいて、獲得した遊技媒体数に対応した表示を行うとは、例えば、パルス信号、加工信号、通信信号、重畳信号をそれぞれ獲得遊技媒体数として表示することや、所定遊技媒体数（２０００玉とか）毎に異なる段階的表示信号とし、それに基づいて段階的表示によりランプ点灯を行うことなどをいう。
【００１６】
また、本発明の獲得遊技媒体表示システムは、遊技機と、前記遊技機における遊技に供する遊技媒体の貸し出し、または遊技媒体を貸し出すための指示が可能な台間機と、前記遊技機において獲得した遊技媒体を計数する計数機と、前記遊技機の上方に設置され、前記計数機で計数された情報を、前記台間機を経由して入力し、その情報に基づいて、獲得した遊技媒体数に対応した表示を行う表示機とを具備したことを特徴とする。
【００１７】
この獲得遊技媒体表示システムによれば、表示機は、計数機で計数された情報を、台間機を経由して入力し、その情報に基づいて、獲得した遊技媒体数に対応した表示を行うことができる。これによって、従来のような計数機から表示機まで、外部に信号配線を露出して配線するものより、その信号配線が邪魔にならないため、例えば、稼働率の落ちた遊技機を交換する際などにおける遊技機の交換が容易であり、さらに、遊技機交換後の配線も容易に行うことができる。また、上記した情報を、台間機内を経由させるので、従来のように信号配線が外部に露出して配線される場合より、ノイズの影響を受け難く、誤計数などを防止することができる。なお、例えば、台間機内金属のパイプなどで一つまたは複数に信号配線を束ねて配線してもよく、この場合には、さらにノイズなどの影響を受け難くできる。また、台間機の筐体や金属パイプは、アースされていることが耐ノイズ性を向上するのに好ましい。また、獲得した遊技媒体数に対応した表示を行う表示機を備えることで、獲得玉数を一目で把握することができる。
【００１８】
ここで、台間機において、遊技機における遊技に供する遊技媒体の貸し出しを行うタイプのものは、遊技機と情報通信ができないサンドタイプの台間機であり、遊技媒体を貸し出すための指示が可能なタイプのものは、遊技機と情報通信ができるユニットタイプ（ＣＲ機用）の台間機である。
【００１９】
なお、上記した情報として、例えば、計数機からの遊技媒体１個または所定個数（例えば１０個）毎に１パルス出力される検知センサからのパルス信号、その計数パルス信号を回路で加工処理した加工信号、その計数パルスを計数した結果である計数値をシリアル通信またはパラレル通信した通信信号、その計数値を重畳した重畳信号などを例示することができる。また、その情報に基づいて、獲得した遊技媒体数に対応した表示を行うとは、例えば、パルス信号、加工信号、通信信号、重畳信号をそれぞれ獲得遊技媒体数を表示することや、所定遊技媒体数（２０００玉とか）毎に異なる段階的表示信号とし、それに基づいて段階的表示によりランプ点灯を行うことなどをいう。
【００２０】
また、上記した情報を、台間機内を経由させるとは、台間機内を直接電線で配線する以外にも、台間機の下端側から上端側に渡る一部を光通信によって通信してもよいし、無線通信によって通信してもよい。
【００２１】
また、本発明の獲得遊技媒体表示システムは、前記獲得遊技媒体表示システムが、前記台間機、前記計数機、前記表示機のいずれかに設置され、前記台間機、前記計数機および前記表示機を制御する制御装置を具備することを特徴とする。
【００２２】
この獲得遊技媒体表示システムによれば、台間機、計数機および表示機を、１つの制御装置で制御することができるので、機器のコンパクト化および製造コストの削減を図ることができる。また、制御装置は、台間機に設置されることが好ましいが、計数機、表示機に設置してもよい。
【００２３】
また、本発明の獲得遊技媒体表示システムは、前記計数機が、前記遊技機毎に対応して設置されることを特徴とする。
【００２４】
この獲得遊技媒体表示システムによれば、各遊技機毎に、１台の計数機が設置されているので、計数機における計数情報から容易に各遊技機における遊技者の獲得玉数などを把握することができる。さらに、遊技者は、計数機で逐一計数することができるので、通路に玉箱が積み上げられることがなく、安全性を確保することができる。
【００２５】
さらに、本発明の獲得遊技媒体表示システムは、遊技機と、前記遊技機における遊技に供する遊技媒体の貸し出し、または遊技媒体を貸し出すための指示が可能な台間機と、前記遊技機の上方に設置され、遊技に供した遊技媒体の回収信号および入賞に基づいて払い出された遊技媒体の出玉信号に基づいて算出された獲得した遊技媒体数に対応する信号を、前記台間機を経由して入力し、その情報に基づいて獲得した遊技媒体数に対応した表示を行う表示機とを具備したことを特徴とする。
【００２６】
この獲得遊技媒体表示システムによれば、表示機は、アウトメータ等の回収信号およびセーフメータ等の出玉信号を、台間機を経由して入力し、それらの情報に基づいて、獲得した遊技媒体数に対応した表示を行うことができる。これによって、従来のようなアウトメータ等やセーフメータ等から表示機まで、外部に信号配線を露出して配線するものより、その信号配線が邪魔にならないため、例えば、稼働率の落ちた遊技機を交換する際などにおける遊技機の交換が容易であり、さらに、遊技機交換後の配線も容易に行うことができる。また、上記した情報を、台間機内を経由させるので、従来のように信号配線が外部に露出して配線される場合より、ノイズの影響を受け難く、誤計数などを防止することができる。なお、例えば、台間機内金属のパイプなどで一つまたは複数に信号配線を束ねて配線してもよく、この場合には、さらにノイズなどの影響を受け難くできる。また、台間機の筐体や金属パイプは、アースされていることが耐ノイズ性を向上するのに好ましい。また、獲得した遊技媒体数に対応した表示を行う表示機を備えることで、獲得玉数を一目で把握することができる。
【００２７】
ここで、台間機において、遊技機における遊技に供する遊技媒体の貸し出しを行うタイプのものは、遊技機と情報通信ができないサンドタイプの台間機であり、遊技媒体を貸し出すための指示が可能なタイプのものは、遊技機と情報通信ができるユニットタイプ（ＣＲ機用）の台間機である。
【００２８】
なお、上記した情報として、例えば、アウトメータやセーフメータ、ＣＲ機からのセーフ相当出力からの遊技媒体１個または所定個数（例えば１０個）毎に１パルス出力される検知センサからのパルス信号、その計数パルス信号を回路で加工処理した加工信号、その計数パルスを計数した結果である計数値をシリアル通信またはパラレル通信した通信信号、その計数値を重畳した重畳信号などを例示することができる。また、その情報に基づいて、獲得した遊技媒体数に対応した表示を行うとは、例えば、パルス信号、加工信号、通信信号、重畳信号をそれぞれ獲得遊技媒体数を表示することや所定遊技媒体数（２０００玉とか）毎に異なる段階的表示信号とし、それに基づいて段階的表示によりランプ点灯を行うことなどをいう。
【００２９】
また、上記した情報を、台間機内を経由させるとは、台間機内を直接電線で配線する以外にも、台間機の下端側から上端側に渡る一部を光通信によって通信してもよいし、無線通信によって通信してもよい。
【００３０】
また、本発明の獲得遊技媒体表示システムは、前記獲得遊技媒体表示システムが、前記台間機、前記表示機のいずれかに設置され、前記台間機および前記表示機を制御する制御装置を具備することを特徴とする。
【００３１】
この獲得遊技媒体表示システムによれば、台間機および表示機を、１つの制御装置で制御することができるので、機器のコンパクト化および製造コストの削減を図ることができる。また、制御装置は、台間機に設置されることが好ましいが、表示機に設置してもよい。
【００３２】
また、本発明の獲得遊技媒体表示システムは、前記制御装置が、前記遊技に供した遊技媒体の回収信号および前記入賞に基づいて払い出された遊技媒体の出玉信号に基づいて、獲得した遊技媒体数を算出することを特徴とする。
【００３３】
この獲得遊技媒体表示システムによれば、遊技に供した遊技媒体の回収信号および入賞に基づいて払い出された遊技媒体の出玉信号に基づいて、獲得した遊技媒体数を算出することができるので、各台間機毎に計数機を設ける必要がなく、設備コストを削減することができる。
【００３４】
また、本発明の獲得遊技媒体表示システムは、前記表示機が入力する獲得した遊技媒体数に基づく情報は、獲得した所定の遊技媒体数毎に異なり、前記表示機は、この異なる情報に対応して、所定の遊技媒体数毎に異なる表示態様をとることを特徴とする。
【００３５】
この獲得遊技媒体表示システムによれば、表示機が所定の遊技媒体数毎に異なる表示態様をとることができるので、例えば、獲得玉数を一目で把握することができる。
【００３６】
また、本発明の獲得遊技媒体表示システムは、前記表示機は、表示体と、表示体設置部とから構成され、前記表示体が、一端側に光入孔を有する棒状筒体と、前記棒状筒体内に前記棒状筒体に沿って設置され、前記光入孔から入射した光を外部に導く１または複数の光漏れ孔を有する光伝送手段とを具備し、前記表示体設置部が、前記遊技機の上部の板体に、前記表示体の棒状筒体に対応して形成された凹部と、光を出射する発光手段と、前記発光手段からの出射光を、前記凹部に挿入された前記棒状筒体の光入孔に導く光導入孔とを具備することを特徴とする。
【００３７】
この獲得遊技媒体表示システムによれば、表示機を、表示体と、表示体設置部とから構成し、表示体設置部に一部を挿入して装着される表示体を、所定の遊技媒体数毎に増設して、獲得した遊技媒体数を表示することができる。これによって、獲得玉数を一目で把握することができる。また、この表示機を設けることで、通路に玉箱を積み上げなくても、獲得された獲得玉数を一目で把握することができ、通路における安全性を確保することができる。
【００３８】
さらに、本発明の獲得遊技媒体表示システムは、前記表示機は、表示体と、表示体設置部とから構成され、前記表示体が、一端側に光入孔を有する棒状筒体と、前記棒状筒体の他端側に接続された所定の形状を有する発光表示部と、前記光入孔から入射した光を、前記棒状筒体内を介して前記発光表示部に導く光伝送手段とを具備し、前記表示体設置部が、前記遊技機の上部の板体に、前記表示体の棒状筒体に対応して形成された凹部と、光を出射する発光手段と、前記発光手段からの出射光を、前記凹部に挿入された前記棒状筒体の光入孔に導く光導入孔とを具備することを特徴とする。
【００３９】
この獲得遊技媒体表示システムによれば、表示機を、表示体と、表示体設置部とから構成し、表示体設置部に一部を挿入して装着される表示体を、所定の遊技媒体数毎に増設して、獲得した遊技媒体数を表示することができる。これによって、獲得玉数を一目で把握することができる。また、この表示機を設けることで、通路に玉箱を積み上げなくても、獲得された獲得玉数を一目で把握することができ、通路における安全性を確保することができる。
【００４０】
ここで、表示体の発光表示部は、光透過性の物質で形成される。これによって、光伝送手段によって導かれた光を外部に放出することができる。
【００４１】
また、本発明の獲得遊技媒体表示システムは、前記台間機および前記計数機の相互の情報の交信を無線通信にて行うことを特徴とする。
【００４２】
また、前記台間機、前記計数機および前記表示機の相互の情報の交信を無線通信にて行うことを特徴とする。
【００４３】
さらに、計数機を備えない獲得遊技媒体表示システムにおいては、前記台間機および前記表示機の相互の情報の交信を無線通信にて行うことを特徴とする。
【００４４】
これらの獲得遊技媒体表示システムによれば、台間機および計数機、台間機、計数機および前記表示機、または台間機および表示機の相互の情報の交信を無線通信にて行うことができるので、配線などの設置処理が不要となり、遊技機の交換などを効率よく行うことができる。
【００４５】
本発明の獲得遊技媒体表示方法は、遊技機と、台間機と、計数機と、制御装置とを備え、前記制御装置が前記台間機、前記計数機のいずれかに設置された獲得遊技媒体表示システムの獲得遊技媒体表示方法であって、前記計数機が、前記遊技機における遊技で獲得した遊技媒体を計数する計数ステップと、前記制御装置が、前記計数機からの遊技媒体の検知信号を入力する検知信号入力ステップと、前記制御装置が、前記検知信号に基づいて遊技媒体数を算出し、前記算出された遊技媒体数に対応する所定の情報を前記台間機に出力する表示情報出力ステップと、前記台間機が、前記制御装置からの情報に基づいて、前記台間機の表示部に獲得した遊技媒体数に対応した表示を行う表示ステップとを具備したことを特徴とする。
【００４６】
この獲得遊技媒体表示方法によれば、計数ステップにおいて計数された獲得した遊技媒体に基づいて、表示ステップにおいて、獲得した遊技媒体数に対応した表示を行うことができるので、獲得玉数を一目で把握することができる。また、台間機および計数機を、１つの制御装置で制御することが可能となる。また、計数ステップにおいて、獲得した遊技媒体を逐一計数することができるので、通路に玉箱が積み上げられることがなく、安全性を確保することができる。
【００４７】
また、本発明の獲得遊技媒体表示方法は、遊技機と、台間機と、計数機と、表示機と、制御装置とを備え、前記制御装置が前記台間機、前記計数機、前記表示機のいずれかに設置された獲得遊技媒体表示システムの獲得遊技媒体表示方法であって、前記計数機が、前記遊技機における遊技で獲得した遊技媒体を計数する計数ステップと、前記制御装置が、前記計数機からの遊技媒体の検知信号を入力する検知信号入力ステップと、前記制御装置が、前記検知信号に基づいて遊技媒体数を算出し、前記算出された遊技媒体数に対応する所定の情報を前記表示機に出力する表示情報出力ステップと、前記表示機が、前記制御装置からの情報に基づいて、獲得した遊技媒体数に対応した表示を行う表示ステップとを具備したことを特徴とする。
【００４８】
この獲得遊技媒体表示方法によれば、計数ステップにおいて計数された獲得した遊技媒体に基づいて、表示ステップにおいて、獲得した遊技媒体数に対応した表示を行うことができるので、獲得玉数を一目で把握することができる。また、台間機、表示機および計数機を、１つの制御装置で制御することが可能となる。また、計数ステップにおいて、獲得した遊技媒体を逐一計数することができるので、通路に玉箱が積み上げられることがなく、安全性を確保することができる。
【００４９】
なお、上記した情報として、例えば、計数機からの遊技媒体１個または所定個数（例えば１０個）毎に１パルス出力される検知センサからのパルス信号、その計数パルス信号を回路で加工処理した加工信号、その計数パルスを計数した結果である計数値をシリアル通信またはパラレル通信した通信信号、その計数値を重畳した重畳信号などを例示することができる。また、その情報に基づいて、獲得した遊技媒体数に対応した表示を行うとは、例えば、パルス信号、加工信号、通信信号、重畳信号をそれぞれ獲得遊技媒体数を表示することや、所定遊技媒体数（２０００玉とか）毎に異なる段階的表示信号とし、それに基づいて段階的表示によりランプ点灯を行うことなどをいう。
【００５０】
本発明の獲得遊技媒体表示方法は、遊技機と、台間機と、計数機と、表示機と、制御装置とを備え、前記制御装置が前記台間機、前記計数機、前記表示機のいずれかに設置され、前記台間機を経由して前記表示機に情報を出力する獲得遊技媒体表示システムの獲得遊技媒体表示方法であって、前記計数機が、前記遊技機における遊技で獲得した遊技媒体を計数する計数ステップと、前記制御装置が、前記計数機からの遊技媒体の検知信号を入力する検知信号入力ステップと、前記制御装置が、前記検知信号に基づいて遊技媒体数を算出し、前記算出された遊技媒体数に対応する所定の情報を前記表示機に出力する表示情報出力ステップと、前記表示機が、前記制御装置からの情報に基づいて、獲得した遊技媒体数に対応した表示を行う表示ステップとを具備したことを特徴とする。
【００５１】
この獲得遊技媒体表示方法によれば、計数ステップにおいて計数された獲得した遊技媒体に基づいて、表示ステップにおいて、獲得した遊技媒体数に対応した表示を行うことができるので、獲得玉数を一目で把握することができる。また、台間機、計数機および表示機を、１つの制御装置で制御することが可能となる。また、計数ステップにおいて、獲得した遊技媒体を逐一計数することができるので、通路に玉箱が積み上げられることがなく、安全性を確保することができる。
【００５２】
なお、上記した情報として、例えば、計数機からの遊技媒体１個または所定個数（例えば１０個）毎に１パルス出力される検知センサからのパルス信号、その計数パルス信号を回路で加工処理した加工信号、その計数パルスを計数した結果である計数値をシリアル通信またはパラレル通信した通信信号、その計数値を重畳した重畳信号などを例示することができる。また、その情報に基づいて、獲得した遊技媒体数に対応した表示を行うとは、例えば、パルス信号、加工信号、通信信号、重畳信号をそれぞれ獲得遊技媒体数を表示することや所定遊技媒体数（２０００玉とか）毎に異なる段階的表示信号とし、それに基づいて段階的表示によりランプ点灯を行うことなどをいう。
【００５３】
また、上記した情報を、台間機内を経由させるとは、台間機内を直接電線で配線する以外にも、台間機の下端側から上端側に渡る一部を光通信によって通信してもよいし、無線通信によって通信してもよい。
【００５４】
また、本発明の獲得遊技媒体表示方法は、遊技機と、台間機と、表示機と、制御装置とを備え、前記制御装置が前記台間機または前記表示機に設置され、前記台間機を経由して前記表示機に情報を出力する獲得遊技媒体表示システムの獲得遊技媒体表示方法であって、前記制御装置が、遊技に供した遊技媒体の回収信号および入賞に基づいて払い出された遊技媒体の出玉信号を入力する回収出玉信号入力ステップと、前記制御装置が、前記回収信号および前記出玉信号に基づいて、獲得した遊技媒体数を算出し、前記算出された遊技媒体数に対応する所定の情報を前記表示機に出力する表示情報出力ステップと、前記表示機が、前記制御装置からの情報に基づいて、獲得した遊技媒体数に対応した表示を行う表示ステップとを具備したことを特徴とする。
【００５５】
この獲得遊技媒体表示方法によれば、回収出玉信号入力ステップにおいて入力された回収信号および出玉信号に基づいて、表示ステップにおいて、獲得した遊技媒体数に対応した表示を行うことができるので、獲得玉数を一目で把握することができる。また、台間機および表示機を、１つの制御装置で制御することが可能となる。
【００５６】
なお、上記した情報として、例えば、アウトメータやセーフメータ、ＣＲ機からのセーフ相当出力からの遊技媒体１個または所定個数（例えば１０個）毎に１パルス出力される検知センサからのパルス信号、その計数パルス信号を回路で加工処理した加工信号、その計数パルスを計数した結果である計数値をシリアル通信またはパラレル通信した通信信号、その計数値を重畳した重畳信号などを例示することができる。また、その情報に基づいて、獲得した遊技媒体数に対応した表示を行うとは、例えば、パルス信号、加工信号、通信信号、重畳信号をそれぞれ獲得遊技媒体数を表示することや所定遊技媒体数（２０００玉とか）毎に異なる段階的表示信号とし、それに基づいて段階的表示によりランプ点灯を行うことなどをいう。
【００５７】
また、上記した情報を、台間機内を経由させるとは、台間機内を直接電線で配線する以外にも、台間機の下端側から上端側に渡る一部を光通信によって通信してもよいし、無線通信によって通信してもよい。
【００５８】
さらに、本発明の獲得遊技媒体表示方法は、前記表示情報出力ステップにおいて出力する獲得した遊技媒体数に基づく情報は、獲得した所定の遊技媒体数毎に異なり、前記表示ステップにおける表示は、前記遊技媒体数毎に異なる情報に対応して異なる表示態様をとることを特徴とする。
【００５９】
この獲得遊技媒体表示方法によれば、表示ステップにおいて、所定の遊技媒体数毎に異なる表示態様をとることができるので、例えば、獲得玉数を一目で把握することができる。
【００６０】
また、本発明の獲得遊技媒体表示方法は、前記台間機および前記計数機の相互の情報の交信を無線通信にて行うことを特徴とする。
【００６１】
また、前記台間機、前記計数機および前記表示機の相互の情報の交信を無線通信にて行うことを特徴とする。
【００６２】
また、計数機を備えない獲得遊技媒体表示システムにおいては、前記台間機および前記表示機の相互の情報の交信を無線通信にて行うことを特徴とする。
【００６３】
これらの獲得遊技媒体表示方法によれば、台間機および計数機、台間機、計数機および前記表示機、または台間機および前記表示機の相互の情報の交信を無線通信にて行うことができるので、配線などの設置処理が不要となり、遊技機の交換などを効率よく行うことができる。
【発明の効果】
【００６４】
本発明の獲得遊技媒体表示システムおよび獲得遊技媒体表示方法によれば、配線の困難さを低減させ、信号線に対する静電気ノイズを防止して、遊技媒体の誤計数を防止し、獲得遊技媒体カウント専用の制御部を排除することで製作コストの低減を図ることができ、さらに、玉箱を通路に置く代わりに、表示機能によって、遊技者に遊技ホールの出玉状況を一目で把握させることができる。
【発明を実施するための最良の形態】
【００６５】
以下、本発明に係る獲得遊技媒体表示システムを備えた記憶媒体処理システム１の一実施の形態を図面を参照して説明する。
【００６６】
図１に、記憶媒体処理システム１の概要図を示す。また、図２の（ａ）に会員の遊技者が使用するカード形状記憶媒体である会員用ＩＣカード３０の斜視図、（ｂ）に非会員の遊技者が使用するカード形状記憶媒体である非会員用ＩＣカード３１の斜視図を示す。
【００６７】
ここで、会員の遊技者とは、住所、氏名、年齢、性別、好きな台、連絡先、暗証番号などの属性情報が会員の遊技者を互いに識別するＩＤに基づいて管理装置に登録され、会員用ＩＣカード３０を有する遊技者をいう。また、非会員の遊技者とは、会員登録されていない一般の遊技者をいう。
【００６８】
この記憶媒体処理システム１では、複数のパチンコ機２および複数のパチンコ機２のそれぞれに接続された台間機３、４、複数のスロットマシン機５およびスロットマシン機５間に接続された台間機６が島コンピュータ７を介してネットワーク８に接続されている。また、ネットワーク８には、計数機９、精算機１０、景品管理機（ＰＯＳ）１１、再プレー受付機１２、発券機２０、データ表示機２１、データ公開機２２なども接続されている。
【００６９】
これらの機器からの情報は、ネットワーク８を介して管理装置１３に出力され、さらに、プロトコルコンバータ１４、モデム１５を介してカードセンタ１６に送信される。また、管理装置１３は、例えば、パーソナルコンピュータ１７などとも接続されている。また、管理装置１３からの情報は、ネットワーク８を介して各機器に出力される。
【００７０】
以下に、本発明の獲得遊技媒体表示システムを備えた記憶媒体処理システム１を構成する記憶媒体や各機器のそれぞれについて説明する。
【００７１】
（会員用ＩＣカード３０および非会員用ＩＣカード３１）
次に、図２に示された（ａ）会員用ＩＣカード３０および（ｂ）非会員用ＩＣカード３１について説明する。
【００７２】
会員用ＩＣカード３０および非会員用ＩＣカード３１は、従来から遊技システムで使用されていたＩＣチップを有する記憶媒体であり、カード形状を有している。非会員用ＩＣカード３１は、会員用ＩＣカード３０よりもカードの縦および横の長さが短く、さらに、厚さが薄く構成されている。
【００７３】
これらの会員用ＩＣカード３０や非会員用ＩＣカード３１は、ＩＣチップと、そのＩＣチップを取り巻くアンテナ部とを有する非接触型の記憶媒体であり、アンテナ部を介してＩＣチップに情報の読み書きをすることができる。
【００７４】
会員用ＩＣカード３０または非会員用ＩＣカード３１を用いた管理システムにおいては、それぞれについて、次に示した管理システムの内のいずれか１つを採用することができる。
【００７５】
会員用ＩＣカード３０は、（１）ＩＤだけの記録情報を有し、その他の情報は管理装置１３において管理されるシステム、または、（２）ＩＤ以外に度数などの有価情報などの情報を有し、さらに、その情報は管理装置１３においても管理されるシステムを採用することができる。
【００７６】
ここで、会員用ＩＣカード３０を用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別などの情報、遊技機の台番号に基づく獲得玉数の情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。さらに、これらの情報は、会員用ＩＣカード３０を用いた場合の会員として処理される情報である。
【００７７】
ここで、遊技機の台番号に基づく獲得玉数の情報とは、遊技機の台番号毎に獲得玉数の情報を管理することであり、獲得玉数の情報以外にも、この獲得玉数を得た際の、遊技者のＩＤ、アウト、セーフ、勝敗、計数玉数、勝敗と計数玉数との差などの情報を管理することもできる。
【００７８】
また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカード３０を用いた場合の管理装置１３によって管理される情報は、これらに限るものではなく、遊技管理を行う上で必要な情報であれば管理することができる。
【００７９】
非会員用ＩＣカード３１は、（３）ＩＤだけの記録情報を有し、その他の情報は管理装置１３において管理されるシステム、（４）度数などの有価情報などの情報を有し、管理装置１３においてはその情報を管理しないシステム、（５）ＩＤ以外に度数などの有価情報などの情報を有し、さらに、その情報は管理装置１３においても管理されるシステムを採用することができる。（４）は、管理装置１３において情報の管理をする必要がある会員用ＩＣカード３０には採用されない。
【００８０】
ここで、非会員用ＩＣカード３１を用いた場合の情報とは、度数、貸玉、入金、追加入金、貸玉数などの情報、これらの情報を所定の期間に限って管理する情報などをいう。これらの情報は、非会員用ＩＣカード３１を用いた場合の非会員として処理される情報である。また、これらの情報には、アウト（発射玉）、セーフ（遊技機への供給玉、つまり遊技の上皿への供給玉：遊技者の獲得玉）、勝敗（セーフからアウトを減じたもの）、貯玉数、再プレー用貯玉数、再プレー手数料、ポイント、遊技台種別などが含まれない点で会員用ＩＣカード３０を用いた場合の会員として処理される情報と異なる。また、非会員用ＩＣカード３１を用いた場合の管理装置１３によって管理されている情報は、これらに限るものではなく、遊技管理を行う上で必要な情報であれば管理することができる。
【００８１】
また、上記した情報には、遊技機の台番号に基づく獲得玉数の情報も含めることができ、さらに、この獲得玉数を得た際の、遊技者のＩＤ、アウト、セーフ、勝敗、計数玉数、勝敗と計数玉数との差などの情報を管理することもできる。
【００８２】
（発券機２０）
図３は、発券機２０の外観を示す側面図、図４は発券機２０の構成部を示す図、図５は発券機２０における動作の流れを示す図である。
【００８３】
まず、図３を参照して、発券機２０の構成について説明する。
【００８４】
図３には、発券機２０を側面から見た図が示されており、カード挿入口２０ａ、紙幣挿入口２０ｂ、購入度数ボタン２０ｃで主に構成されている。
【００８５】
発券機２０は、紙幣挿入口２０ｂから挿入された紙幣額に対して購入度数ボタン２０ｃで選択された金額に対応する度数を、会員用ＩＣカード３０に更新したり、会員用ＩＣカード３０が用いられない場合には、その金額に対応する度数が記録された非会員用ＩＣカード３１の発行を行うものである。
【００８６】
ここで、度数とは、入金された金額を度数化したもので、例えば、１万円を度数化すると１００度数となる。また、発券機２０では、会員用ＩＣカード３０を利用する場合に、来店ポイントが付与される。付与された来店ポイントは、管理装置１３において、会員用ＩＣカード３０のＩＤに基づいて管理されているポイント数に加算される。
【００８７】
図４に示すように、発券機２０は、制御部１００、カード処理部１０１、非会員用カード発行部１０２、選択ボタン検知部１０３、貨幣識別部１０４から構成されている。
【００８８】
制御部１００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１００では、カード処理部１０１、非会員用カード発行部１０２、選択ボタン検知部１０３、貨幣識別部１０４の各機部間の信号の出入力、および、ネットワーク８を介して管理装置１３との間の信号の出入力を制御している。
【００８９】
カード処理部１０１は、会員カード処理部として機能し、カード挿入口２０ａから挿入された会員用ＩＣカード３０に記憶された、例えば、ＩＤやそのＩＤで管理されている有価情報などの読み取り、その読み取った情報の制御部１００への出力、制御部１００からの更新された有価情報などの会員用ＩＣカード３０への書き込みなどを行うもので、例えば、リーダライタなどで構成される。
【００９０】
非会員用カード発行部１０２は、非会員カード処理部として機能し、紙幣挿入口２０ｂから挿入された紙幣額に対して購入度数ボタン２０ｃで選択された金額に対応する度数を非会員用ＩＣカード３１に記録し、さらにＩＤを付与して発行を行うもので、例えば、リーダライタなどで構成される。
【００９１】
選択ボタン検知部１０３は、購入度数ボタン２０ｃ、取消／釣りボタン２０ｄが押されたことを検知し、その押された信号に基づいて、制御部１００に信号を出力するものである。
【００９２】
貨幣識別部１０４は、紙幣挿入口２０ｂから挿入される４種類の紙幣を識別し、識別した紙幣の情報を制御部１００に出力するものである。また、制御部１００からの情報に基づいて、紙幣返却口２０ｆから紙幣を返却する。
【００９３】
そして、制御部１００によって制御される、カード処理部１０１、非会員用カード発行部１０２、選択ボタン検知部１０３、貨幣識別部１０４の各機器部は、次のように動作する（図５）。
【００９４】
以下に、図５を参照してその動作を説明する。
【００９５】
貨幣識別部１０４は、紙幣が入金された否かを判定する（ステップＳ１１０）。ステップＳ１１０の判定でＮｏの場合には、繰り返しステップＳ１１０の判定を行う。ステップＳ１１０の判定でＹｅｓの場合には、貨幣識別部１０４は、入金された紙幣の識別を行い、その識別情報を制御部１００に出力する（ステップＳ１１１）。また、貨幣識別部１０４で識別された紙幣は、発券機２０内の紙幣回収部（図示しない）に回収される（ステップＳ１１１）。
【００９６】
購入度数ボタン２０ｃで希望のボタンが押されたが否かを選択ボタン検知部１０３が判定する（ステップＳ１１２）。ステップＳ１１２の判定で、ＯＦＦのままの場合には、制御部１００は待機状態となり、例えば、この状態で取消／釣りボタン２０ｄが押されたことがステップＳ１２３で判定されると、入金された紙幣は紙幣返却口２０ｆから返却される（ステップＳ１２４）。
【００９７】
ステップＳ１１２の判定で、希望の金額の購入度数ボタン２０ｃが押されたことが選択ボタン検知部１０３で判定された場合には、例えば、購入度数ボタン２０ｃが連続して押されていても同じ動作を繰り返さないようにするために、購入度数ボタン２０ｃのＯＮ履歴がクリアされる（ステップＳ１１３）。そして、選択された購入度数ボタン２０ｃの情報は、制御部１００に出力される。
【００９８】
次に、制御部１００は、貨幣識別部１０４で識別された紙幣の金額と選択ボタン検知部１０３から出力された選択された購入度数ボタン２０ｃの金額の情報に基づいて、比較判定を行う（ステップＳ１１４）。
【００９９】
ステップＳ１１４の判定で、識別された紙幣の金額が購入度数ボタン２０ｃの金額より小さい場合（Ｎｏの場合）には、制御部１００は待機状態となり、例えば、この状態で取消／釣りボタン２０ｄが押されたことがステップＳ１２３で判定されると、入金された紙幣は紙幣返却口２０ｆから返却される（ステップＳ１２４）。
【０１００】
一方、ステップＳ１１４の判定で、識別された紙幣の金額が購入度数ボタン２０ｃの金額以上の場合（Ｙｅｓの場合）には、カード処理部１０１は、会員用ＩＣカード３０が挿入されているか否かを判定する（ステップＳ１１５）。
【０１０１】
ステップＳ１１５の判定で、Ｙｅｓの場合、カード処理部１０１は、会員用ＩＣカード３０に記憶されたＩＤを読み取り、読み取ったＩＤを制御部１００に出力する（ステップＳ１１６）。さらに制御部１００は、そのＩＤ、貨幣識別部１０４で識別された紙幣の金額、選択された購入度数ボタン２０ｃの金額をネットワーク８を介して管理装置１３に送信する（ステップＳ１１６）。また、会員用ＩＣカード３０を利用の場合に付与される来店ポイントが付与され、付与された来店ポイントは、管理装置１３において、会員用ＩＣカード３０のＩＤに基づいて管理されているポイント数に加算される（ステップＳ１１６）。管理装置１３は、読み取られたＩＤの度数残高に、購入した度数を追加し、その更新された情報をネットワーク８を介して制御部１００に出力する（ステップＳ１１６）。
【０１０２】
そして、制御部１００は、その情報をカード処理部１０１に出力し、カード処理部１０１は、その情報を表示部２０ｅに出力し、表示部２０ｅは、例えば、度数残高などを表示する（ステップＳ１１７）。会員用ＩＣカード３０は、カード処理部１０１によってカード挿入口２０ａから返却（カード挿入口２０ａへ返送）される。（ステップＳ１１８）。
【０１０３】
一方、ステップＳ１１５の判定で、Ｎｏの場合、非会員用カード発行部１０２は、貯留された非会員用ＩＣカード３１にＩＤを付与し、その情報を制御部１００に出力する（ステップＳ１１９）。
【０１０４】
制御部１００は、そのＩＤ情報、貨幣識別部１０４で識別された紙幣の金額、選択された購入度数ボタン２０ｃの金額をネットワーク８を介して管理装置１３に送信する（ステップＳ１２０）。
【０１０５】
また、非会員用カード発行部１０２は、付与されたＩＤを非会員用ＩＣカード３１に記録し、その非会員用ＩＣカード３１を、例えば、カード挿入口２０ａから発行する（ステップＳ１２１）。
【０１０６】
ここで、制御部１００において、貨幣識別部１０４で識別された紙幣の金額から選択された購入度数ボタン２０ｃの金額が減じ、残金額に対応する情報を表示部２０ｅに出力する（ステップＳ１２２）。そして、制御部１００から出力された残金額に対応する情報に基づいて、表示部２０ｅでは、その残金額を表示する（ステップＳ１２２）。
【０１０７】
ここで、ステップＳ１２３において、選択ボタン検知部１０３のよって取消／釣りボタン２０ｄが押されたことが判定（Ｙｅｓの場合）されると、その情報を制御部１００に出力する。制御部１００は、貨幣識別部１０４に残金を返却するための情報を出力する。そして、貨幣識別部１０４は、その情報に基づいて、残金を紙幣返却口２０ｆから返却する（ステップＳ１２４）。一方、ステップＳ１２３の判定がＮｏの場合、制御部１００は待機状態となる。
【０１０８】
（再プレー受付機１２）
図６は、再プレー受付機１２の外観を示す側面図、図７は再プレー受付機１２の構成部を示す図、図８は再プレー受付機１２における動作の流れを示す図である。
【０１０９】
まず、図６を参照して、再プレー受付機１２の構成について説明する。
【０１１０】
図６には、再プレー受付機１２を側面から見た図が示されており、カード挿入口１２ａ、暗証番号入力用テンキーボード１２ｂ、端玉／端メダル返却ボタン１２ｃ、カード返却ボタン１２ｄ、再プレー受付ボタン１２ｅ、端玉／端メダル受取口１２ｆ、表示部１２ｇで主に構成されている。
【０１１１】
再プレー受付機１２は、会員用ＩＣカード３０に記憶されたＩＤと共に、管理装置１３の再プレーＦＬＧ、貯玉数および再プレー用貯玉数の情報を書き換えるための要求信号を、ネットワーク８を介して管理装置１３に送信し、再プレーを行える状態にするものである。
【０１１２】
再プレーＦＬＧは、管理装置１３に書き込まれている情報で、再プレーを可能にしたり、不可能にしたりするものであり、例えば、１が書き込まれていれば再プレー可能、０が書き込まれていれば再プレー不可能になる。ここで、再プレーとは、計数機９において計数され貯玉された貯玉数のうち所定の金額（例えば１万円）に相当する玉数を再プレー用貯玉数とし、その再プレー用貯玉数分の貸玉の貸し出しによって、遊技をすることをいう。また、再プレー受付機１２では、会員用ＩＣカード３０の利用によって付与されるポイントを、例えば、再プレー用貯玉数に還元することもできる。
【０１１３】
図７に示すように、再プレー受付機１２は、制御部１５０、カード処理部１５１、端玉返却部１５２、選択ボタン検知部１５３から構成されている。
【０１１４】
制御部１５０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１５０では、カード処理部１５１、端玉返却部１５２、選択ボタン検知部１５３の各機部間の信号の出入力、および、ネットワーク８を介して管理装置１３との間の信号の出入力を制御している。
【０１１５】
カード処理部１５１は、会員カード処理部として機能し、カード挿入口１２ａから挿入された会員用ＩＣカード３０に記憶された、例えば、ＩＤやそのＩＤで管理されている有価情報などの読み取り、その読み取った情報の制御部１５０への出力、制御部１５０からの更新された有価情報などの会員用ＩＣカード３０への書き込みなどを行うもので、例えば、リーダライタなどで構成される。
【０１１６】
選択ボタン検知部１５３は、暗証番号入力用テンキーボード１２ｂ、端玉／端メダル返却ボタン１２ｃ、カード返却ボタン１２ｄ、再プレー受付ボタン１２ｅが押されたことを検知し、その押された信号に基づいて、制御部１５０に信号を出力するものである。
【０１１７】
そして、制御部１５０によって制御される、カード処理部１５１、端玉返却部１５２、選択ボタン検知部１５３の各機器部は、次のように動作する（図８）。
【０１１８】
以下に、図８を参照してその動作を説明する。
【０１１９】
カード処理部１５１は、会員用ＩＣカード３０が挿入されているか否かを判定する（ステップＳ１６０）。ステップＳ１６０の判定で、Ｎｏの場合、制御部１５０は待機状態となる。一方、ステップＳ１６０の判定で、Ｙｅｓの場合、カード処理部１５１は、会員用ＩＣカード３０に記憶されたＩＤおよび暗証番号を読み取り、制御部１５０に出力する（ステップＳ１６１）。
【０１２０】
次に、選択ボタン検知部１５３は、暗証番号入力用テンキーボード１２ｂで入力された暗証番号を検知し、その検知信号を制御部１５０に出力する。制御部１５０は、会員用ＩＣカード３０から読み取られた暗証番号と暗証番号入力用テンキーボード１２ｂで入力された暗証番号とを比較判定する（ステップＳ１６３）。
【０１２１】
ステップＳ１６３の判定で、双方の番号が一致しない場合（ＮＧの場合）は、カード処理部１５１によって、会員用ＩＣカード３０をカード挿入口１２ａから返却（カード挿入口１２ａへ返送）する（ステップＳ１６４）。
【０１２２】
一方、ステップＳ１６３の判定で、双方の番号が一致した場合（ＯＫの場合）は、カード処理部１５１は、読み取ったＩＤを、制御部１５０に出力し、さらに制御部１５０は、そのＩＤをネットワーク８を介して管理装置１３に送信する（ステップＳ１６５）。そして、管理装置１３は、そのＩＤで管理されている貯玉数などを読み取る（ステップＳ１６５）。
【０１２３】
次に、選択ボタン検知部１５３は、端玉／端メダル返却ボタン１２ｃ、カード返却ボタン１２ｄ、再プレー受付ボタン１２ｅのいずれかのボタンが押されたことを検知し、押されたボタンを判定する（ステップＳ１６６）。
【０１２４】
ステップＳ１６６の判定で、端玉／端メダル返却ボタン１２ｃが押されたことが判定されると、その検知信号は、制御部１５０に出力され、さらに、制御部１５０からネットワーク８を介して管理装置１３に出力される。そして、管理装置１３から端玉分の返却信号が、制御部１５０を介して端玉返却部１５２に出力され、端玉返却部１５２によって、端玉が端玉／端メダル受取口１２ｆから返却される（ステップＳ１６７）。ここで、端玉／端メダル返却ボタン１２ｃは、貯玉数が少数で、その貯玉を再プレー受付をせずに返却したい場合に押されるもので、それによって、端玉／端メダル受取口１２ｆから返却されるのが端玉である。
【０１２５】
ステップＳ１６６の判定で、カード返却ボタン１２ｄが押されたことが判定されると、カード処理部１５１は、会員用ＩＣカード３０をカード挿入口１２ａから返却（カード挿入口１２ａへ返送）する（ステップＳ１６８）。
【０１２６】
ステップＳ１６８の判定で、再プレー受付ボタン１２ｅが押されたことが判定されると、その検知信号は、制御部１５０に出力され、さらに、制御部１５０からネットワーク８を介して管理装置１３に出力される。そして、管理装置１３において、ステップＳ１６５でＩＤに基づいて読み取られた貯玉数（Ｘ１）が次の式（１）（パチンコの場合）を満たすか否かが判定される（ステップＳ１６９）。
Ｘ１  ≧  ２５００＋２５００×手数料レート  …  式（１）
【０１２７】
ステップＳ１６９の判定で、Ｎｏの場合、再プレー用貯玉数（Ｙ１）が次の式（２）から算出される（ステップＳ１７０）。
Ｙ１  ＝  Ｘ１  −  Ｘ１×（手数料レート）  …  式（２）
【０１２８】
ここで、手数料レートは、例えば、０．３７５などであり、この値は任意に変更される。
【０１２９】
そして、管理装置１３において、ＩＤに基づいて再プレー用貯玉数（Ｙ１）が登録され、貯玉数は０と書き換えられる（ステップＳ１７０、ステップＳ１７１）。
【０１３０】
ステップＳ１６９の判定で、Ｙｅｓの場合、管理装置１３において、貯玉数（Ｘ２）は次の式（３）の値に書き換えられ、再プレー用貯玉数が２５００に登録される（ステップＳ１７２、ステップＳ１７３）。
Ｘ２  ＝  Ｘ１−２５００−２５００×（手数料レート）  …  式（３）
【０１３１】
ステップＳ１７０またはステップＳ１７３で、再プレー用貯玉数が登録されると、ＩＤに基づいて管理装置１３の再プレーＦＬＧを１に書き換え、再プレー可能な状態にする（ステップＳ１７４）。
【０１３２】
また、上記式（１）、（２）、（３）はパチンコ台を対象としたものであるが、スロットマシンのを対象とする場合、２５００玉に代えて１万円分の５００メダルとすることができる。再プレー受付機１２に切替ボタンなどを設け、その切替ボタンで、パチンコ台およびスロットマシンのどちらの再プレー受付をするかを選択できるようにすることもできる。また、それぞれ、別体式の再プレー受付機１２として設けられてもよい。
【０１３３】
ここで、再プレー受付機１２における処理は、上記処理に限るものではない。例えば、再プレー用貯玉を、再プレー受付機１２の端玉／端メダル受取口１２ｆに排出させてもよい。また、再プレー受付機１２は単独で構成されるものに限らず、例えば、台間機３、４、６に併設されてもよい。この場合、台間機３、４、６には、暗証番号入力用テンキーボードなどがさらに設けられる。
【０１３４】
ここでは、上記したように、会員用ＩＣカード３０を有する遊技者に限って、再プレーを行えるシステムの一例を示したが、非会員用ＩＣカード３１を有する遊技者に対しても再プレーを行えるシステムとしてもよい。
【０１３５】
（台間機３、４、６）
次に、台間機３、４、６について、図９に示された台間機３、４、６の平面図および図１を参照して説明する。
【０１３６】
図９には、３種類の台間機３、４、６を正面から見た図が示されており、（ａ）の台間機３（ユニット）および（ｂ）の台間機４（サンド）はパチンコ用であり、（ｃ）の台間機６（台間メダル貸し機）はスロットマシン用である。
【０１３７】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。一方、台間機４（サンド）は、パチンコ機２と情報通信ができないので、パチンコ玉は、サンドのノズルよりパチンコ機２の上皿へ供給される。
【０１３８】
また、台間機６（台間メダル貸し機）は、台間機４（サンド）と同様に遊技機と情報通信ができないので、メダルは、台間機６（台間メダル貸し機）のメダル払出口に供給され、遊技者によってスロットマシン機５に移動される。なお、台間機６（台間メダル貸し機）のメダル払出口にノズルを取り付け、自動的にメダルがスロットマシン機５のメダル払出口に供給されるようにしてもよい。
【０１３９】
また、各台間機３、４、６には、カード挿入口３ａ、４ａ、６ａ、貸玉ボタン３ｂ、４ｂ（遊技機に貸玉ボタンを有しているので台間機３（ユニット）にはない場合もある。）、再プレー用貸玉ボタン３ｃ、４ｃ、貸メダルボタン６ｂ、再プレー用貸メダルボタン６ｃ、返却ボタン３ｄ、４ｄ、６ｄ、表示部３ｅ、４ｅ、６ｅ、ランプ３ｆ、４ｆ、６ｆ、カード回収部３ｇ、４ｇ、６ｇなどが設けられている。
【０１４０】
カード挿入口３ａ、４ａ、６ａは、台間機３、４、６への会員用ＩＣカード３０または非会員用ＩＣカード３１の挿入または排出を行なうところである。
【０１４１】
会員用ＩＣカード３０または非会員用ＩＣカード３１がカード挿入口３ａ、４ａ、６ａから挿入されると、会員用ＩＣカード３０または非会員用ＩＣカード３１は、カード処理部として機能するリーダライタ部に搬送され、会員用ＩＣカード３０または非会員用ＩＣカード３１のＩＤなどの情報が読み取られる。
【０１４２】
ここで、１枚の会員用ＩＣカード３０または非会員用ＩＣカード３１がカード挿入口３ａ、４ａ、６ａから挿入されると、例えば、ソレノイドなどの機械的手段によって、カード挿入口３ａ、４ａ、６ａが封鎖されるので、他の会員用ＩＣカード３０または非会員用ＩＣカード３１を挿入することはできなくなる。これによって、複数の会員用ＩＣカード３０または非会員用ＩＣカード３１がカード挿入口３ａ、４ａ、６ａに挿入されることで生じるカード詰りなどを防止することができる。また、ソレノイドなどの機械的手段を用いずに、他の方法でカード詰りなどを防止してもよい。
【０１４３】
貸玉ボタン３ｂ、４ｂは、遊技者がパチンコ玉の貸し出しを要求するときに、押されるボタンである。例えば、貸玉ボタン３ｂ、４ｂが１回押されると５００円分のパチンコ玉が貸し出しされる。なお、パチンコ玉の貸し出しは、５００円単位で行われる。
【０１４４】
貸メダルボタン６ｂは、遊技者がメダルの貸し出しを要求するときに押されるボタンである。例えば、貸メダルボタン６ｂが１回押されると１０００円分のメダルが貸し出しされる。なお、メダルの貸し出しは、１０００円単位で行われる。 再プレー用貸玉ボタン３ｃ、４ｃおよび再プレー用貸メダルボタン６ｃは、再プレー受付機１２において再プレー手続が行われた会員用ＩＣカード使用時にのみ利用され、再プレー用に利用することができるパチンコ玉またはメダルを貸し出しするときに押される。
【０１４５】
表示部３ｅ、４ｅ、６ｅは、例えば、度数などを表示する。これによって、度数を確認でき、入金のタイミングを図ることができる。また、表示部３ｅ、４ｅ、６ｅには、度数以外の情報を表示してもよい。
【０１４６】
ランプ３ｆ、４ｆ、６ｆは、遊技している遊技者が、会員または非会員なのかを視覚的に識別するためのもので、例えば、会員の場合は赤色、非会員の場合は青色が発光する。
【０１４７】
カード回収部３ｇ、４ｇ、６ｇは、後述する会員カード処理部および非会員カード処理部として機能するカード処理機２００の非会員用カードを貯留するカード貯留部において、非会員用カードの貯留限度量に達した場合に、非会員用カードを回収するものである。カード回収部３ｇ、４ｇ、６ｇに回収された非会員用カードは、従業員などによって、例えば、営業終了後などに回収される。
【０１４８】
また、２台の台間機３、４、６に対し１台の割合で、台間機３、４、６の上部の固定されたランプ板部に、貯留機構付き紙幣識別装置１９が設置されている。この貯留機構付き紙幣識別装置１９は、４種類の紙幣に対応できるコンパクトサイズの紙幣識別機であり、台間機３、４、６および島コンピュータ７と情報通信ができるように接続されている。また、貯留機構付き紙幣識別装置１９は、２台のパチンコ機２またはスロットマシン機５に対して１台の割合で設けられているため、貯留機構付き紙幣識別装置１９の紙幣挿入口１９ａに入金されたときには、２台のパチンコ機２またはスロットマシン機５の内どちらのパチンコ機２またはスロットマシン機５への入金かを判定する必要がある。そこで、貯留機構付き紙幣識別装置１９に２個の遊技機指定ボタン１９ｂを設け、入金された側の遊技機指定ボタン１９ｂを押すことによって、入金された側のパチンコ機２またはスロットマシン機５の指定を行う。また、図１０に示した（ａ）の台間機３（ユニット）の一例のように、貯留機構付き紙幣識別装置１９の機能は、台間機３、４、６の本体に一体的に構成することもできる。
【０１４９】
（カード処理機２００の第１の実施の形態）
次に、カード挿入口３ａ、４ａ、６ａから挿入された会員用ＩＣカード３０または非会員用ＩＣカード３１の処理を行うカード処理機２００の第１の実施の形態を図１１乃至２７を参照して説明する。
【０１５０】
図１１は、カード処理機２００の斜視図を示す。また、図１２は、図１１のカード処理機２００のＡ−Ａ断面図、図１３は、図１１のカード処理機２００のＢ−Ｂ断面図を示す。
【０１５１】
カード処理機２００は、カード処理機本体２０１ａ、カード処理機開壁部２０１ｂ、カード挿入口２０２、リーダライタ部２０３、カード貯留部２０４、カード取込上部２０５、カード取込下部２０６、挿入検知センサ２０８、位置セット検知センサ２０９、落下検知センサ２１０、搬送ベルト２１４、搬送タイヤ２１５から主に構成されている。
【０１５２】
リーダライタ部２０３は、ＩＣ部２０３ａ、アンテナ部２０３ｂから構成される。リーダライタ部２０３では、挿入された会員用ＩＣカード３０または非会員用ＩＣカード３１からの情報の読み取りや、会員用ＩＣカード３０または非会員用ＩＣカード３１への情報の書き込みが行われる。また、リーダライタ部２０３は、カード処理機開壁部２０１ｂの外壁側に設置され、会員用ＩＣカード３０または非会員用ＩＣカード３１とカード処理機開壁部２０１ｂの壁部を介して情報の送受信を行っている。
【０１５３】
なお、リーダライタ部２０３で読み取り、書き込み、または、読み取りおよび書き込みがの不可能な会員用ＩＣカード３０または非会員用ＩＣカード３１が挿入された場合には、その会員用ＩＣカード３０または非会員用ＩＣカード３１は、カード挿入口２０２から返却（カード挿入口２０２へ返送）される。
【０１５４】
搬送ベルト２１４は、リーダライタ部２０３に対向して、カード処理機本体２０１ａに設けられた開口部に配置され、図２２のカード処理機２００のＤ−Ｄ断面図に示すように、回転軸２３７によって伝達された搬送ステップモータ２３６の回転によって、搬送ベルト２１４は動作する。搬送ベルト２１４の動作によって、カード挿入口２０２から挿入された会員用ＩＣカード３０または非会員用ＩＣカード３１は、所定の位置まで搬送される。
【０１５５】
カード貯留部２０４は、度数残高がゼロになった非会員用ＩＣカード３１を貯留する部分である。また、会員用ＩＣカード３０または非会員用ＩＣカード３１がカード挿入口２０２に挿入されずに、貨幣が台間機に挿入され、遊技終了後に度数残高がある場合には、その度数残高およびＩＤを記憶させて発券するための非会員用ＩＣカード３１がカード貯留部２０４から取り出される。カード貯留部２０４は、カード処理機開壁部２０１ｂのカード通路側の壁に、非会員用ＩＣカード３１の縦横のサイズよりも大きな縦横サイズの凹部を形成することによって構成される。
【０１５６】
図２１に示したカード処理機２００のＣ−Ｃ断面図に示されているように、カード貯留部２０４の凹部には、凹部に一端が固定され、他端がカード支持板２０７に固定されたばね２３０が設けられている。また、カード貯留部２０４の凹部には、限界検知部２３１が設置されている。この限界検知部２３１は、カード貯留部２０４が貯留できる非会員用ＩＣカード３１の許容貯留量に達したときに検知するものである。限界検知部２３１には、例えば、光学的センサや接触により検知するスイッチなどが用いられる。
【０１５７】
カード取込上部２０５およびカード取込下部２０６は、カード貯留部２０４に非会員用ＩＣカード３１を取り込むときに、非会員用ＩＣカード３１をカード貯留部２０４に押し込む動作をするものである。また、カード取込上部２０５およびカード取込下部２０６は、カード貯留部２０４から非会員用ＩＣカード３１を取り出す動作をするものである。これらの動作については後述する。
【０１５８】
また、カード取込上部２０５およびカード取込下部２０６は、カード支持板２０７によって押圧される非会員用ＩＣカード３１を、その押圧される側と対向する側から支え、非会員用ＩＣカード３１がカード貯留部２０４から放出されるのを防いでいる。
【０１５９】
挿入検知センサ２０８、位置セット検知センサ２０９および落下検知センサ２１０は、例えば、光学的センサで構成される。各検知センサは、２つの対になるセンサで構成され、２つの対になるセンサは、カード通路を挟んで対向するように配置されている。ここで、２つの対になるセンサの一方は発光部、他方は受光部で構成されている。
【０１６０】
挿入検知センサ２０８は、会員用ＩＣカード３０または非会員用ＩＣカード３１が、カード挿入口２０２に挿入されたことを検知するセンサである。位置セット検知センサ２０９は、会員用ＩＣカード３０または非会員用ＩＣカード３１が、リーダライタ部２０３との情報のやり取り（交信）を行える位置（リードライト位置）にあるか否かを検知するセンサである。また、位置セット検知センサ２０９は、非会員用ＩＣカード３１をカード貯留部２０４に貯留する際に、非会員用ＩＣカード３１が所定の位置に搬送されたか否かを検知するセンサとしても用いられる。落下検知センサ２１０は、非会員用ＩＣカード３１をカード回収部２１６に回収する際に、カード処理機２００からカード回収部２１６に向けて落下されたか否かを検知するセンサとして用いられる。
【０１６１】
また、図１２に示すように、カード処理機本体２０１ａの内壁には、カード種区別部材２１８が設置されている。カード種区別部材２１８は、会員用ＩＣカード３０および非会員用ＩＣカード３１をそれぞれの縦横の長さまたは厚さなどのカードサイズから区別するものである。
【０１６２】
例えば、カードの縦方向（搬送方向と垂直な方向）の長さによって区別する場合には、カード種区別部材２１８の重力方向（図１２では下方向）の長さを調整して、非会員用ＩＣカード３１のみが通過できるようにする。また、カードの厚さによって区別する場合には、カード種区別部材２１８の幅方向（カード通路の幅方向）の長さを調整して、非会員用ＩＣカード３１のみが通過できるようにする。このカード種区別部材２１８を設けることで、会員用ＩＣカード３０よりカードサイズの小さい非会員用ＩＣカード３１のみをカード貯留部２０４に貯留可能な位置に移動することができ、会員用ＩＣカード３０が、カード貯留部２０４に誤って貯留されるのを防止することができる。
【０１６３】
搬送タイヤ２１５は、図２１に示すように、カード貯留部２０４に対向するカード処理機本体２０１ａに設けられた開口部に配置され、回転軸（図示しない）を介して伝えられた搬送ステップモータ２３６と隣接するステップモータ（図示しない）の駆動力によって回転させられる。
【０１６４】
また、連結棒２３２を介して連結されたソレノイド２３３とリンク２３５を用いて、搬送タイヤ２１５の回転軸（図示しない）を非会員用ＩＣカード３１面に対して垂直方向に作動させる。つまり、ソレノイド２３３を一方に突出させると、搬送タイヤ２１５は、非会員用ＩＣカード３１面から離れる方向に動作し、ソレノイド２３３を他方に突出させると、搬送タイヤ２１５は、非会員用ＩＣカード３１面を押圧する方向に動作する。この搬送タイヤ２１５は、非会員用ＩＣカード３１をカード回収部２１６と連通したカード排出部２１７に導く場合に作動する。このように、搬送タイヤ２１５を設けることで、スムーズに非会員用ＩＣカード３１をカード排出部２１７に導くことができる。        
【０１６５】
次に、カード挿入口２０２から挿入された会員用ＩＣカード３０または非会員用ＩＣカード３１の搬送動作を図１４乃至２０を参照して説明する。
【０１６６】
挿入検知センサ２０８が、カード挿入口２０２から会員用ＩＣカード３０または非会員用ＩＣカード３１が挿入されたことを検知すると、搬送ステップモータ２３６を駆動し、搬送ベルト２１４を作動させる（図１４）。
【０１６７】
会員用ＩＣカード３０または非会員用ＩＣカード３１は、搬送ベルト２１４によって、リーダライタ部２０３との情報のやり取り（交信）を行える位置（リードライト位置）まで搬送される。そして、その位置に会員用ＩＣカード３０または非会員用ＩＣカード３１が搬送されたことが、位置セット検知センサ２０９によって検知されると、搬送ベルト２１４の動作を停止させる（図１５）。
【０１６８】
会員用ＩＣカード３０または非会員用ＩＣカード３１の情報が、リーダライタ部２０３で読み取られる。会員用ＩＣカード３０が用いられた場合には、遊技終了後、台間機３、４、６の返却ボタン３ｄ、４ｄ、６ｄが押されると、最新の情報がリーダライタ部２０３によって会員用ＩＣカード３０に書き込まれ、カード挿入口２０２から返却（カード挿入口２０２へ返送）される。なお、会員用ＩＣカード３０が用いられた場合には、度数残高がゼロでもカード挿入口２０２から返却（カード挿入口２０２へ返送）される（図１６）。
【０１６９】
非会員用ＩＣカード３１が用いられた場合には、遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図１６）。
【０１７０】
一方、度数残高がゼロのときには、搬送ベルト２１４を再度作動し、非会員用ＩＣカード３１は、カード貯留部２０４に対向する位置まで搬送される（図１７）。  
【０１７１】
ここで、カード貯留部２０４の限界検知部２３１によって検知されずに、非会員用ＩＣカード３１の貯留量に余裕があれば、非会員用ＩＣカード３１は、カード貯留部２０４に貯留される。
【０１７２】
一方、カード貯留部２０４の限界検知部２３１によって貯留限界量に達したことが検知された場合には、搬送タイヤ２１５を回転させ、非会員用ＩＣカード３１をカード排出部２１７に導く（図１８）。カード排出部２１７に導かれた非会員用ＩＣカード３１は、カード回収部２１６に落下し、カード回収部２１６に回収される（図１８）。落下検知センサ２１０は、非会員用ＩＣカード３１が、カード排出部２１７を通過したことを検知し、その通過後、搬送タイヤ２１５の回転が停止させる。
【０１７３】
ここで、搬送タイヤ２１５を回転させ、非会員用ＩＣカード３１をカード排出部２１７に導くときに、非会員用ＩＣカード３１が、搬送ベルト２１４で押圧されていると搬送の障害になるので、図２３に示した機構を備えることが好ましい。
【０１７４】
図２３に示した機構は、搬送ベルト２１４に動力を与える２つの回転軸２３７のうち、カード貯留部２０４側に位置する回転軸２３７とその回転軸２３７の面しているカード処理機本体２０１の外壁との間に、三角ヘッド部材２３９が配置されている。三角ヘッド部材２３９は、ソレノイド２４０と接続され、三角ヘッド部材２３９の勾配面が回転軸２３７に接触し、三角ヘッド部材２３９が回転軸２３７に対して垂直に移動可能に設置されている。
【０１７５】
非会員用ＩＣカード３１をカード排出部２１７に導くときに、ソレノイド２４０を駆動し、図２３の（ａ）のＥ−Ｅ方向からの平面図である図１７の（ｂ）に示すように、三角ヘッド部材２３９を右側へ移動させる。この三角ヘッド部材２３９の移動によって、回転軸２３７は、カード処理機本体２０１の外壁から離れる方向（図１７の（ｂ）では上方）に移動するので、非会員用ＩＣカード３１は、搬送ベルト２１４によって押圧されなくなる。これによって、搬送タイヤ２１５の回転の動力を効率よく非会員用ＩＣカード３１に伝えることができ、非会員用ＩＣカード３１をカード排出部２１７にスムーズに導くことができる。
【０１７６】
また、図２３に示した機構を、搬送タイヤ２１５の回転軸（図示しない）に設けることもできる。これによって、搬送タイヤ２１５が非会員用ＩＣカード３１に与える押圧力を調節することができる。
【０１７７】
なお、上述した会員用ＩＣカード３０または非会員用ＩＣカード３１の搬送動作は、会員用ＩＣカード３０または非会員用ＩＣカード３１がカード挿入口２０２から挿入された場合である。
【０１７８】
次に、会員用ＩＣカード３０または非会員用ＩＣカード３１がカード挿入口２０２に挿入されずに、貨幣が貯留機構付き紙幣識別装置１９に挿入された場合について説明する。
【０１７９】
会員用ＩＣカード３０または非会員用ＩＣカード３１がカード挿入口２０２に挿入されずに、貨幣が貯留機構付き紙幣識別装置１９に挿入されると、カード貯留部２０４から貯留されている非会員用ＩＣカード３１は、カード取込上部２０５およびカード取込下部２０６を回転させることによって、カード取込下部２０６上に取り出される（図１９）。そして、搬送ステップモータ２３６を駆動し、搬送ベルト２１４を作動させ、非会員用ＩＣカード３１が、リーダライタ部２０３との情報のやり取り（交信）を行える位置（リードライト位置）まで搬送される（図２０および図１５）。
【０１８０】
遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図１６）。
【０１８１】
一方、度数残高がゼロのときには、搬送ベルト２１４を再度作動し、非会員用ＩＣカード３１は、カード貯留部２０４に対向する位置まで搬送される（図１７）。  そして、再度、非会員用ＩＣカード３１は、カード貯留部２０４に貯留される。
【０１８２】
なお、ここでは、会員用ＩＣカード３０または非会員用ＩＣカード３１がカード挿入口２０２に挿入されずに、貨幣が貯留機構付き紙幣識別装置１９に挿入された場合に、貨幣が貯留機構付き紙幣識別装置１９に挿入されたのち直ちに、カード貯留部２０４から非会員用ＩＣカード３１が取り出される例を示したが、カード貯留部２０４からの非会員用ＩＣカード３１の取り出しは、遊技終了後、台間機３、４、６の返却ボタン３ｄ、４ｄ、６ｄが押され、度数残高を有することが確認されてから行われてもよい。
【０１８３】
次に、上述した非会員用ＩＣカード３１のカード貯留部２０４への貯留動作、カード貯留部２０４からの取出動作およびカード排出部２１７への誘導動作を図２４乃至２７を参照して説明する。
【０１８４】
図２４は、カード取込上部２０５およびカード取込下部２０６に挟持された非会員用ＩＣカード３１の斜視図を示す。
【０１８５】
カード取込上部２０５は、上部フック２５０、上部フック軸２５１から構成されている。上部フック軸２５１には、伝達ギヤ２５２を介してステップモータ２５３の動力が伝達される。
【０１８６】
図２１および２５に示すように、カード取込上部２０５は、カード処理機開壁部２０１ｂにおける内壁２５９面とカード貯留部２０４の溝とで形成される４つの境界部のうち、非会員用ＩＣカード３１の挿入方向に沿う上部の境界部２６０に沿って配置される。また、カード取込上部２０５の上部フック軸２５１が取り付けられる境界部２６０は、図２５（ａ）に示すように、カード貯留部２０４に貯留された非会員用ＩＣカード３１の上部端面とは所定の距離を有している。
【０１８７】
カード取込下部２０６は、下部フック２５４、下部フラップ２５５、下部フック軸２５６、下部フラップ軸２５７から構成されている。
【０１８８】
下部フック軸２５６には、伝達ギヤ２５２を介してステップモータ２５３の動力が伝達される。下部フラップ軸２５７には、伝達ギヤ２５２を介してステップモータ２５８の動力が伝達される。なお、カード取込下部２０６は、下部フック軸２５６および下部フラップ軸２５７の２つの回転軸を有し、下部フック軸２５６、下部フラップ軸２５７のそれぞれを別個に制御することができる。また、下部フック２５４と下部フラップ２５５は、それぞれ衝突することなく回転することができる。さらに、下部フック軸２５６は、上部フック軸２５１とは逆回転する。
【０１８９】
また、カード取込下部２０６は、カード処理機開壁部２０１ｂにおける内壁２５９面とカード貯留部２０４の溝とで形成される４つの境界部のうち、非会員用ＩＣカード３１の挿入方向に沿う下部の境界部２６１に沿って配置される。
【０１９０】
まず、非会員用ＩＣカード３１のカード貯留部２０４への貯留動作について、図２５を参照して説明する。なお、図２５は、カード挿入口２０２側から見た状態を示している。
【０１９１】
搬送ベルト２１４によって、カード貯留部２０４に対向する位置まで搬送された非会員用ＩＣカード３１は、下部フック２５４上に位置される（図２５の（ａ））。そして、下部フック２５４は右回りに、上部フック２５０は左回りに回転する（図２５の（ｂ））。このときに、上部フック２５０は、下部フック２５４と回転の位相がずれており、下部フック２５４が図２５（ａ）の位置の水平状態から右回りに動き始める場合、上部フック２５０は図２５（ａ）の位置の垂直状態から左回りに動き始める。
【０１９２】
また、上部フック２５０は、下部フック２５４より動作開始の回転角度が遅い分、下部フック２５４より回転速度が速く設定されている。これによって、非会員用ＩＣカード３１を上部フック２５０と下部フック２５４間に挟持することができる。なお、上部フック２５０と下部フック２５４の速さの差異は、例えば、下部フック２５４が１８０°回転する間に、上部フック２５０が２７０°回転する程度である。
【０１９３】
非会員用ＩＣカード３１は、その底部の下部フック２５４との接触部と、下部フック２５４の表面の摩擦力によって保持され、非会員用ＩＣカード３１は下部フック２５４の動きに伴い、上方に持ち上げられる（図２５の（ｃ））。一方、左回りに回転する上部フック２５０は、非会員用ＩＣカード３１の上部の左側の側面を押圧し始める（図２５の（ｃ））。
【０１９４】
なお、非会員用ＩＣカード３１の上端部位置と上部フック２５０の回転軸の間に隙間を持たせて、非会員用ＩＣカード３１が上方に移動する際、非会員用ＩＣカード３１の上端部が、上部フック２５０の一部または上部フック軸２５１に接触しないように移動可能な隙間を持たせている（図２５の（ｃ））。また、非会員用ＩＣカード３１の上端部とカード貯留部２０４の上部壁面の間に隙間を持たせて、非会員用ＩＣカード３１が上方に移動する際、非会員用ＩＣカード３１の上端部がカード貯留部２０４の上部壁面に接触しないように移動可能な隙間を持たせている（図２５の（ｃ））。
【０１９５】
下部フック２５４は、さらに右回りに回転し、非会員用ＩＣカード３１の底部をカード貯留部２０４内に移動させる（図２５の（ｄ））。非会員用ＩＣカード３１の上部は、引き続き上部フック２５０によって、右方向に押圧され、カード貯留部２０４内に押し込まれる（図２５の（ｄ））。
【０１９６】
上部フック２５０および下部フック２５４は、それぞれの回転方向にさらに回転し、双方によって非会員用ＩＣカード３１をカード貯留部２０４内に押圧する位置で停止する（図２５の（ｅ））。また、下部フラップ２５５は、新たに非会員用ＩＣカード３１の受け入れができるように、右回りに回転され、カード処理機開壁部２０１ｂの内壁２５９に対してほぼ垂直になる位置で停止する。なお、上部フック２５０および下部フック２５４は、図２５の（ｅ）に示された状態で常時待機する。
【０１９７】
ここで、下部フック２５４の非会員用ＩＣカード３１との接触面は、例えば、ゴムのような摩擦係数の大きな物質で構成されることが好ましい。下部フック２５４の非会員用ＩＣカード３１との接触面を摩擦係数の大きな物質で構成することによって、非会員用ＩＣカード３１をカード貯留部２０４側に移動中に、非会員用ＩＣカード３１が下部フック２５４からすべり落ちることを抑制することができる。
【０１９８】
次に、非会員用ＩＣカード３１のカード貯留部２０４からの取出動作について、図２６を参照して説明する。なお、図２６は、カード挿入口２０２側から見た状態を示している。
【０１９９】
上部フック２５０および下部フック２５４は、図２０の（ａ）に示された待機状態の位置から、上部フック２５０は右回りに、下部フック２５４は左回りに回転する（図２６の（ａ））。また、下部フラップ２５５は、左回りに回転し、内壁２５９に接触してその回転を停止する（図２６の（ａ））。
【０２００】
さらに、上部フック２５０および下部フック２５４は、それぞれの回転方向に回転する（図２６の（ｂ））。この際、非会員用ＩＣカード３１には、カード貯留部２０４に設けられたばね２３０による押圧力が、カード支持板２０７を介してカード貯留部２０４の出口方向に与えられている。一方、上部フック２５０および下部フック２５４は、非会員用ＩＣカード３１にかかる押圧力を支えながら回転している（図２６の（ｂ）および（ｃ））。
【０２０１】
上部フック２５０および下部フック２５４が、カード処理機開壁部２０１ｂの内壁２５９に対してほぼ垂直な位置で停止すると、非会員用ＩＣカード３１は、カード貯留部２０４から上部フック２５０および下部フック２５４間に移動される（図２６の（ｄ））。そして、ばね２３０による押圧力がかかる非会員用ＩＣカード３１の面と対向する面の一部が、搬送ベルト２１４に接触する。次に、搬送ステップモータ２３６が駆動され、搬送ベルト２１４が動作されて、１枚の非会員用ＩＣカード３１が搬送ベルト２１４によって、リーダライタ部２０３との情報のやり取り（交信）を行える位置（リードライト位置）まで搬送される。
【０２０２】
次に、非会員用ＩＣカード３１のカード排出部２１７への誘導動作について、図２７を参照して説明する。なお、図２７は、カード挿入口２０２側から見た状態を示している。
【０２０３】
図２５の（ｅ）に示した待機状態において、非会員用ＩＣカード３１が挿入され、カード貯留部２０４に対向する位置に搬送された状態が図２７の（ａ）に示された状態である。この状態で、台間機３、４、６の返却ボタン３ｄ、４ｄ、６ｄが押され、カード貯留部２０４の限界検知部２３１によって貯留限界量に達していることが検知された場合には、下部フラップ２５５は、左回りに回転し、カード処理機開壁部２０１ｂの内壁２５９に接触してその回転を停止する（図２７の（ｂ））。また、この場合には、内壁２５９に下部フラップ２５５を収納する凹部を設け、下部フラップ２５５を収納する構造にしてもよい。
【０２０４】
そして、下部フラップ２５５の支えがなくなった非会員用ＩＣカード３１は、重力と搬送タイヤ２１５の回転によって加えられる下方向の力によって落下し、カード排出部２１７を通過してカード回収部２１６に回収される。また、非会員用ＩＣカード３１がカード排出部２１７に搬送される際、前述したように、図２３に示すソレノイド２４０を駆動し、搬送ベルト２１４による非会員用ＩＣカード３１への押圧力は取り除かれる。
【０２０５】
また、図２７の（ａ）に示された状態で、台間機３、４、６の返却ボタン３ｄ、４ｄ、６ｄが押されたときに、カード貯留部２０４に非会員用ＩＣカード３１の貯留が可能な場合には、その非会員用ＩＣカード３１は、カード貯留部２０４に貯留される。この場合、上部フック２５０は、図２７の（ａ）に示された状態から左回りに回転し、カード貯留部２０４の側壁部に設けられた上部フック２５０の通過溝（図示しない）を通過し、後から挿入された非会員用ＩＣカード３１の左側の面をカード貯留部２０４側に押圧する。
【０２０６】
また、下部フック２５４は、図２７の（ａ）に示された状態から右回りに回転し、カード貯留部２０４の側壁部に設けられた下部フック２５４の通過溝（図示しない）を通過し、後から挿入された非会員用ＩＣカード３１の底面を支える。そして、図２５を参照して説明した非会員用ＩＣカード３１のカード貯留部２０４への貯留動作によって、後から挿入された非会員用ＩＣカード３１は、カード貯留部２０４に貯留される。
【０２０７】
ここで、下部フラップ２５５は、図２４に示される構成に限らず、例えば、図２８に示すように、ソレノイド２７０を用い、新たに非会員用ＩＣカード３１がカード挿入口２０２から挿入されると、ソレノイド２７０が起動し、落下防止板２７１を突出させる構成にすることもできる。
【０２０８】
第１の実施の形態に係るカード処理機においては、ＩＣカード３１は、その厚さ方向が重力方向に対して垂直になる姿勢で、挿入、搬送、およびカード貯留部２０４内に積層されて貯留される。従って、本カード処理機は、幅狭に形成することができ、例えば４ｃｍ幅のパチンコ台間等の、幅狭な空間にも好適に設置することが可能となる。
【０２０９】
さらに、本カード処理機は、カード回収部２１６が、カード搬送分岐部よりも重力方向の下方部に備えられている。従って、ＩＣカード３１をカード回収部２１６に搬送する場合、ＩＣカード３１を重力に抗して搬送するようなリフトアップ装置が不要であり、装置を小型化できる。そして更に、ＩＣカード３１を垂直にカード処理して、カード貯留部２０４が満杯でなければそのままカード貯留部２０４に再発行可能に貯留し、満杯であれば、そのままの姿勢を維持して重力作用を利用して回収することができるため、必要なカード搬送機構を必要最小限にすることができる。このため装置を小型にすることができる。
【０２１０】
（台間機３、４、６の動作）
次に、図２９および３０を参照して、台間機３、４、６の動作について説明する。各台間機３、４、６における基本的な動作は同じであるので、ここでは、一例として台間機３（ユニット）における動作について説明する。図２９は台間機３、４、６の構成部を示す図、図３０は台間機３、４、６における動作の流れを示す図である。
【０２１１】
また、ここでは、会員用ＩＣカード３０または非会員用ＩＣカード３１は、ＩＤだけを有し、その他の情報は管理装置１３において管理されるシステムにおける動作の説明をする。さらに、この説明では、会員用ＩＣカード３０を利用する場合には、再プレー受付機１２で再プレー受付された後においては、再プレーＦＬＧが１、再プレーに利用可能な玉数を再プレー用貯玉数として管理装置１３が有しているシステムであることを前提とする。
【０２１２】
図２９に示すように、台間機３は、制御部３００、カード処理部３０１、カード貯留処理部３０２、カード位置検知部３０３、選択ボタン検知部３０４、貨幣識別部３０５から構成されている。
【０２１３】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部３００では、カード処理部３０１、カード貯留処理部３０２、カード位置検知部３０３、選択ボタン検知部３０４、貨幣識別部３０５の各機部間の信号の出入力、および、島コンピュータ７、ネットワーク８を介して管理装置１３との間の信号の出入力を制御している。ここで、島コンピュータ７は、パチンコ機２、スロットマシン機５および台間機３、４、６と、ネットワーク８との間の情報の通信を行うもので、データロガなどで構成されている。
【０２１４】
カード処理部３０１は、カード挿入口３ａから挿入された会員用ＩＣカード３０または非会員用ＩＣカード３１に記憶された、例えば、ＩＤやそのＩＤで管理されている有価情報などの読み取り、その読み取った情報の制御部３００への出力、制御部３００からの更新された有価情報などの会員用ＩＣカード３０または非会員用ＩＣカード３１への書き込みなどを行うもので、例えば、リーダライタなどで構成される。
【０２１５】
カード貯留処理部３０２は、非会員用ＩＣカード３１のカード貯留部２０４への貯留、カード貯留部２０４からの取り出しまたはカード回収部２１６への搬送を行うもので、前述したカード取込上部２０５およびカード取込下部２０６などで構成される。また、カード貯留処理部３０２は、カード貯留部２０４が貯留できる非会員用ＩＣカード３１の貯留限界量に達したか否かを判定する機能も有するものである。
【０２１６】
カード位置検知部３０３は、会員用ＩＣカード３０または非会員用ＩＣカード３１の搬送が、適切に行われたか否かを検知するもので、前述した、挿入検知センサ２０８、位置セット検知センサ２０９、落下検知センサ２１０などで構成される。
【０２１７】
選択ボタン検知部３０４は、貸玉ボタン３ｂ、再プレー用貸玉ボタン３ｃ、返却ボタン３ｄが押されたことを検知し、その押された信号に基づいて、制御部３００に信号を出力するものである。
【０２１８】
貨幣識別部３０５は、貯留機構付き紙幣識別装置１９からの信号に基づき４種類の紙幣を識別し、識別した紙幣の情報を制御部３００に出力するものである。ここでは、貨幣識別部３０５は、台間機３に一体的に構成されている。
【０２１９】
そして、制御部３００によって制御される、カード処理部３０１、カード貯留処理部３０２、カード位置検知部３０３、選択ボタン検知部３０４、貨幣識別部３０５の各機器部は、次のように動作する。
【０２２０】
以下に、図３０を参照して動作を説明する。
【０２２１】
制御部３００は、会員用ＩＣカード３０、非会員用ＩＣカード３１または紙幣を受け入れるまで待機状態にある。貨幣識別部３０５は、紙幣の受け入れがされたか否かを判定する（ステップＳ３１０）。
【０２２２】
ステップＳ３１０の判定で、Ｙｅｓの場合、貨幣識別部３０５は、紙幣の入金額に対応する度数を制御部３００に出力する。カード処理部３０１またはカード位置検知部３０３は常に会員用ＩＣカード３０または非会員用ＩＣカード３１が挿入されたか否かを判定している。そして、カード処理部３０１またはカード位置検知部３０３によって、会員用ＩＣカード３０または非会員用ＩＣカード３１がカード処理部３０１に挿入されていることが判定された場合、カード処理部３０１で会員用ＩＣカード３０または非会員用ＩＣカード３１のＩＤが読み取られる。制御部３００に出力される。制御部３００は、貨幣識別部３０５からの紙幣の入金額に対応する度数とカード処理部３０１からのＩＤの情報を島コンピュータ７、ネットワーク８を介して管理装置１３に送信する（ステップＳ３１１）。管理装置１３に送信された情報は、管理装置１３に記録される（ステップＳ３１１）。ここで挿入された会員用ＩＣカード３０または非会員用ＩＣカード３１が読み取りまたは書き込みが不可能な場合は、カード処理部３０１は、会員用ＩＣカード３０または非会員用ＩＣカード３１を返却する。
【０２２３】
一方、カード処理部３０１またはカード位置検知部３０３によって、会員用ＩＣカード３０または非会員用ＩＣカード３１がカード処理部３０１に挿入されていないと判定された場合、前述した非会員用ＩＣカード３１のカード貯留部２０４からの取出動作（図２６）で説明したように、カード貯留処理部３０２によって、カード貯留部２０４から非会員用ＩＣカード３１が取り出される。そして、取り出された非会員用ＩＣカード３１は、カード処理部３０１に搬送される（ステップＳ３１２）。
【０２２４】
そして、カード処理部３０１に搬送された非会員用ＩＣカード３１は、カード処理部３０１によってＩＤが与えられる（ステップＳ３１２）。制御部３００は、そのＩＤおよび紙幣の入金額に対応する度数を管理装置１３に出力する（ステップＳ３１２）。管理装置１３は、その情報をＩＤに基づいて記録する（ステップＳ３１２）。そして、ステップＳ３１８へ進む。
【０２２５】
ステップＳ３１０の判定で、Ｎｏの場合には、カード位置検知部３０３によって、会員用ＩＣカード３０または非会員用ＩＣカード３１が挿入されているか否かが判定される（ステップＳ３１３）。
【０２２６】
ステップＳ３１３の判定で、Ｎｏの場合には、制御部３００は待機状態となる。ステップＳ３１３の判定で、Ｙｅｓの場合には、カード処理部３０１によって、会員用ＩＣカード３０または非会員用ＩＣカード３１の情報の読み取りおよび書き込みが可能か否かが判定される（ステップＳ３１４）。
【０２２７】
ステップＳ３１４の判定で、Ｙｅｓの場合には、制御部３００は、カード処理部３０１に会員用ＩＣカード３０または非会員用ＩＣカード３１を返却する情報を出力する。その情報を受け取ったカード処理部３０１は、カード挿入口３ａから会員用ＩＣカード３０または非会員用ＩＣカード３１を返却（カード挿入口３ａへ返送）する。（ステップＳ３１５）。
【０２２８】
ステップＳ３１４の判定で、Ｎｏの場合には、カード位置検知部３０３によって、会員用ＩＣカード３０または非会員用ＩＣカード３１の搬送に不良があるか否かが判定される（ステップＳ３１６）。
【０２２９】
ステップＳ３１６の判定で、Ｙｅｓの場合には、制御部３００は、表示部３ｅに搬送不良が発生したことを表示させる（ステップＳ３１７）。また、制御部３００は、島コンピュータ７、ネットワーク８を介して管理装置１３に、搬送不良の情報を出力する。管理装置１３は、その搬送不良の情報に基づいて、景品管理機（ＰＯＳ）１１などに搬送不良が発生に基づく情報を出力する（ステップＳ３１７）。また、ブザー、場内放送などで搬送不良が発生したことを報知することもできる（ステップＳ３１７）。ここで、カード搬送不良の原因となるカードが取り除かれるまで待機したのちステップＳ３１８へ進む。
【０２３０】
ステップＳ３１６の判定で、Ｎｏの場合には、会員用ＩＣカード３０または非会員用ＩＣカード３１に記憶されたＩＤをカード処理部３０１で読み取る（ステップＳ３１８）。
【０２３１】
カード処理部３０１は、読み取ったＩＤを、制御部３００に出力し、さらに制御部３００はそのＩＤを管理装置１３に送信する。そして、管理装置１３は、そのＩＤで管理されている有価情報などを読み取り、読み取った情報をネットワーク８、島コンピュータ７を介して制御部３００へ送信する（ステップＳ３１８）。制御部３００は、管理装置１３から送信された情報のうち有価情報の一部を、表示部３ｅに表示する（ステップＳ３１８）。
【０２３２】
貯留機構付き紙幣識別装置１９の紙幣挿入口１９ａから入金がされたときには、貨幣識別部３０５でその入金額を判定し、その入金額の情報を制御部３００に出力する（ステップＳ３１８）。制御部３００は、その情報を島コンピュータ７、ネットワーク８を介して管理装置１３に送信する（ステップＳ３１８）。管理装置１３では、入金額の情報に基づいてＩＤ毎にその入金分の度数を度数残高に積算して書き込む（ステップＳ３１８）。
【０２３３】
選択ボタン検知部３０４で、遊技者が貸玉ボタン３ｂを選択することに基づく貸玉要求信号が入力されたか否かが判定される（ステップＳ３１９）。ステップＳ３１９の判定がＹｅｓの場合には、その貸玉要求信号が制御部３００に出力される（ステップＳ３２０）。
【０２３４】
制御部３００では、会員用ＩＣカード３０または非会員用ＩＣカード３１のＩＤに対応する度数残高を管理装置１３から読み出し、この度数残高と貸玉要求信号に相当する度数とを比較し、度数残高が貸玉要求信号に相当する度数より大きければ、その貸玉要求信号に基づく貸玉排出動作信号を制御部３００を介してパチンコ機２の制御部に送信し、所定数のパチンコ玉のパチンコ機２の上皿への貸し出しを行わせる（ステップＳ３２０）。
【０２３５】
また、制御部３００は、度数残高から貸玉要求信号に相当する度数を減算し、その減算された度数残高を管理装置１３へ送信する。管理装置１３は、その減算された度数残高に基づく情報をＩＤ毎に書き込む。（ステップＳ３２０）。さらに、会員用ＩＣカード３０が利用されている場合には、管理装置１３では、貸玉要求信号に相当する度数に応じて付与されるポイントをＩＤに基づいて加算する（ステップＳ３２１）。
【０２３６】
ステップＳ３１９の判定がＮｏの場合には、選択ボタン検知部３０４で、遊技者が再プレー用貸玉ボタン３ｃを選択することに基づく再プレー用貸玉要求信号が入力されたか否かが判定される（ステップＳ３２２）。
【０２３７】
ステップＳ３２２の判定がＹｅｓの場合には、再プレー用貸玉要求信号がＩＤに基づいて、制御部３００から管理装置１３に送信される。管理装置１３は、ＩＤに基づいて管理されている再プレーＦＬＧの値を制御部３００に出力する。  
【０２３８】
制御部３００では、管理装置１３からの再プレーＦＬＧの値を判定する（ステップＳ３２３）。再プレー受付機１２で受付されたときには、管理装置１３内の記録値である再プレーＦＬＧが１となり、受付されていないときには、再プレーＦＬＧが０となっている。
【０２３９】
ステップＳ３２３の判定において、再プレーＦＬＧが１であることが制御部３００によって判定された場合、制御部３００は、再プレー用貸玉要求信号をパチンコ機２の制御部に出力する（ステップＳ３２４）。パチンコ機２の制御部は、パチンコ機２から所定数のパチンコ玉の貸し出しを行わせる（ステップＳ３２４）。また、制御部３００は、再プレー用貸玉要求信号に相当する玉数の情報を管理装置１３に出力する。そして、管理装置１３では、再プレー用貯玉数から再プレー用貸玉要求信号に相当する玉数が減算され、減算後の再プレー用貯玉数がＩＤ毎に書き込まれる（ステップＳ３２４）。
【０２４０】
一方、ステップＳ３２３の判定において、再プレーＦＬＧが０であることが制御部３００によって判定された場合、パチンコ玉の貸し出しは行われず、ステップＳ３２７へ進む。このときには、例えば、制御部３００は、表示部３ｅに「再プレーできません。」などの表示をさせることもできる。また、ステップＳ３２２でＮｏと判定されると、ステップＳ３２５に進む。
【０２４１】
続いて、制御部３００は、管理装置１３から再プレー用貯玉数の情報を受信し、  との通信によって得た再プレー用貯玉数が０か否かを判定する（ステップＳ３２５）。ステップＳ３２５の判定において、Ｙｅｓの場合には、制御部３００は、再プレーＦＬＧの数値を０に書き換える情報を管理装置１３に出力する（ステップＳ３２６）。そして、管理装置１３では、ＩＤに基づいて再プレーＦＬＧの数値が０に書き換える（ステップＳ３２６）。
【０２４２】
ステップＳ３２５の判定において、Ｎｏの場合には、選択ボタン検知部３０４で、返却ボタン３ｄを選択することに基づく返却要求信号が入力されたか否かが判定される（ステップＳ３２７）。
【０２４３】
ステップＳ３２７の判定において、Ｎｏの場合には、選択ボタン検知部３０４は、その情報を制御部３００に出力する。そして、カード処理部３０１またはカード位置検知部３０３は、会員用ＩＣカード３０が挿入されているか否かを判定する（ステップＳ３２８）。
【０２４４】
ステップＳ３２８の判定において、Ｙｅｓの場合には、カード処理部３０１またはカード位置検知部３０３は、その情報を制御部３００に出力する。そして、制御部３００は、ランプ３ｆに赤色を点灯させ（ステップＳ３２９）、ソレノイドでカード挿入口３ａを封鎖させる（ステップＳ３３０）。
【０２４５】
一方、ステップＳ３２８の判定において、Ｎｏの場合には、カード処理部３０１またはカード位置検知部３０３は、その情報は制御部３００に出力する。
【０２４６】
続いて、カード処理部３０１またはカード位置検知部３０３は、非会員用ＩＣカード３１が挿入されているか否かを判定する（ステップＳ３３１）。
【０２４７】
ステップＳ３３１の判定において、Ｙｅｓの場合には、カード処理部３０１またはカード位置検知部３０３は、その情報を制御部３００に出力する。そして、制御部３００は、ランプ３ｆに青色を点灯させ（ステップＳ３３２）、ソレノイドでカード挿入口３ａを封鎖させる（ステップＳ３３０）。ステップＳ３３１の判定において、Ｎｏの場合には、リターンしてスタートに戻る。
【０２４８】
ステップＳ３２７の判定において、Ｙｅｓの場合には、選択ボタン検知部３０４は、その情報を制御部３００に出力する。さらに、カード処理部３０１またはカード位置検知部３０３が、非会員用ＩＣカード３１があるか否かを判定する（ステップＳ３３３）。
【０２４９】
ステップＳ３３３の判定において、Ｎｏの場合には、カード処理部３０１またはカード位置検知部３０３は、その情報を制御部３００に出力する。制御部３００は、カード処理部３０１に、カード挿入口３ａより会員用ＩＣカード３０を返却する情報を出力する。カード処理部３０１は、その情報に基づいて会員用ＩＣカード３０を返却（カード挿入口３ａへ返送）する（ステップＳ３３４）。
【０２５０】
一方、ステップＳ３３３における判定で、Ｙｅｓの場合には、カード処理部３０１またはカード位置検知部３０３は、その情報を制御部３００に出力する。続いて、カード処理部３０１は、非会員用ＩＣカード３１に度数残高があるか否かを判定する（ステップＳ３３５）。
【０２５１】
ステップＳ３３５の判定において、Ｙｅｓの場合には、カード処理部３０１は、その情報を制御部３００に出力する。制御部３００は、カード処理部３０１に、カード挿入口３ａより非会員用ＩＣカード３１を返却する情報を出力する。そして、カード処理部３０１は、その情報に基づいて非会員用ＩＣカード３１を返却（カード挿入口３ａへ返送）する（ステップＳ３３６）。
【０２５２】
ステップＳ３３５の判定において、Ｎｏの場合には、カード処理部３０１は、その情報を制御部３００に出力する。続いて、カード貯留処理部３０２は、カード貯留部２０４が貯留量が限界か否かを判定する（ステップＳ３３７）。
【０２５３】
ステップＳ３３７の判定において、Ｙｅｓの場合には、カード貯留処理部３０２は、その情報を制御部３００に出力する。制御部３００は、前述した非会員用ＩＣカード３１のカード排出部２１７への誘導動作（図２７）を行わせる情報をカード貯留処理部３０２に出力する。そして、カード貯留処理部３０２は、非会員用ＩＣカード３１をカード回収部２１６へ搬送する（ステップＳ３３８）。
【０２５４】
ステップＳ３３７の判定において、Ｎｏの場合には、カード貯留処理部３０２は、その情報を制御部３００に出力する。制御部３００は、前述した非会員用ＩＣカード３１のカード貯留部２０４への貯留動作（図２５）を行わせる情報をカード貯留処理部３０２に出力する。そして、カード貯留処理部３０２は、非会員用ＩＣカード３１をカード貯留部２０４に貯留する（ステップＳ３３９）。
【０２５５】
（カード処理機３４０の第２の実施の形態）
次に、カード挿入口３ａ、４ａ、６ａから挿入された会員用ＩＣカード３０または非会員用ＩＣカード３１の処理を行うカード処理機の第２の実施の形態を図３１乃至４５を参照して説明する。なお、第１の実施の形態のカード処理機２００の構成と同一の部分には同一の符号を付して、重複する説明を省略する。
【０２５６】
図３１は、カード処理機３４０の斜視図を示す。また、図３２は、図３１のカード処理機３４０のＡ−Ａ断面図、図３３は、図３１のカード処理機３４０のＢ−Ｂ断面図を示す。
【０２５７】
カード処理機３４０は、カード処理機本体３４１ａ、カード処理機開壁部３４１ｂ、カード挿入口２０２、リーダライタ部２０３、カード貯留部２０４、挿入検知センサ２０８、位置セット検知センサ２０９、落下検知センサ２１０、搬送ベルト３４２から主に構成されている。
【０２５８】
リーダライタ部２０３は、ＩＣ部２０３ａ、アンテナ部２０３ｂから構成される。リーダライタ部２０３では、挿入された会員用ＩＣカード３０または非会員用ＩＣカード３１からの情報の読み取りや、会員用ＩＣカード３０または非会員用ＩＣカード３１への情報の書き込みが行われる。また、リーダライタ部２０３は、カード処理機開壁部３４１ｂの外壁側に設置され、会員用ＩＣカード３０または非会員用ＩＣカード３１とカード処理機開壁部３４１ｂの壁部を介して情報の送受信を行っている。
【０２５９】
なお、リーダライタ部２０３で読み取り、書き込み、または、読み取りおよび書き込みが不可能な会員用ＩＣカード３０または非会員用ＩＣカード３１が挿入された場合には、その会員用ＩＣカード３０または非会員用ＩＣカード３１は、カード挿入口２０２から返却（カード挿入口２０２へ返送）される。
【０２６０】
搬送ベルト３４２は、リーダライタ部２０３およびカード貯留部２０４が設けられたカード処理機開壁部３４１ｂの内壁に対向して、カード処理機本体３４１ａに設けられた開口部に配置され、上下２段に設けられている。例えば、搬送ベルト３４２が、下１段にのみ設けられている場合には、カード貯留部２０４に貯留されている非会員用ＩＣカード３１の下部が押さえられるために、非会員用ＩＣカード３１の上部は、カード処理機本体３４１ａの内壁側に偏る。これによって、カード貯留部２０４に貯留すべき非会員用ＩＣカード３１のカード貯留部２０４への移動が妨げられる。しかし、図３２に示すように、上下２段に搬送ベルト３４２を設けることで、カード貯留部２０４に貯留されている非会員用ＩＣカード３１のカード処理機本体３４１ａの内壁側への偏りが抑制されるので、カード貯留部２０４に貯留すべき非会員用ＩＣカード３１のカード貯留部２０４への移動をスムーズに行うことができる。
【０２６１】
また、図３４のカード処理機３４０のＣ−Ｃ断面図に示すように、搬送ベルト３４２は、回転軸２３７によって伝達された搬送ステップモータ２３６の回転によって動作する。また、上下２段に設けられた搬送ベルト３４２は、同期して動作する。搬送ベルト３４２の動作によって、カード挿入口２０２から挿入された会員用ＩＣカード３０または非会員用ＩＣカード３１は、所定の位置まで搬送される。
【０２６２】
また、図３４に示すカード処理機３４０のＤ−Ｄ断面図を図３５に示す。同図に示すように、搬送ベルト３４２は、３種の回転ギヤ３４４ａ、３３４ｂ、３４４ｃで構成された５つの回転ギヤで回転されている。回転ギヤの径は、回転ギヤ３４４ａ、回転ギヤ３３４ｂ、回転ギヤ３４４ｃの順に大きい。また、径が一番小さい回転ギヤ３４４ａは、カード挿入口２０２側に配置され、次に径の大きい回転ギヤ３３４ｂが所定の間隔をおいて配置されている。さらに、径の一番大きい３つの回転ギヤ３４４ｃが、それぞれ所定の間隔をおいて配置されている。
【０２６３】
ここで、搬送ベルト３４２には、突出部３４５が形成され、搬送ベルト３４２が回転したときに、カード処理機開壁部３４１ｂの内壁に接触しないように、カード処理機開壁部３４１ｂの内壁には、突出部３４５が通過できるように凹部３４６が形成されている。突出部３４５の突出高さは、非会員用ＩＣカード３１の厚さよりも若干小さい。
【０２６４】
カード貯留部２０４は、度数残高がゼロになった非会員用ＩＣカード３１を貯留する部分である。また、会員用ＩＣカード３０または非会員用ＩＣカード３１がカード挿入口２０２に挿入されずに、貨幣が台間機に挿入され、遊技終了後に度数残高がある場合には、その度数残高およびＩＤを記憶させて発券するための非会員用ＩＣカード３１がカード貯留部２０４から取り出される。カード貯留部２０４は、カード処理機開壁部３４１ｂのカード通路側の壁に、非会員用ＩＣカード３１の縦横のサイズよりも大きな縦横サイズの凹部を形成することによって構成される。
【０２６５】
図３１に示すように、カード挿入口２０２は、重力方向に対して傾いて形成されている。また、図３４に示すように、カード挿入口２０２の傾きに対応して、カード貯留部２０４の凹部の底面は、その底面の壁部の厚さが重力方向に対して増加するように、重力方向に対して傾いて形成されている。さらに、カード通路も、カード挿入口２０２の傾きに対応して重力方向に対して傾いて形成されている。これによって、会員用ＩＣカード３０または非会員用ＩＣカード３１を搬送する搬送ベルト３４２、回転軸２３７などもカード挿入口２０２の傾きに対応して傾いて設置されている。なお、カード貯留部２０４に貯留されている非会員用ＩＣカード３１の底面を支えるカード貯留部２０４の側壁部の面は、重力方向に対して垂直な面、つまり水平面で構成されている。
【０２６６】
このように、カード貯留部２０４に貯留される非会員用ＩＣカード３１が、その下部をカード処理機本体３４１ａの内壁側に、その上部をカード支持板２０７側に位置させることで、カード排出部２１７に貯留されている非会員用ＩＣカード３１が、なだれ落ちるのを防止することができる。
【０２６７】
また、カード貯留部２０４の凹部の底面には、一端が凹部の底面に固定され、他端がカード支持板２０７に固定されたばね２３０が設けられている。また、カード貯留部２０４の凹部の底面およびその底面に対向するカード処理機本体３４１ａの内壁には、貯留カード空検知部３５０が設置され、一方が発光部、他方が受光部である。この貯留カード空検知部３５０は、カード貯留部２０４に非会員用ＩＣカード３１が貯留されていないことを検知するものである。貯留カード空検知部３５０には、例えば、光学的センサなどが用いられる。
【０２６８】
また、カード貯留部２０４の凹部の底面には、電磁石３５１が取り付けられている。また、カード支持板２０７の電磁石３５１と対向する位置には、金属板３５２が取り付けられている。なお、金属板３５２を構成する材料には、磁性体が用いられる。ここで、電磁石３５１を作動すると、金属板３５２は、電磁石３５１に引き付けられ、ばね２３０を押圧する方向（図３４では右方向）に移動する。そして、カード貯留部２０４に貯留されている非会員用ＩＣカード３１の一部をカード排出部２１７に導く。
【０２６９】
挿入検知センサ２０８、位置セット検知センサ２０９および落下検知センサ２１０は、例えば、光学的センサで構成される。各検知センサは、２つの対になるセンサで構成され、２つの対になるセンサは、カード通路を挟んで対向するように配置されている。ここで、２つの対になるセンサの一方は発光部、他方は受光部で構成されている。
【０２７０】
次に、カード挿入口２０２から挿入された会員用ＩＣカード３０または非会員用ＩＣカード３１の搬送動作を図３６乃至４５を参照して説明する。ここで、図３６乃至３９および４３乃至４５には、図３４のＤ−Ｄ断面図が示され、図４０乃至４２には、図３１のＣ−Ｃ断面図が示されている。
【０２７１】
挿入検知センサ２０８が、カード挿入口２０２から会員用ＩＣカード３０または非会員用ＩＣカード３１が挿入されたことを検知すると、搬送ステップモータ２３６を駆動し、搬送ベルト３４２を作動させる（図３６）。
【０２７２】
会員用ＩＣカード３０または非会員用ＩＣカード３１は、搬送ベルト３４２によって、リーダライタ部２０３との情報のやり取り（交信）を行える位置（リードライト位置）まで搬送される。ここで、会員用ＩＣカード３０または非会員用ＩＣカード３１は、会員用ＩＣカード３０または非会員用ＩＣカード３１と搬送ベルト３４２との間の摩擦力によってすべることなく搬送される。そして、その情報のやり取り（交信）を行える位置（リードライト位置）に会員用ＩＣカード３０または非会員用ＩＣカード３１が搬送されたことが、位置セット検知センサ２０９によって検知されると、搬送ベルト３４２の動作が停止される（図３７）。
【０２７３】
会員用ＩＣカード３０または非会員用ＩＣカード３１の情報が、リーダライタ部２０３で読み取られる。会員用ＩＣカード３０が用いられた場合には、遊技終了後、台間機３、４、６の返却ボタン３ｄ、４ｄ、６ｄが押されると、最新の情報がリーダライタ部２０３によって会員用ＩＣカード３０に書き込まれ、カード挿入口２０２から返却（カード挿入口２０２へ返送）される。なお、会員用ＩＣカード３０が用いられた場合には、度数残高がゼロでもカード挿入口２０２から返却（カード挿入口２０２へ返送）される（図３８）。
【０２７４】
非会員用ＩＣカード３１が用いられた場合には、遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から返却（カード挿入口２０２へ返送）される（図３８）。
【０２７５】
一方、度数残高がゼロのときには、搬送ベルト３４２を再度作動し、非会員用ＩＣカード３１は、カード貯留部２０４に対向する位置まで搬送される（図３９）。
【０２７６】
カード貯留部２０４に対向する位置まで搬送するときには、図３７に示すように、カード貯留部２０４に貯留された非会員用ＩＣカード３１は、最大径の３つの回転ギヤ３４４ｃによって、その非会員用ＩＣカード３１の搬送方向奥側のほぼ半分の面が、上下２本の搬送ベルト３４２によって支持されている。このように支持されることによって、貯留された非会員用ＩＣカード３１のカード挿入口２０２側の面と、搬送ベルト３４２との間に、回転ギヤ３４４ｂの径と回転ギヤ３４４ｃの径の差に対応する隙間が形成される。
【０２７７】
搬送される非会員用ＩＣカード３１は、搬送ベルト３４２に搬送されてその隙間に挿入される。そして、非会員用ＩＣカード３１の先端部が、ばね２３０により回転ギヤ３４４ｃの方向に押圧される貯留された非会員用ＩＣカード３１と搬送ベルト３４２を介して回転ギヤ３４４ｃとが接触する位置に到達すると、搬送ベルトが回動しても搬送する非会員用ＩＣカード３１は搬送ベルト３４２に対し滑ってしまい一旦停止する。そして、移動してきた突出部３４５が非会員用ＩＣカード３１の後端部に当接し押圧して、非会員用ＩＣカード３１を貯留された非会員用カードＩＣ３１と搬送ベルト３４２を介して回転ギヤ３４４ｃとが接触する位置に押し込む。最終的には、突出部３４５は回動を続けて、カード貯留部２０４に対向する位置となるまで、非会員用ＩＣカード３１を、カード貯留部２０４に貯留される位置とするまで搬送する（図３９）。
【０２７８】
ここで、回転ギヤ３４４ａ、回転ギヤ３４４ｂ、回転ギヤ３４４ｃは、カード処理機本体３４１ａの内壁に対して、それぞれの回転面が直線的に配列されるのが好ましく、これによって、会員用ＩＣカード３０または非会員用ＩＣカード３１をスムーズに搬送することができる。また、回転ギヤ３４４ａ、３４４ｂ、３４４ｃと搬送ベルト３４２が滑らないようにするため搬送ベルト３４２はタイミングベルトであることが好ましい。
【０２７９】
一方、カード貯留部２０４への非会員用ＩＣカード３１の貯留量が増加すると、ばね２３０は、カード貯留部２０４の凹部の底面側に縮められ、貯留されている非会員用ＩＣカード３１もカード貯留部２０４の凹部の底面側に移動する（図４０）。
【０２８０】
そして、カード貯留部２０４に貯留された非会員用ＩＣカード３１が所定量を超えると、貯留された非会員用ＩＣカード３１のカード支持板２０７側の非会員用ＩＣカード３１がカード排出部２１７の開口部に達し、重力によりカード排出部２１７を落下し、カード回収部２１６に回収される（図４１）。このときに、電磁石３５１を作動し、金属板３５２を電磁石３５１に引き付け、非会員用ＩＣカード３１に対するばね２３０の押圧力を緩和してもよい。
【０２８１】
また、図４２に示すように、貯留された非会員用ＩＣカード３１のカード支持板２０７側の非会員用ＩＣカード３１に接するように、搬送タイヤ３４８を設けることもできる。搬送タイヤ３４８を設ける場合には、図３１に示すように、カード挿入口２０２は、重力方向に対して傾いて形成される必要がなく、図４２に示すように、重力方向に沿ってカード貯留部２０４、カード通路、搬送ベルト３４２、回転軸２３７などが形成される。
【０２８２】
搬送タイヤ３４８は、カード支持板２０７と同様に、カード貯留部２０４の凹部の底面に一端が固定されたばね３４９の他端に取り付けられ、カード貯留部２０４に貯留している非会員用ＩＣカード３１の貯留量によって押圧されて移動することができる。また、搬送タイヤ３４８は、ステップモータ（図示しない）の駆動力によって回転させられ、非会員用ＩＣカード３１をカード回収部２１６に導く。このように、搬送タイヤ３４８を設けることで、スムーズに非会員用ＩＣカード３１をカード排出部２１７に導くことができる。この場合、落下検知センサ２１０は、非会員用ＩＣカード３１が、カード排出部２１７を通過したことを検知し、その検知後、搬送タイヤ３４８の回転は停止される。
【０２８３】
ここで、電磁石３５１や搬送タイヤ３４８の駆動は、非会員用ＩＣカード３１がカード貯留部２０４に貯留される毎に行ってもよい。また、図２１に示した限界検知部２３１を、カード貯留部２０４の凹部の底面に取り付け、その限界検知部２３１の検知情報に基づいて、電磁石３５１や搬送タイヤ３４８を駆動させてもよい。
【０２８４】
次に、会員用ＩＣカード３０または非会員用ＩＣカード３１がカード挿入口２０２に挿入されずに、貨幣が貯留機構付き紙幣識別装置１９に挿入された場合について説明する。
【０２８５】
会員用ＩＣカード３０または非会員用ＩＣカード３１がカード挿入口２０２に挿入されずに、貨幣が貯留機構付き紙幣識別装置１９に挿入されると、搬送ベルト３４２は、カード挿入口２０２から会員用ＩＣカード３０または非会員用ＩＣカード３１を搬送路に導く場合の回転とは逆に回転させられる（図４３）。
【０２８６】
そして、搬送ベルト３４２の突出部３４５によって、カード貯留部２０４の開口側に貯留されている非会員用ＩＣカード３１をカード挿入口２０２側に押圧する。このとき突出部３４５に押圧された非会員用ＩＣカード３１は、カード貯留部２０４の開口部の一端に形成されたＲ部３４７によって、スムーズに搬送路に導かれる（図４４）。ここで、突出部３４５の突出高さは、非会員用ＩＣカード３１の厚さよりも若干小さくされているので、突出部３４５が、複数の非会員用ＩＣカード３１を押圧することはない。
【０２８７】
そして、非会員用ＩＣカード３１が、リーダライタ部２０３との情報のやり取り（交信）を行える位置（リードライト位置）まで搬送される（図４５）。
【０２８８】
遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から発行される（図３８）。
【０２８９】
一方、度数残高がゼロのときには、搬送ベルト３４２を再度作動し、非会員用ＩＣカード３１は、カード貯留部２０４に対向する位置まで搬送される（図３９）。  そして、再度、非会員用ＩＣカード３１は、カード貯留部２０４に貯留される。
【０２９０】
なお、ここでは、会員用ＩＣカード３０または非会員用ＩＣカード３１がカード挿入口２０２に挿入されずに、貨幣が貯留機構付き紙幣識別装置１９に挿入された場合に、貨幣が貯留機構付き紙幣識別装置１９に挿入されたのち直ちに、カード貯留部２０４から非会員用ＩＣカード３１が取り出される例を示したが、カード貯留部２０４からの非会員用ＩＣカード３１の取り出しは、遊技終了後、台間機３、４、６の返却ボタン３ｄ、４ｄ、６ｄが押され、度数残高を有することが確認されてから行われてもよい。
【０２９１】
また、図４６には、図３１に示したカード処理機の他の構成の一例を示す。なお、図４６は、図３１のＣ−Ｃ断面に対応する断面図が示されている。
【０２９２】
図４６に示されたカード処理機の一例では、カード貯留部２０４の凹部の底面は、その底面の壁部の厚さが重力方向に対して減少するように、重力方向に対して傾いて形成されている。また、その傾きに対応して、カード挿入口を含めたカード通路も、重力方向に対して傾いて形成されている。これによって、会員用ＩＣカード３０または非会員用ＩＣカード３１を搬送する搬送ベルト３４２、回転軸２３７、貯留されている非会員用ＩＣカード３１の底面を支えるカード貯留部２０４の側壁部の面なども同様に傾いて設置されている。
【０２９３】
カード貯留部２０４に貯留された非会員用ＩＣカード３１は、その貯留量が所定の量を超えると、カード排出部２１７に自動的に落下し、カード回収部２１６に回収される。
【０２９４】
このカード処理機の一例では、ばね２３０、カード支持板２０７、金属板３５２、電磁石３５１などを設けることなく構成することができるので、製作コストを削減することができる。
【０２９５】
（カード処理機８００の第３の実施の形態）
次に、カード処理機２００に替えて記憶媒体処理システム１に採用することができる第３の実施の形態のカード処理機（カード処理装置）８００の説明をする。
【０２９６】
図６０は本第３の実施の形態に係るカード処理機８００の斜視外観図である。
【０２９７】
図６０に示すように、カード処理機８００の本体８０２は、シャーシー８０２ａと、シャーシー８０２ａの一側面の凹部に嵌合するよう設けられ、シャーシー８０２ａに対して開閉可能に設けられたドア部材８０２ｂとから成る。直方体をなす本体８０２には、その端面に設けられ、非会員用ＩＣカード３１等のカード形状記憶媒体Ｃ（以下、単にカードＣと呼ぶ）を受け入れるカード挿入口８０４と、内部のカード搬送路８０６（図６０には図示せず）を介してカード挿入口８０４と連通し、下方に向かって開口するカード排出口８０８とが形成されている。カード挿入口８０４、カード搬送路８０６、およびカード排出口８０８は、ドア部材８０２ｂが閉められた状態で、シャーシー８０２ａとドア部材８０２ｂとの間に、カードＣの厚さより若干幅広の細隙状に形成され、カードＣがその板面に平行な方向に通過可能となっている。
【０２９８】
カード排出口８０８の下方には、図示しないカード回収庫が設けられ、カード処理機８００はカードＣをカード排出口８０８から排出することで、カードＣをカード回収庫内に回収することができる。
【０２９９】
また、本体８０２の外面には、接続端子部８３４が設けられ、カード処理機８００は、例えば貨幣識別装置や玉貸し装置等の、他の機器とデータを送受信可能に設けられる。送受信の処理は、本体８０２内部に設けられた、ＣＰＵやメモリを備えＲＯＭ等に記憶されたファームウェアプログラムを実行可能な、図示しない制御部によって行われる。
【０３００】
図６１〜図６３は、本第３の実施の形態に係るカード処理機８００の構成を示す説明図である。
【０３０１】
図６１は、ドア部材８０２ｂを取り外した本体８０２（すなわちシャーシー８０２ａ）を、ドア部材８０２ｂが取り付けられる側面の側からみた説明図である。なお、図６１上、破線で示された部材は、シャーシー８０２ａの外観からは見られない、シャーシー８０２ａ内部の構成部材を表す。
【０３０２】
図６２は、図６１の本体８０２のＸ−Ｘ断面を、本体８０２の底面側からみた説明図である。図６３は、本体８０２を、図６１の左側からみた説明図である。
【０３０３】
なお、図６２および図６３においては、シャーシー８０２ａにドア部材８０２ｂが取り付けられている状態を示している。
【０３０４】
図６２に示すように、ドア部材８０２ｂは、その一端側に設けられた軸８１０により回動自在にシャーシー８０２ａに軸支され、シャーシー８０２ａに対し開閉自在に設けられる。ドア部材８０２ｂの軸８１０が設けられた前記一端側の反対側の他端側には、ラッチ構造（図示せず）が設けられ、ラッチ構造によりドア部材８０２ｂは閉まった状態でロック可能に設けられる。
【０３０５】
図６１に示すように、カード搬送路８０６は、カード挿入口８０４と連通し、本体８０２の奥方向（図６１上では右方向）に延びている。カード搬送路８０６の奥側（図６１上では右側）は、下方に開口するカード排出口８０８と連通している。
【０３０６】
カード排出口８０８は、図６２に示すように、カード搬送路８０６のドア部材２ｂ側の側壁と連続する壁部と、その壁部と対向してシャーシー８０２ａ側に設けられた振り分け案内部としての振り分け案内板８１４との間に形成されている。
【０３０７】
カード排出口８０８の、振り分け案内板８１４を挟んで反対側には、振り分け案内板８１４とシャーシー８０２ａの壁部との間に、カードＣの数枚分（例として６枚分）の厚さの幅の空間が、カード貯留庫８１２として形成されている。
【０３０８】
言い換えると、カード排出口８０８とカード貯留庫８１２とは並列して設けられ、板状の振り分け案内板８１４が、カード排出口８０８とカード貯留庫８１２との間に、カード排出口８０８とカード貯留庫８１２との仕切り壁として設けられている。
【０３０９】
次にカード搬送部について説明する。
【０３１０】
図６１に示すように、カード搬送路８０６の片側の側壁を形成する、シャーシー８０２ａの側壁には、カードＣの進行方向（搬送方向）に細長の開口部８２０が形成され、開口部８２０の両端部に配置されたプーリー８１８ａとプーリー８１８ｂ間に掛け渡されたタイミングベルト８１６が、開口部８２０からカード搬送路８０６側へやや突出するように配設されている。カード搬送路８０６の奥側に位置するプーリー８１８ａは、シャーシー８０２ａに軸８２２を介して回転自在に軸支されている。軸８２２の一端側には、大歯車８２４が、カード搬送部の駆動源としてのステッピングモータ８２６の回転軸に固定されたピニオン８２６ａと歯合して設けられている。
【０３１１】
この構成により、ステッピングモータ８２６が回転駆動することで、駆動ローラーとしてのプーリー８１８ａが回転駆動され、伴ってタイミングベルト８１６がカード搬送路８０６に沿って駆動する。
【０３１２】
また、カード搬送路８０６の、前記片側の側壁に対向する、ドア部材８０２ｂ側の側壁からは、図６２に示すように、プーリー８１８ａおよびプーリー８１８ｂのそれぞれに対応する位置に、回転自在の挟圧ローラー８２８ａ，８２８ｂが、カード搬送路８０６側にやや突出して設けられる。
【０３１３】
プーリー８１８ａおよびプーリー８１８ｂは、その回転軸がトーションバネ８３２によってそれぞれ挟圧ローラー８２８ａ，８２８ｂ側に付勢されることで、挟圧ローラー８２８ａ，８２８ｂにタイミングベルト８１６を挟んで圧接される。トーションバネ８３２は、シャーシー８０２ａの内部に固定された支持材８３０に取り付けられている。
【０３１４】
プーリー８１８ａおよびプーリー８１８ｂ（タイミングベルト８１６）に圧接されることにより、挟圧ローラー８２８ａ，８２８ｂは、プーリー８１８ａ，８１８ｂおよびタイミングベルト８１６に伴って回転される。
【０３１５】
なお、本第３実施の形態においては、プーリー８１８ａ，８１８ｂを挟圧ローラー８２８ａ，８２８ｂ側へ付勢して圧接させる構成を採ったが、逆に、挟圧ローラー８２８ａ，８２８ｂをプーリー８１８ａ，８１８ｂ側へ付勢して圧接させるよう構成してもよい。
【０３１６】
ステッピングモータ８２６は、前記制御部によって、正逆転駆動および停止等の駆動が制御される。それに伴い、プーリー８１８ａ，８１８ｂ、タイミングベルト８１６、および挟圧ローラー８２８ａ，８２８ｂも正逆転および停止制御される。
【０３１７】
上記制御部、ステッピングモータ８２６、ピニオン８２６ａ、大歯車８２４、軸８２２、プーリー８１８ａ，８１８ｂ、タイミングベルト８１６、および挟圧ローラー８２８ａ，８２８ｂにより、カードＣを搬送するカード搬送部が構成される。
【０３１８】
次にデータリードライト部について説明する。
【０３１９】
図６１に示すように、カード搬送路８０６の側壁内部には、ＩＣカード等のカードＣとデータを送受信して、カードＣからデータを読み取ったり、カードＣにデータを書き込んだりするカードリーダライタとしての、コイル状のアンテナ部８３６が設けられる。アンテナ部８３６がカードＣから読み取ったデータは前記制御部に送られる。また、制御部はアンテナ部８３６を介してカードＣにデータを書き込むことができる。制御部およびアンテナ部８３６により、データリードライト部が構成される。
【０３２０】
図６４は、カードＣが、アンテナ部８３６とデータを送受信可能なリードライト位置に位置している状態を示す説明図である。図６４に示すように、本第３の実施の形態においては、カードＣのリードライト位置は、リードライト位置に位置するカードＣの先に挿入された奥部が、振り分け案内板８１４のカード排出口８０８側に重なる位置に設定されている。
【０３２１】
次に、振り分け案内部としての、板状の振り分け案内板８１４について説明する。
【０３２２】
図６５に、振り分け案内板８１４の底面拡大図（図６１のＸ−Ｘ断面。ただし図６５ではドア部材８０２ｂあり）を示す。なお、図６５においては、説明に不要な部材は省略している。図６５（ａ）から分かるように、振り分け案内板８１４は、カード排出口８０８とカード貯留庫８１２との間に、カード排出口８０８とカード貯留庫８１２との仕切り壁として、カード搬送路８０６を搬送されるカードＣの板面とほぼ平行に設けられている。
【０３２３】
振り分け案内板８１４の、カードＣの導入側の一端部８１４ｘの拡大説明図を、図６６に示す。振り分け案内板８１４の上下縁部（カードＣの搬送方向に沿った両縁部）には、カード貯留庫８１２側にほぼ直角に折れ曲がって形成された折れ曲がり部８１４ａ（上縁側は図示せず）が設けられている。言い換えると、振り分け案内板８１４は、カードＣの搬送方向に直交する断面が、コの字状となるよう形成されている。また、振り分け案内板８１４に対向する、カード貯留庫８１２の側壁には、折れ曲がり部８１４ａが入り込む溝部（図示せず）が形成されている。
【０３２４】
また、振り分け案内板８１４の一端部８１４ｘ側には、折れ曲がり部８１４ａから内側（上方）に、振り分け案内板８１４の板面と平行に突出して延び、振り分け案内板８１４のカード貯留庫８１２側の板面との間に、カードＣが一枚のみ通過可能な幅（即ち、カードＣの一枚分の厚さ以上、かつ二枚分の厚さ未満の幅）の隙間を形成する、カード通過規制部としての円筒形の邪魔ピン８１４ｂが設けられている。
【０３２５】
また、図６５に示すように、邪魔ピン８１４ｂのカード貯留庫８１２側は、カード貯留庫８１２に貯留されたカードＣが出庫される時、そのカードＣを前記隙間に案内するための面取りがなされている。面取りは、その稜線の一方が、邪魔ピン８１４ｂと振り分け案内板８１４との距離が最も短くなる箇所にくるよう設定され、その稜線からカード貯留庫８１２側に向かって斜めに切り落としたようになされる。また、振り分け案内板８１４の一端部８１４ｘがカード貯留庫８１２側の側壁の受け部８０２ａａに当接する位置にあるときに、プーリー８１８ａの周りのタイミングベルト８１６の外周をプーリー８１８ａの軸線方向に延長したとした半円筒内に邪魔ピン８１４ｂが収まるように、前記面取りは形成される。
【０３２６】
また、図６６に示すように、振り分け案内板８１４の一端部８１４ｘは、プーリー８１８ａ（駆動ローラー）および挟圧ローラー８２８ａ（図６６には図示せず）と重なる位置に配設され、振り分け案内板８１４の一端部８１４ｘには、プーリー８１８ａ（駆動ローラー）および挟圧ローラー８２８ａをよける切り欠き部８１４ｃが形成されている。
【０３２７】
また、図６５に示すように、振り分け案内板８１４の、前記一端部８１４ｘの反対側の他端部８１４ｙ寄りには、対向する（上下の）両折れ曲がり部８１４ａのそれぞれの一部から延びる延出部８１４ｄが形成される。振り分け案内板８１４は、延出部８１４ｄに設けられた開口部を貫通する、カードＣの搬送方向に垂直かつ搬送されるカードＣの板面と平行な回転軸８１４ｅに軸支されて、回動（移動）可能に設けられる。
【０３２８】
また、振り分け案内板８１４の、回転軸８１４ｅよりも前記他端部８１４ｙ側は、本体８０２から突出している。他端部８１４ｙは、シャーシー８０２ａに固定された支持部材８３８上の、付勢部材としてのバネ８４０によって、カード貯留庫８１２からカード排出口８０８へ向かう方向（図６５（ａ）では上方）に向かって付勢されている。これにより、振り分け案内板８１４の、他端部８１４ｙの回転軸８１４ｅを挟んで反対側の一端部８１４ｘ側は、カード排出口８０８からカード貯留庫８１２へ向かう方向（図６５（ａ）では下方）に向かって付勢されることとなる。振り分け案内板８１４の一端部８１４ｘは、シャーシー８０２ａのカード搬送路８０６を形成する側壁部の、受け部８０２ａａに当接して止められている。
【０３２９】
次に、振り分け案内板８１４を変位させる案内部駆動手段としての案内板駆動手段について説明する。
【０３３０】
支持部材８３８に隣接して（図６５（ａ）では支持部材８３８奥方向に隣接して）、電磁石８４２が設けられる。電磁石８４２は、前記制御部によって通電、非通電が切り替えられる。
【０３３１】
制御部が電磁石８４２に通電した時には、電磁石８４２は、鉄やステンレス等の金属板で構成された振り分け案内板８１４の前記他端部８１４ｙを、バネ８４０の付勢力に抗してカード貯留庫８１２へ向かう方向（図６５（ａ）では下方）に向かって引きつける。これにより、図６５（ｂ）に示すように、一端部８１４ｘ側は、カード排出口８０８側（図６５（ｂ）では上方）へ移動され、ドア部材８０２ｂのカード搬送路８０６を形成する側壁部の、受け部８０２ｂａに当接する。
【０３３２】
また、制御部が電磁石８４２の通電を止めた時には、電磁石８４２による振り分け案内板８１４の引きつけ力が働かなくなるため、振り分け案内板８１４の他端部８１４ｙは、バネ８４０の不勢力によって、カード排出口８０８へ向かう方向（図６５（ｂ）では上方）に向かって移動され、他方、他端部８１４ｙの反対側の一端部８１４ｘ側は、カード貯留庫８１２へ向かう方向（図６５（ｂ）では下方）に向かって移動されて、一端部８１４ｘは受け部８０２ａａに当接する、図６５（ａ）の位置に復帰する。
【０３３３】
制御部、バネ８４０および電磁石８４２により、振り分け案内板８１４を駆動する案内板駆動手段が構成される。
【０３３４】
なお、振り分け案内板８１４の前記他端部８１４ｙ側には、振り分け案内板８１４本体よりも肉厚の、鉄やステンレス等の金属板８１４ｆを取り付け、電磁石８４２による吸着力を高めるとよい。
【０３３５】
なお、振り分け案内板８１４の本体と金属板８１４ｆとの間には、キック板８４４が設けられるが、これについては後述する。
【０３３６】
また、振り分け案内板８１４の、前記一端部８１４ｘ寄りの中途部には、カード貯留庫８１２側に突出する凸部８１４ｇが形成される（図６１および図６８参照）。凸部８１４ｇは、カードＣが新たにカード貯留庫８１２に貯留される際に、カード貯留庫８１２に既に貯留されているカードＣに当接することで、振り分け案内板８１４とカード貯留庫８１２に既に貯留されているカードＣとの間に、新たに貯留されるカードＣが進入可能な間隙を生じさせる作用をもつ。
【０３３７】
なお、凸部８１４ｇのより詳細な作用については、後述するカード処理機８００の動作説明の中で述べる。
【０３３８】
また、カード処理機８００は、図６８に示すように、カード貯留庫８１２内のカードＣの、カード貯留庫８１２の奥側の端部側を、振り分け案内板８１４に向かって押し付ける付勢部材としての板バネ８５２を備える。板バネ８５２は、カード貯留庫８１２を画成するシャーシー８０２ａの側壁に一端が固定され、他端はカード貯留庫８１２の奥側に向かって延び、振り分け案内板８１４に向かって付勢している。
【０３３９】
次に、カード取り出し手段を構成する押し出し部材としてのキック板８４４について説明する。
【０３４０】
キック板８４４は、図６８に示すように、カードＣの厚さよりも若干薄い平板状に形成され、振り分け案内板８１４の他端部８１４ｙ側の、振り分け案内板８１４の本体のカード貯留庫８１２側の板面と金属板８１４ｆとの間に配設される。
【０３４１】
キック板８４４には、その板面から、その板面に垂直な方向に延びるピン８４４ａが設けられる。図６１に示すように、ピン８４４ａが、振り分け案内板８１４本体に、カードＣの搬送方向に細長く形成された溝部８１４ｈを貫通することで、キック板８４４は、振り分け案内板８１４のカード貯留庫８１２側の面に沿って、搬送方向に摺動可能に設けられる。
【０３４２】
図６１に示すように、キック板８４４に固定されたピン８４４ａは、軸８５０ａにより回動自在に軸支されたレバー８５０に連繋され、レバー８５０の回動により、搬送方向に往復摺動可能となっている。レバー８５０は、シャーシー８０２ａの基体に連続するベース部８４６上に固定されたプランジャー型ソレノイド８４８の往復駆動部８４８ａにより回動駆動される。プランジャー型ソレノイド８４８は、前記制御部によって駆動制御される。
【０３４３】
なお、キック板８４４の作用については、後述するカード処理機８００の動作説明の中で詳述する。
【０３４４】
また、図６１に示すように、カード搬送路８０６を形成するシャーシー８０２ａの側壁には、挿入または搬送されるカードＣを検出する、カード検出手段としてのフォトセンサ８５４，８５６が設けられる。フォトセンサ８５４は、カード搬送路８０６のカード挿入口８０４寄りに設けられる。フォトセンサ８５６は、振り分け案内板８１４のカードＣの導入側端部８１４ｘの近くに、振り分け案内板８１４のもう一つの切り欠き部８１４ｉを通してカードＣを検出可能に配設される。フォトセンサ８５４，８５６によるカードＣの有無の検出状態は、前記制御部に伝達される。
【０３４５】
次に、カード処理機８００の動作について説明する。
【０３４６】
以下の動作の説明の前提として、カード処理機８００は、パチンコ玉等の遊技媒体の貸し出しシステムに用いられ、パチンコ店（遊技店）のパチンコ台間の台間玉貸し機に組み込まれ、貨幣識別装置や、パチンコ玉（遊技媒体）を貸し出すべく排出する玉貸し装置等と通信可能に接続されているものとする。カード処理機８００の制御部は、前記接続端子部８３４（図６０参照）を介して、貨幣識別装置からは遊技者が投入した貨幣分の有価価値情報を受信でき、また玉貸し装置に対しては任意の有価価値分のパチンコ玉を排出するよう、コマンドや情報を送信することができるものとする。
【０３４７】
また、カード処理機８００が扱うカードＣには、金額や貸し出し可能玉数等の有価価値を特定可能な有価価値特定情報が記憶されているものとする。
【０３４８】
有価価値特定情報は、例えば、金額や貸し出し可能玉数等の有価価値を直接表す情報であってもよいし、各カードＣに固有のＩＤ番号であってもよい。
【０３４９】
カードＣには、有価価値特定情報として、金額情報が直接記憶されているものとする。
【０３５０】
なお、有価価値特定情報が各カードＣに固有のＩＤ番号である場合には、例えば、遊技店内や遊技店経営会社内に設置された管理コンピュータに、各カードＣのＩＤ番号と、金額や貸し出し可能玉数等の有価価値を表す情報とを、関連付けて記憶させておき、台間玉貸し機がその管理コンピュータと通信して、有価価値を特定および更新できるよう、遊技媒体の貸し出しシステムを構成すればよい。
【０３５１】
カード処理機８００の動作の説明に移る。
【０３５２】
図６１において、遊技者等がカード挿入口８０４からカードＣを差し込むと、フォトセンサ８５４がカードＣを検出して制御部がカード挿入を認識する。制御部はステッピングモータ８２６を制御してタイミングベルト８１６を搬送方向（カード搬送路６の奥方向）に駆動させる。カードＣは挟圧ローラー８２８ａ，８２８ｂとタイミングベルト８１６との間に挟圧されて、カード搬送路８０６内を搬送される。
【０３５３】
ここで、振り分け案内板８１４は、図６５（ａ）に示すように、通常（すなわち電磁石８４２に通電を行わない状態では）、バネ８４０の付勢力によりカードＣの進入側の端部８１４ｘがカード貯留庫８１２側の側壁の受け部８０２ａａに当接した位置で止まっている。この状態で、カードＣを図６４のリードライト位置まで搬入させると、図６７に示すように、カードＣの搬送方向先端側は、振り分け案内板８１４のカード排出口８０８側の面に沿って進行する。
【０３５４】
制御部は、奥側のフォトセンサ８５６（図６１参照）がカードＣ先端を検出してからのステッピングモータ８２６の回転角度（ステップ数）を制御することで、カードＣをリードライト位置に正確に位置決めすることができる。なお、カード搬送部の駆動源として直流モータを用いた場合には、ロータリーエンコーダを使用すれば、カードＣの正確な搬送位置精度を確保することができる。
【０３５５】
続いて、制御部は、アンテナ部８３６を介してカードＣと通信を行い、カードＣに記憶された金額情報を読み取り、その金額情報で許される範囲内の所定数のパチンコ玉を排出するよう指示するコマンドを、図示しない玉貸し装置に送信する。玉貸し装置は、指示された分のパチンコ玉を排出し、遊技者は遊技を行うことができる。
【０３５６】
制御部は、カードＣに記録されていた金額情報から、排出したパチンコ玉分の金額を差し引いて求めた差し引き金額情報を、アンテナ部８３６を介してカードＣに再記録して、カードＣの金額情報を更新する。
【０３５７】
ここで、カードＣの更新された金額情報が０となる前に、即ち残金がある状態で、遊技者が遊技を止めた場合には、制御部は、カードＣをカード挿入口８０４外へ排出する制御を行い、カードＣを遊技者に返却する。この制御は、ステッピングモータ８２６を、カードＣをカード挿入口８０４からリードライト位置へと導いた際とは逆方向に逆転させて、タイミングベルト８１６等を逆転させることで行うことができる。
【０３５８】
他方、カードＣの更新された金額情報が０となった状態で、遊技者が遊技をやめた場合、制御部は、カードＣをカード貯留庫８１２または前記カード回収庫（図示せず）内に回収する処理を行う。これは、金額情報が０となったカードＣが遊技者の手に渡らないようにし、カードＣの金額情報が不法に書き換えられて再利用されるといった犯罪を防ぐ目的と、カードＣを確実に再利用する目的とからである。制御部は、カード貯留庫８１２内が満杯、すなわちカード貯留庫８１２内に貯留可能枚数（本第３の実施の形態では６枚）分のカードＣが既に貯留されているか否かを判断する。この判断は、カード貯留庫８１２にカードＣが搬入出される度にインクリメントまたはデクリメントされる、メモリ上の貯留数カウンタの値を判定することで行われる。この判定の結果、カード貯留庫８１２が満杯だった場合には、制御部は、カードＣをカード排出口８０８外に搬送してカードＣを排出し、カード回収庫に回収させる制御を行う（詳細は後述する）。一方、前記判定の結果、カード貯留庫８１２が満杯でない場合には、制御部は、カードＣをカード貯留庫８１２内に搬入する制御を行い（詳細は後述する）、前記貯留数カウンタをインクリメントする。
【０３５９】
なお、カード貯留庫８１２の前記貯留可能枚数は、物理的にカード貯留庫８１２内に貯留可能なカードＣの上限枚数に設定してもよいし、物理的にはある程度の余裕を持たせて、上限枚数より少なめに設定してもよい。即ち、カード貯留庫８１２が満杯な状態とは、カード貯留庫８１２内のカードＣの枚数が、設定された前記貯留可能枚数に達した状態を言い、必ずしもカード貯留庫８１２に新たにカードＣを貯留することが物理的に不可能な状態のみを指すわけではない。
【０３６０】
制御部の、カードＣをカード排出口８０８から排出する制御は、ステッピングモータ８２６を制御してタイミングベルト８１６を搬送方向に、カード排出口８０８に向かって駆動させることで行うことができる。この制御により、カードＣは、図６７に示した位置を経てさらにカード搬送路８０６の奥方向（カード排出口８０８側）に搬送され、カードＣの搬送方向後端部がタイミングベルト８１６（プーリー８１８ａ、挟圧ローラー８２８ａ）を過ぎた時点で、重力によって下方に開口するカード排出口８０８から落下し、図示しない前記カード回収庫内に回収される。
【０３６１】
次に、制御部の、カードＣをカード貯留庫８１２内に搬入する制御につき説明する。カードＣのリードライト位置は、図６４に示すように、カードＣの先端側が、振り分け案内板８１４のカード排出口８側に重なる位置となっている。
【０３６２】
ここから、カードＣをカード貯留庫８１２内に導くには、制御部は、カードＣを、前記カード搬送部により一旦振り分け案内板８１４による分岐位置よりも前に戻した後、振り分け案内板８１４を位置制御して、振り分け案内板８１４に対して反対側のカード貯留庫８１２へ搬送させる。
【０３６３】
すなわち制御部は、まず、ステッピングモータ８２６を制御して、カードＣをカード挿入口８０４側に、搬送方向に逆行するよう搬送し、カードＣの奥側端部が、振り分け案内板８１４の端部８１４ｘよりもカード挿入口８０４側に位置するまで（即ち、振り分け案内板８１４による分岐位置よりも前の位置に）移動させる。
【０３６４】
続いて、図６５（ｂ）に示すように、電磁石８４２に通電制御を行い、振り分け案内板８１４の端部８１４ｘがカード排出口８０８側の側壁の受け部８０２ｂａに当接するよう位置制御する。ここで、図６８（ａ）に示すように、カード貯留庫８１２内に既に貯留されているカードＣａは、そのカード貯留庫８１２奥側の端部が板バネ８５２により振り分け案内板８１４に圧接され、カード貯留庫８１２の導入側の端部側には振り分け案内板８１４の凸部８１４ｇが当接するため、カード貯留庫８１２の導入側においては、振り分け案内板８１４とカード貯留庫８１２に既に貯留されているカードＣａとの間には間隙８５８が生じている。続いて、ステッピングモータ８２６を制御して、カードＣを搬送方向（カード搬送路８０６の奥方向）へ搬送することにより、カードＣの搬送方向先端部は振り分け案内板８１４に案内されて、カード貯留庫８１２側に進入する（図６８（ｂ））。この際、カードＣは、間隙８５８に進入する。もし凸部８１４ｇおよび板バネ８５２がなければ、カード貯留庫８１２に既に貯留されているカードＣａの位置は安定しないため、カードＣが、カードＣａの端部に当たって引っ掛かり、カード貯留庫８１２内にスムーズに進入することができないといった不具合が生じる場合がある。
【０３６５】
このようにカードＣの搬送方向先端側をカード貯留庫８１２側へ案内させた後、制御部は、電磁石８４２の通電を切り、振り分け案内板８１４の端部８１４ｘをカード貯留庫８１２側へ移動するよう制御する。これにより、振り分け案内板８１４は、カードＣをカード貯留庫８１２側のタイミングベルト８１６を介してプーリー８１８ａ（駆動ローラー）に圧接させる。こうすることにより、図６８（ｃ）のように、プーリー８１８ａ（駆動ローラー）は、タイミングベルト８１６を介して、カードＣの搬送方向後端部に至るまで、カードＣに好適に当接し、カードＣをカード貯留庫８１２内に残らず送りきることができるのである。
【０３６６】
さらに、プーリー８１８ａおよび挟圧ローラー８２８ａは、振り分け案内板８１４と重なる位置に配設されているため、カードＣをカード貯留庫の内方に確実に送りきることができるのである。
【０３６７】
このようにして、搬入されたカードＣは、カード貯留庫８１２内に積層されて貯留される。
【０３６８】
なお、リードライト位置が、リードライト位置に位置するカードＣが、振り分け案内板８１４のカード排出口８０８側に重なる位置に設定されていることにより、リードライト位置のカードＣと振り分け案内板８１４とが重ならならずに搬送方向に直列に並ぶよう設定されている場合に比較して、カード処理機８００の搬送方向の長さを短く設計することが可能となり、装置の小型化が図れる。
【０３６９】
もちろん、リードライト位置を、リードライト位置に位置するカードＣが、振り分け案内板８１４のカード貯留庫８１２側に重なる位置に設定してもよい。この場合に、リードライト位置のカードＣを、振り分け案内板８１４に対して反対側のカード排出口８０８側に導く際には、同様に、カードＣを、前記カード搬送部により一旦振り分け案内板８１４による分岐位置よりも前に戻した後、振り分け案内板８１４を位置制御して、振り分け案内板８１４に対して反対側のカード排出口８０８へ搬送させる。
【０３７０】
次に、台間玉貸し機に設けられた貨幣識別装置に貨幣が投入された場合の、カード処理機８００の動作について説明する。
【０３７１】
遊技者が、遊戯中に貨幣識別装置に貨幣を投入し、その際に、既にカード処理機８００内のリードライト位置にカードＣがある場合、制御部はそのカードＣの金額情報に、投入された貨幣の金額分を足し合わせて、カードＣの金額情報を、その足し合わせて求められた新たな金額情報に書き換える。これにより、遊技者は、その新たな金額分のパチンコ玉を借り受けることが可能となる。
【０３７２】
一方、遊技者が、カードＣを持たずに（即ちカード処理機８００にカードＣを挿入せずに）貨幣識別装置に貨幣を投入した場合や、挿入したカードＣがカード貯留庫８１２やカード回収庫に回収されてしまった後で貨幣識別装置に貨幣を投入した場合には、制御部は、カード貯留庫８１２内に貯留されているカードＣを、カード取り出し手段により、一枚あて、リードライト位置まで搬送して、そのカードＣに投入された金額分の金額情報を書き込んで、遊技を可能とする。
【０３７３】
カード貯留庫８１２からカードＣを一枚あてリードライト位置まで移動させる際の、制御部の制御を説明する。
【０３７４】
まず、制御部は、まずタイミングベルト８１６を、搬送方向に逆行、即ち、カード搬送路８０６側からカード挿入口８０４側へ向かうよう、逆駆動させる。続いて、プランジャー型ソレノイド８４８を通電駆動させ、図６９に示すように、キック板８４４を、カード貯留庫８１２内へ向けて移動させる。一方、カード貯留庫８１２内のカードは、そのカード貯留庫８１２の奥側、すなわちキック板８４４側の端部が、板バネ８５２により振り分け案内板８１４に向けて付勢されることで、最も振り分け案内板８１４側のカードＣは振り分け案内板８１４に接触して位置している。従って、カードＣの厚さよりも若干薄く形成され、振り分け案内板８１４に沿って移動するキック板８４４は、最も振り分け案内板８１４側のカードＣの端面に当接して、カードＣをカード貯留庫８１２の外側へ向かって移動させることとなる。そのカードＣのもう一方の端部は、図６９に示すように、邪魔ピン８１４ｂの面取り面に案内されて、振り分け案内板８１４と邪魔ピン８１４ｂとの間を通過し、タイミングベルト８１６と挟圧ローラー８２８ａとの間に挿入される。これにより、カードＣはカード搬送部により搬送されて、リードライト位置まで搬送される。また、制御部は、前記貯留数カウンタをデクリメントする。
【０３７５】
なお、このとき、キック板８４４または移動されるカードＣとの間の摩擦力等によって、カード貯留庫８１２内の他のカードＣａまでもがカード貯留庫８１２外へ出て、複数のカードＣ，Ｃａがカード搬送部に搬送されてしまう不具合が懸念されるが、邪魔ピン８１４ｂと振り分け案内板８１４との間の隙間は、カードＣ，Ｃａの２枚分の厚さよりも狭く設定されているため、その隙間を通過してカード搬送部に当接するカードＣは必ず一枚のみとなり、懸念される前記不具合は発生し得ない。
【０３７６】
カード搬送部により再搬送されたカードＣは、リードライト位置に搬送可能され、貨幣識別装置に投入された前記貨幣の金額分の金額情報が書き込まれ、遊技者の遊技に供される。
【０３７７】
その後、遊技者が遊技を終えた際には、このリードライト位置のカードＣに対して、カード挿入口８０４から発行、カード貯留庫８１２に再格納、またはカード回収庫に回収される等の処理が可能であることは言うまでもない。
【０３７８】
本第３の実施の形態に係るカード処理機８００によれば、カード貯留庫１２に貯留したカードＣを発行することができるため、貨幣識別装置に投入された貨幣分の残高を、カード貯留庫８１２に貯留されているカードＣに書き込んで発行させるといった機能を実現することができる。つまり、台間玉貸し機に、投入された貨幣分の残高を書き込んだカードＣを発行させる機能を実現させることができる。
【０３７９】
さらに、カード処理機８００によれば、カード貯留庫８１２に入りきらないカードＣは、カード排出口８０８から排出して落下させることによりカード処理機８００の下方の回収庫に回収させる構成を採用しているため、カード貯留庫８１２が満杯となっても、店員がカード貯留庫８１２からカードＣを取り出す等の処置を行う必要がなく手間が省けると共に、常に台間玉貸し機を運転させておくことが可能となる。また、回収庫の体積を大きくとって多くのカードＣを回収できるよう構成でき、また、回収庫の開閉を容易に構成して、店員等による回収庫のカードＣの収集を容易にすることができる。
【０３８０】
さらに、カード処理機８００によれば、単純な機構で構成できるため、小型化および薄型化が容易である。そのため、本カード処理機８００を非会員カード処理部（記憶媒体処理部）として台間機に採用すれば、パチンコ台間等の狭い設置スペースに合わせて台間機を小型化および薄型化することが容易に行え、既存の４ｃｍ幅のパチンコ台間に設置可能であり、パチンコ店舗内の島幅の設計変更等を要することなく、パチンコ台間に台間機を設置でき、遊技システムの導入コストを抑えることが可能となる。
【０３８１】
また、カード処理機８００は、単純な機構で構成できるため、それを採用する台間機、延いては遊技システムの製造および導入コストを抑えることができる。
【０３８２】
さらに、カード処理機８００は、単純な機構で構成できるため、カード処理機８００ならびにカード処理機８００を採用した台間機および遊技システムは、故障や誤動作が少なく、従って、故障や誤動作により、営業中に遊技媒体の貸し出しが滞ったり、店員等による操作やメンテナンスが必要となったりするのを抑えることができる。
【０３８３】
ところで、第３実施の形態に係るカード処理機８００においては、カード貯留庫８１２に貯留可能なカードＣの枚数を６枚に設定しているが、従来の一般的なパチンコ店等の遊技店において、従来の台間玉貸し機で、新たに発行されるカードと、挿入されて回収されるカードとの差し引き枚数を統計した結果、一日の営業中に、新たに発行されるカードが、挿入されて回収されるカードよりも７枚以上多いということはほとんど発生しないことを、本願発明者らは確認している。即ち、一般的な台間玉貸し機に使用する場合には、カード貯留庫８１２には、６枚程度のカードＣの貯留があれば十分である。
【０３８４】
もちろん、カード処理装置において、カード貯留庫のカード貯留可能枚数は、６枚程度に限定されるものではなく、その枚数は用途に応じて適宜変更可能な設計事項である。
【０３８５】
なお、第３実施の形態に係るカード処理機８００においては、カード形状記憶媒体に記録された有価価値特定情報が０の場合に、カード形状記憶媒体を回収または貯留するよう構成したが、カード処理装置は、この用途に限定されない。例えば、有価価値情報が不法に書き換えられてたり、カード形状記憶媒体の記憶手段が故障したりしているのを検出した場合に、カード形状記憶媒体を回収（排出）するよう構成してもよい。
【０３８６】
また、本第３実施の形態に係るカード処理機８００では、カード処理装置を、台間玉貸し機に組み込んで使用しているが、カード処理装置は、これに限定されず、カード形状記憶媒体からのデータの読み取りおよび／または該カード形状記憶媒体へのデータの書き込みを行う用途であれば、あらゆる用途に使用することができる。
【０３８７】
（獲得遊技媒体表示システム）
次に、本発明の獲得遊技媒体表示システム９００について、図を参照して説明する。
【０３８８】
図７０は、本発明の一実施の形態の獲得遊技媒体表示システム９００を示す正面図である。図７１は、図７０に示した獲得遊技媒体表示システム９００の側面図である。図７２は、パチンコ機を除く獲得遊技媒体表示システム９００の構成を示す斜視図である。
【０３８９】
獲得遊技媒体表示システム９００は、主に、上記したカード処理機を備えた台間機３、パチンコ機９０１、計数機９３０、幕板表示機９５０を備え、さらに台間機３は、管理装置１３と通信可能に接続されている。ここでは、台間機３、計数機９３０、幕板表示機９５０を制御する制御部９７０を台間機３内に設置した場合について説明する。なお、この制御部９７０は、台間機３内に設置される代わりに、計数機９３０内または幕板表示機９５０内に設置されてもよい。この獲得遊技媒体表示システム９００では、台間機３、計数機９３０、表示機９５０は、１つの制御部９７０によって制御される。
【０３９０】
台間機３は、前述した図１０の（ａ）に示した台間機と同一の構成を有するものを使用し、符号も同一の符号を付し、重複する説明を省略する。パチンコ機９０１および台間機３は、それぞれ交互に連続して設置され、遊技ホール内でいわゆる島を構成する。ここでは、台間機３に、確定ボタン３ｈが設けられ、この確定ボタン３ｈが押されることによって、計数機９３０による計数終了を指示することができる。また、この確定ボタン３ｈを台間機３に設ける代わりに、または台間機３に設けるとともに、例えば、カウンタ９０６上に設けてもよい。
【０３９１】
なお、ここでは、ユニット型の台間機３を用いた一例を示しているが、サンド型の台間機４や、スロットマシン用の台間機６も同様に用いることができる。なお、これらのサンド型の台間機４や、スロットマシン用の台間機６にも、確定ボタンを設け、計数機９３０による計数終了を指示することができる。
【０３９２】
ここでは、台間機３のカード処理機は、カード挿入口３ａから挿入された、例えば、会員用ＩＣカード３０や非会員用ＩＣカード３１に、使用した遊技機の台番号情報とともに、計数処理された獲得玉数の情報を書き込み、会員用ＩＣカード３０や非会員用ＩＣカード３１を排出する。また、この使用した遊技機の台番号情報、計数処理された獲得玉数の情報は、会員用ＩＣカード３０や非会員用ＩＣカード３１のＩＤなどの情報とともに、台間機３に設置された制御部９７０を介して、管理装置１３に出力され、記録される。
【０３９３】
また、会員用ＩＣカード３０、非会員用ＩＣカード３１を有せず、現金を台間機３に挿入することで遊技している遊技者に対しては、獲得玉を有する場合には、遊技終了、つまり、返却ボタン３ｄが押されたときに、台間機３のカード処理機は、カード貯留部に貯留している非会員用ＩＣカード３１に、使用した遊技機の台番号情報、計数処理された獲得玉数の情報、その他、ＩＤなどの所定の情報を書き込み、カード挿入口３ａから排出する。この場合にも、この使用した遊技機の台番号情報、計数処理された獲得玉数の情報、ＩＤなどの所定の情報は、台間機３に設置された制御部９７０を介して、管理装置１３に出力され、記録される。
【０３９４】
また、計数機９３０からの信号配線、幕板表示機９５０からの信号配線は、すべて台間機３を介して配線される。また、台間機３内の配線は、例えば、金属のパイプなどで一つまたは複数に束ねて配線される。
【０３９５】
図７０に示すように、パチンコ機９０１の表面側には、台本体９０２、台本体９０２の前面のほぼ中央部にほぼ水平に設置される上皿９０３、この上皿９０３の下部にほぼ水平に設置される玉受け皿９０４、この玉受け皿９０４の右方に設置されるハンドル９０５、玉受け皿９０４の下部にほぼ水平に設置されるカウンタ９０６が設けられている。
【０３９６】
パチンコ機９０１は、上皿９０３に入れられたパチンコ玉を、ハンドル９０５を回動することで台本体９０２内に打ち込み、入賞して獲得した出玉を上皿９０３および玉受け皿９０４で受ける。玉受け皿９０４の下部には、開口９０７を有し、この開口９０７を閉じている受け皿シャッタ（図示しない）を、玉受け皿９０４の前面に設けられたシャッタ操作部９０８を遊技者が所定方向に動作することで開くことができる。この受け皿シャッタ（図示しない）が開くことで、玉受け皿９０４内の玉を、玉受け皿９０４の下方のカウンタ９０６上に設置された玉箱９０９内に排出可能である。
【０３９７】
また、図７１に示すように、パチンコ機９０１の裏面側には、アウト玉を排出するアウト玉排出部９１０、このアウト玉排出部９１０から排出されたアウト玉を受け取るアウトボックス９１１、このアウトボックス９１１のアウト玉排出孔の下方にアウトメータ９１２が設けられている。このアウトメータ９１２で、検知されたアウト玉は、アウトボックス９１１の底部に設けられた排出口に接続された排出パイプ９１３によって、排出樋９３５に導かれ、回収される。
【０３９８】
また、パチンコ機９０１からの各種信号配線は、台間機３の裏面に設けられた入力コネクタ９１４に接続され、また、アウトメータ９１２からの信号配線は、台間機３の裏面下部に設けられた下部入力コネクタ９１５に接続される。また、パチンコ機９０１外部に、出玉信号として遊技機の上皿へ供給される玉数を計数するセーフメータ（図示しない）が設置される。なお、台間機のタイプがユニットの場合、このセーフメータにおいて、台間機からの信号に基づいてパチンコ機から貸し出されるパチンコ玉もカウントする。そのため、その場合には、このセーフメータでカウントされたパチンコ玉数から、台間機からの信号に基づいて貸し出されるパチンコ玉数を減算したものを、入賞に基づいて払い出されたパチンコ玉数（セーフ相当出力）としてパチンコ機９０１の裏機構板より出力される。
【０３９９】
図７２に示すように、パチンコ機９０１下方前面のカウンタ９０６の中央には、玉箱９０９を設置するための凹部９３１が形成され、凹部９３１の周壁には、玉箱固定壁９３２が設けられる。この玉箱固定壁９３２は、遊技者側を除きコ字状に設置される。この玉箱固定壁９３２を設けることにより、玉箱が載置される凹部９３１の底面は、カウンタ９０６の他の部分と仕切られるため、玉箱９０９からパチンコ玉がこぼれても玉箱が載置される凹部９３１の底面以外のカウンタ９０６上に散乱することはない。また、玉箱固定壁９３２は、遊技者側を除き、コ字状に設置されるため、玉箱９０９は、遊技者側からスライドさせて所定位置に設置させることができる。
【０４００】
計数機９３０は、パチンコ玉を計数するものであり、パチンコ機９０１毎に設けられ、カウンタ９０６の下部に設置される。計数機９３０は、上部に開口する挿入口９３３を有し、挿入口９３３は、シャッタ駆動用モータ（図示しない）の駆動によりスライドされるシャッタ（図示しない）により開閉自在である。玉箱９０９の底部が開口し、挿入口９３３へ導入されたパチンコ玉は、所定の導入路に導かれ、計数センサで計数された後、排出口９３４からパチンコ台２後側下部に設けられた排出樋９３５に排出される。ここで、玉箱９０９の底部は、通常は閉口状態でるが、玉箱９０９を凹部９３１に設置後、玉箱９０９の遊技者側下方前面に設けられた玉箱レバー９０９ａを左右にスライドさせて動かすことで開口する。検知センサには、例えば、非接点式のセンサなどが用いられ、パチンコ玉の検知によるカウント信号は、１個のパチンコ玉の通過を確認する毎に１パルスの電気信号を発する。また、カウント信号として、光を用いてもよい。なお、それぞれに検知センサが設けられた計数レーンを複数設け、これらの複数の計数レーンを用いて計数を行ってもよい。
【０４０１】
データ表示機９９０は、所定のランプなどの発光により、パチンコ機９０１の大当り状態やスタート状態を表示するものである。また、データ表示機９９０は、大当り回数やスタート回数の積算値も表示する。さらに、データ表示機９９０は、台間機３からの、例えば、残度数、勝玉数、貯玉数、会員、非会員などの情報を表示することが好ましい。
【０４０２】
なお、図７０において、台間機３に加えて、もう一台の台間機４（サンド型）を台間機３の隣に設けることができる。この場合、台間機３は、カードに記憶した度数を消費してパチンコ玉やメダル等の遊技媒体を貸し出し可能である。また、台間機４は、主に、遊技台毎に設置された計数機９３０で計数された遊技媒体の計数結果、および／または管理装置１３に記憶された計数結果を特定可能なＩＤを、台間機４に挿入された貯玉用の会員用ＩＣカード３０やカード貯留部２０４から取り出された記憶データが初期化された非会員用ＩＣカード３１に、記憶し、これらの会員用ＩＣカード３０や非会員用ＩＣカード３１に基づいて、計数結果の範囲で貸し玉する、いわゆる貯玉再プレーが可能となる（記憶するのは、後程詳述する図７９ステップＳ１２４０にて実施。発行するのは返却ボタン４ｄ）。もちろん台間機４においてカードに記憶した度数を消費して、パチンコ玉やメダル等の遊技媒体を貸し出し可能としてもよい。このようにすると、ＣＲ機の場合、遊技機毎に台間機３を外すことができない規則でありながら、計数するために１台の計数機に並ぶことなく計数機９３０で計数した貯玉情報に基づいて、他の遊技機に直ちに移動して貯玉再プレーにて遊技することができる。
【０４０３】
図７１に示すように、このデータ表示機９９０は、台間機３の裏面上部に設けられた上部出力コネクタ９１６と信号配線を介して接続されている。データ表示機９９０は、台間機３内に設置された制御部９７０から出力された、種々の表示情報に基づいて、上記した各表示を行う。
【０４０４】
幕板表示機９５０は、獲得した遊技媒体数に対応した表示を行う表示機として機能し、表示体設置部および表示体から構成され、表示体設置部がパチンコ機９０１上部の幕板９５１に形成される。また、幕板９５１の上部を回動可能に固定された固定部を支点として、幕板９５１の下部を遊技者側へ回動することができる。また、図７１に示すように、この幕板表示機９５０は、台間機３の裏面上部に設けられた上部出力コネクタ９１６と信号配線を介して接続されている。
【０４０５】
なお、図７１には、台間機３と幕板表示機９５０とが信号配線を介して接続されている一例を示したが、この構成に限られるものではなく、例えば、台間機３と幕板表示機９５０との間の情報の交信を無線通信で行ってもよい。また、上記した計数機９３０と台間機３との間の情報の交信も無線通信で行ってもよい。
【０４０６】
ここで、台間機３、計数機９３０、幕板表示機９５０とが無線通信を行う際の交信システムの構成について、図７３を参照して説明する。
【０４０７】
図７３に示すように、この交信システムでは、台間機３と計数機９３０または台間機３と幕板表示機９５０との間の無線通信は、基本的に同じ動作であるので、主に、台間機３と幕板表示機９５０との間の無線通信について説明する。
【０４０８】
台間機３は、制御部９７０との情報の入出力を制御し、送信情報をパラレル信号からシリアル信号に変換し、かつ幕板表示機９５０からの受信信号をシリアル信号からパラレル信号に変換するインターフェース部１０００と、送信信号を例えばＡＳＫ（Amplitude Shift Keying）方式、ＦＳＫ（Frequency Shift Keying）方式などで伝送用の信号に変調する変調部１００２ａと、受信信号を復調する復調部１００３ａと、送信回路１００４ａと、受信回路１００５ａと、送受信アンテナ１００１ａとを備えて構成されている。
【０４０９】
幕板表示機９５０は、主制御部１１００ａと、情報を蓄積するＥＥＰＲＯＭなどの電源バックアップ不要な記憶部１１０１ａと、送信情報をパラレル信号からシリアル信号に変換し、かつ台間機３からの受信信号をシリアル信号からパラレル信号に変換する信号変換部１１０２ａと、送信信号をＡＳＫ方式、ＦＳＫ方式等で伝送用の信号に変調する変調部１１０３ａと、受信信号を復調する復調部１１０４ａと、送信回路１１０５ａと、受信回路１１０６ａと、送受信アンテナ１１０８ａと、主制御部１１００ａからの情報に基づいて、表示用の光を発光する発光手段１１０７を備えて構成される。
【０４１０】
制御部９７０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部９７０では、台間機３、計数機９３０、幕板表示機９５０の各機器間の信号の出入力、および、島コンピュータ７、ネットワーク８を介して管理装置１３との間の信号の出入力を制御している。
【０４１１】
ここで、台間機３と計数機９３０との間の無線通信の場合には、計数機９３０に、主制御部１１００ｂと回線を介して接続された電磁弁１１２０および計数センサ１１３０が設けられている。なお、幕板表示機９５０と計数機９３０は、電源を送受信アンテナの相互誘導により獲得するように構成されるようにすれば、電源ラインの配線が不要となり好ましい。
【０４１２】
次に、この交信システムの基本的な交信手順について説明する。
【０４１３】
まず、台間機３と幕板表示機９５０との間の基本的な交信手順について説明する。
【０４１４】
台間機３は、幕板表示機９５０に、所定の表示をさせるための表示信号を無線で発信する。幕板表示機９５０は、その表示信号を受信すると、発光手段１１０７にその表示信号を出力する。発光手段１１０７では、入力した表示信号に基づいて、発光表示を行う。
【０４１５】
次に、台間機３と計数機９３０との間の基本的な交信手順について説明する。
【０４１６】
台間機３は、計数機９３０に電磁弁１１２０をオンするための信号を無線で発信する。続いて、計数センサ１１３０がオン状態であることを無線で台間機３に発信する。台間機３では、計数センサ１１３０からの初回のオン信号からカウントを開始し、台間機３から、使用した遊技機の台番号情報および獲得玉数の情報が書き込まれた、例えば、会員用ＩＣカード３０や非会員用ＩＣカード３１が排出されるまで、計数センサ１１３０からの信号に基づいてカウントを積算する。
【０４１７】
次に、幕板表示機９５０の構造を図７４〜図７６を参照して説明する。
【０４１８】
図７４には、幕板表示機９５０の正面図であり、図７５は、図７４のＡ−Ａ断面図である。また、図７６は、幕板表示機９５０を構成する表示体９７０の断面図である。
【０４１９】
図７４および図７５に示すように、幕板表示機９５０は、表示体設置部９６０および表示体９７０から構成され、表示体設置部９６０がパチンコ機９０１上部の幕板９５１に形成される。
【０４２０】
図７５に示すように、表示体設置部９６０は、幕板９５１に形成された凹部９６１と、この凹部９６１に貫通する光導入孔９６２と、この光導入孔９６２に所定の波長の光を出射する発光手段９６３とから構成されている。ここで、幕板９５１に形成された凹部９６１の形状および寸法は、その凹部９６１に挿入して装着される表示体９７０の棒状筒体の形状および寸法に対応して形成されている。
【０４２１】
図７５に示した一例では、凹部９６１の側壁に、ほぼ９０度ずつずらして形成された３つの光導入孔９６２を有し、それぞれの光導入孔９６２に対して、発光手段９６３が備えられている。なお、光導入孔９６２は、３つに限られるものではなく、１つ、２つまたは４つ以上でもよい。また、光導入孔９６２は、凹部９６１の側壁に形成されることに限らず、底部に形成されてもよい。
【０４２２】
発光手段９６３は、可視光を照射する光源で構成され、光源としては、レーザ、ＬＥＤ（Light Emitting Diode）などが挙げられる。出射される可視光は、例えば、光の３原色である赤、緑、青などで構成することができるが、この限りではない。なお、光源に光の３原色である赤、緑、青の３色を出射する光源を用いる場合には、これらの光を所定の割合で組み合わせることで、様々な色の光を構成することができ、幕板表示機９５０における表示パターンを種々設定することが可能となる。また、この場合には、光導入孔９６２を１つで構成することができる。
【０４２３】
図７６に示すように、表示体９７０は、一端側の側面に光入孔９７１を有する棒状筒体９７２と、この棒状筒体９７２の他端側に接続された発光表示部９７３と、棒状筒体９７２の光入孔９７１に入った光を発光表示部９７３に導く光伝送手段９７４とから主に構成される。
【０４２４】
棒状筒体９７２に形成された各光入孔９７１は、棒状筒体９７２が表示体設置部９６０の凹部９６１に挿入して装着されたときに、凹部９６１の所定の各光導入孔９６２に対向するように形成されている。
【０４２５】
発光表示部９７３は、例えば、透明な樹脂などの光透過性の物質で形成され、具体的には、透明なアクリルなどが使用される。ここでは、発光表示部９７３の形状を断面が矩形の筐体としているが、この形状に限られるものではない。例えば、断面形状が、三角、多角形、円形など、任意に形状を設定することができる。発光表示部９７３は、光伝送手段９７４によって発光表示部９７３内に導かれた光を外部に放出する。
【０４２６】
また、発光表示部９７３は、例えば、２重折りにした布などで構成されてもよい。この場合には、２重折りされた布内に、光伝送手段９７４によって発光手段９６３で出射した光が導かれ、布の織り目の隙間から光を外部に放出する。また、発光表示部９７３は、例えば、光を透過しない材料で構成してもよい。この場合には、発光表示部９７３の表面に複数の光放出孔を設け、その光放出孔から発光表示部９７３内に導かれた光を外部に放出する。
【０４２７】
光伝送手段９７４は、側壁が銀鏡仕上げされ、内部を伝送される光の光度が落ちないように構成され、例えば、光ファイバなどを用いることができる。光伝送手段９７４は、各棒状筒体９７２の光入孔９７１に対応する本数を設け、それを発光表示部９７３に導いてもよいし、一端を各光入孔９７１に対応して分岐し、他端を１つの光伝送手段９７４となるように構成されてもよい。なお、図７６に示した光伝送手段９７４において、発光表示部９７３内に位置する光伝送手段９７４は、その周囲に光漏れ孔が複数設けられ、端部の出射孔から光を出射するとともに、その光漏れ孔から光を出射するように構成されている。これによって、発光表示部９７３内に均等に光を出射することができる。
【０４２８】
さらに、光伝送手段９７４を発光表示部９７３の位置口付近まで設置し、その端部の出射孔に近接して光学レンズを設置して、光伝送手段９７４の端部から出射される光を広げて、発光表示部９７３内に出射してもよい。この場合には、光伝送手段９７４の周囲には、光漏れ孔は設けない。
【０４２９】
次に、発光手段９６３として、光の３原色である赤、緑、青の３色を出射する光源を用いる場合における他の構成の表示体９８０を図７７を参照して説明する。
【０４３０】
図７７には、他の構成の表示体９８０の側面図が示されている。
【０４３１】
図７７に示すように、表示体９８０は、一端側の側面に光入孔９８１を有する棒状筒体９８２と、この棒状筒体９８２の他端側に接続された筐体からなる発光表示部９８３と、棒状筒体９８２の光入孔９７１に入った光を発光表示部９７３に導く光伝送手段９８４とから主に構成される。
【０４３２】
棒状筒体９８２の一端側の側面には、１つの光入孔９８１が形成されている。また、光入孔９８１は、棒状筒体９８２の一端側の側面に形成される以外に、例えば、棒状筒体９８２の一端面に形成されてもよい。なお、棒状筒体９８２の一端側に形成された光入孔９８１に、発光手段９６３からの赤、緑、青の３色を導く表示体設置部９６０の光導入孔９６２は、表示体９８０の光入孔９８１に対応する位置に形成される。
【０４３３】
発光表示部９８３は、例えば、透明な樹脂などの光透過性の物質で形成され、具体的には、透明なアクリルなどが使用される。ここでは、発光表示部９８３の形状は球状を有しているが、この形状に限られるものではない。例えば、断面形状が、三角、矩形、多角形など、任意に形状を設定することができる。また、発光表示部９８３の内側面または外側面には、光を拡散反射する拡散反射フィラ９８５が設けられている。発光表示部９８３は、光伝送手段９８４によって発光表示部９８３内に導かれた光を外部に放出する。
【０４３４】
光伝送手段９７４は、側壁が銀鏡仕上げされ、内部を伝送される光の光度が落ちないように構成され、例えば、光ファイバなどを用いることができる。光伝送手段９８４は、その一端が光入孔９８１に接続されている。また、光伝送手段９８４の他端は、発光表示部９８３の位置口付近に設置され、その他端から発光表示部９８３内に光を出射する。
【０４３５】
ここで、光伝送手段９８４からの光は、発光表示部９８３に均等に広がって出射されることが好ましい。そこで、光伝送手段９８４の端部の出射孔に近接して光学レンズを設置して、光伝送手段９８４の端部から出射される光を広げて、発光表示部９８３内に出射するようにしてもよい。
【０４３６】
また、図７７に示すように、表示体９８０の棒状筒体９８２には、旗９８６などを設けることもできる。
【０４３７】
なお、図７７に示された他の構成の表示体９８０において、発光表示部９８３を設けずに、棒状筒体９８２を透明な樹脂などの光透過性の物質で形成し、１または複数の光漏れ孔が周囲などに形成された光伝送手段９７４を棒状筒体９８２内に設置して、表示体９８０を構成してもよい。この構成の表示体９８０では、光入孔９８１から入射した光を、光伝送手段９８４に設けられた光漏れ孔から外部に放出しながら、光伝送手段９８４の端部に導く。光伝送手段９８４の光漏れ孔から外部に導かれた光は、棒状筒体９８２からさらに外部に放出される。この場合には、棒状筒体９８２は、上記した発光表示部９７３としての機能も備えることになる。また、棒状筒体９８２は、例えば、光を透過しない材料で構成してもよい。この場合には、棒状筒体９８２の表面に複数の光放出孔を設け、その光放出孔から棒状筒体９８２内に導かれた光を外部に放出する。
【０４３８】
上記した表示体９８０によれば、発光手段９６３として、光の３原色である赤、緑、青の３色を出射する光源を用いることで、棒状筒体９８２の一端側に形成される光入孔９８１が１つであっても、光を所定の割合で組み合わせ、様々な色の光を構成することができる。これによって、幕板表示機９５０における表示パターンを種々設定することが可能となる。
【０４３９】
次に、幕板表示機９５０の動作について説明する。
【０４４０】
例えば、計数された獲得玉数が、所定の獲得玉数を超えると、制御部９７０から管理装置１３に、表示体９７０を表示体設置部９６０に設置するための情報を出力する。そして、その情報を入力した管理装置１３は、例えば、遊技ホールの場内放送などで、「１２３番台の表示体の設置願います」などの情報を報知する。報知方法は、これに限らず、例えば、店員の所持する携帯端末装置（インカム）などに、この情報を報知してもよい。
【０４４１】
また、制御部９７０は、管理装置１３に、表示体９７０を表示体設置部９６０に設置するための情報を出力するとともに、表示体設置部９６０の所定の発光手段９６３をオンするための信号を出力する。そして、発光手段９６３は、光を出射する。この際、発光手段９６３を、連続的に点灯させたり、断続的に点灯（点滅）させたりすることができる。
【０４４２】
また、店員は、この報知に基づいて、対応する遊技機の表示体設置部９６０に表示体９７０を設置する。
【０４４３】
発光手段９６３から出射された光は、光導入孔９６２を通り、棒状筒体９７２の所定の光入孔９７１に入り、光伝送手段９７４によって発光表示部９７３に導かれる。そして、光伝送手段９７４によって発光表示部９７３内に導かれた光は、発光表示部９７３を介して外部に放出され、発光表示部９７３が光って見える。
【０４４４】
ここで、所定の獲得玉数は、２０００個など任意に設定することができ、例えば、所定の獲得玉数を２０００個に設定した場合に、表示体９７０が３本設置されていると、６０００個の獲得玉数をすでに得ていることを示すことになる。
【０４４５】
次に、獲得遊技媒体表示システム９００の動作について、図７８〜図８０を参照して説明する。
【０４４６】
図７８は、獲得遊技媒体表示システム９００の全体的な動作の流れを示す図であり、この動作は、図３０に示した台間機３、４、６における動作と、計数処理（ステップＳ３０５）を除いては同じであるので、同一処理部分には同一符号を付し、ここでは、この計数処理について、図７９を参照して説明する。
【０４４７】
図７９は、計数処理（ステップＳ３０５）の動作の流れを示す図である。
【０４４８】
この計数処理は、台間機３、計数機９３０、幕板表示機９５０の動作が主に関与する。なお、図２９に示した制御部３００は、台間機３における、カード処理部３０１、カード貯留処理部３０２、カード位置検知部３０３、選択ボタン検知部３０４、貨幣識別部３０５の各機部間の信号の出入力、および、島コンピュータ７、ネットワーク８を介して管理装置１３との間の信号の出入力を制御していることを示したが、ここでは、制御部３００は、さらに、計数機９３０、幕板表示機９５０の各機器間の信号の出入力も行うものとする。また、この制御部３００は、上記した制御部９７０として機能するものとする。
【０４４９】
まず、制御部３００は、計数処理における計数方式が、各遊技機毎の計数機９３０からの情報によるものか、遊技データのアウトおよびセーフから算出するものかを判定する（ステップＳ１２００）。
【０４５０】
ステップＳ１２００の判定で、計数方式が各遊技機毎の計数機９３０からの情報によるものであると判定した場合（ステップＳ１２００の「各遊技機毎の計数機」）には、続いて、制御部３００は、計数機９３０からのパルス信号の入力があり、その入力が初回か否かを判定する（ステップＳ１２１０）。ここで、パルス信号の立上がりを検知した場合を初回と判定し、パルス信号が立上がっている状態は、パルス信号の入力が初回でないと判定する。これによって、１つのパルス信号を複数回検知することを防止することができ、正確な計数処理を行うことができる。
【０４５１】
ステップＳ１２１０の判定で、計数機９３０からのパルス信号の入力があり、その入力が初回であると判定した場合（ステップＳ１２１０のＹｅｓ）には、パルス信号のカウント数に１を加算して、カウント数を増加する（ステップＳ１２２０）。
【０４５２】
一方、ステップＳ１２１０の判定で、計数機９３０からのパルス信号の入力がない、または、パルス信号の入力はあるが、その入力が初回でないと判定した場合（ステップＳ１２１０のＮｏ）には、制御部３００は、計数終了時に押される台間機の確定ボタン３ｈが押されたことに伴う確定信号の入力があり、その入力が初回か否かを判定する（ステップＳ１２３０）。なお、例えば、計数終了時に押される確定ボタンがカウンタ９０６上に設けられた場合には、ステップＳ１２３０において、このカウンタ９０６の確定ボタンが押されたことに伴う確定信号の入力があり、その入力が初回か否かを判定してもよい。
【０４５３】
ステップＳ１２３０の判定で、確定信号の入力があり、その入力が初回であると判定した場合（ステップＳ１２３０のＹｅｓ）には、制御部３００は、これまでのカウント数の積算値に基づいて、獲得玉数を算出し、カード処理部３０１に、遊技したパチンコ機９０１の台番号情報とともに、その獲得玉数の情報を出力する。そして、カード処理部３０１は、台番号情報および獲得玉数の情報を、台間機３に挿入されている、会員用ＩＣカード３０、非会員用ＩＣカード３１、またはカード貯留部から搬送され、ＩＤが付与された非会員用ＩＣカード３１に書き込む。さらに、制御部３００は、ＩＤ、遊技したパチンコ機９０１の台番号情報とともに、その獲得玉数の情報を、管理装置１３に出力する。そして、管理装置１３は、それらの情報を、例えば、ＩＤ毎、パチンコ機毎に管理して記憶する（ステップＳ１２４０）。
【０４５４】
続いて、制御部３００は、これまでのカウント数の積算値をクリアする（ステップＳ１２５０）。
【０４５５】
一方、ステップＳ１２３０の判定で、確定信号の入力がない、または、確定信号の入力はあるが、その入力が初回でないと判定した場合（ステップＳ１２３０のＮｏ）には、リターンする。
【０４５６】
ステップＳ１２００の判定で、計数方式が遊技データのアウトおよびセーフから算出するものであると判定した場合（ステップＳ１２００の「アウト、セーフより」）には、続いて、制御部３００は、アウトメータ９１２からのアウトパルス信号の入力があり、その入力が初回か否かを判定する（ステップＳ１２６０）。ここで、アウトパルス信号の立上がりを検知した場合を初回と判定し、アウトパルス信号が立上がっている状態は、アウトパルス信号の入力が初回でないと判定する。これによって、１つのアウトパルス信号を複数回検知することを防止することができ、正確な計数処理を行うことができる。
【０４５７】
ステップＳ１２６０の判定で、パチンコ機９０１からのアウトパルス信号の入力があり、その入力が初回であると判定した場合（ステップＳ１２６０のＹｅｓ）には、アウトパルス信号のカウント数に１を加算して、カウント数を増加する（ステップＳ１２７０）。
【０４５８】
一方、ステップＳ１２６０の判定で、アウトメータ９１２からのアウトパルス信号の入力がない、または、アウトパルス信号の入力はあるが、その入力が初回でないと判定した場合（ステップＳ１２６０のＮｏ）には、ステップＳ１２８０を実行する。
【０４５９】
続いて、制御部３００は、セーフメータ（図示しない）からのセーフパルス信号の入力があり、その入力が初回か否かを判定する（ステップＳ１２８０）。ここで、セーフパルス信号の立上がりを検知した場合を初回と判定し、セーフパルス信号が立上がっている状態は、セーフパルス信号の入力が初回でないと判定する。これによって、１つのセーフパルス信号を複数回検知することを防止することができ、正確な計数処理を行うことができる。
【０４６０】
ステップＳ１２８０の判定で、セーフメータ（図示しない）からのセーフパルス信号の入力があり、その入力が初回であると判定した場合（ステップＳ１２８０のＹｅｓ）には、セーフパルス信号のカウント数に１を加算して、カウント数を増加する（ステップＳ１２９０）。
【０４６１】
一方、ステップＳ１２８０の判定で、セーフメータ（図示しない）からのセーフパルス信号の入力がない、または、セーフパルス信号の入力はあるが、その入力が初回でないと判定した場合（ステップＳ１２８０のＮｏ）には、ステップＳ１３００を実行する。
【０４６２】
続いて、積算したセーフパルス数からセーフ数を算出し、積算したアウトパルス数からアウト数を算出し、セーフ数からアウト数を減算して、獲得玉数を算出する（ステップＳ１３００）。
【０４６３】
続いて、制御部３００は、計数終了時に押される台間機の確定ボタン３ｈが押されたことに伴う確定信号の入力があり、その入力が初回か否かを判定する（ステップＳ１３１０）。なお、例えば、計数終了時に押される確定ボタンがカウンタ９０６上に設けられた場合には、ステップＳ１２３０において、このカウンタ９０６の確定ボタンが押されたことに伴う確定信号の入力があり、その入力が初回か否かを判定してもよい。
【０４６４】
ステップＳ１３１０の判定で、確定信号の入力があり、その入力が初回であると判定した場合（ステップＳ１３１０のＹｅｓ）には、制御部３００は、カード処理部３０１に、遊技したパチンコ機９０１の台番号情報とともに、その算出した獲得玉数の情報を出力する。そして、カード処理部３０１は、台番号情報および獲得玉数の情報を、台間機３に挿入されている、会員用ＩＣカード３０、非会員用ＩＣカード３１、またはカード貯留部から搬送され、ＩＤが付与された非会員用ＩＣカード３１に書き込む。さらに、制御部３００は、ＩＤ、遊技したパチンコ機９０１の台番号情報とともに、その獲得玉数の情報を、管理装置１３に出力する。そして、管理装置１３は、それらの情報を、例えば、ＩＤ毎、パチンコ機毎に管理して記憶する（ステップＳ１３２０）。
【０４６５】
なお、確定ボタン３ｈが押されなくても、返却ボタン３ｄが押されたことをもってカード返却する場合に、同時に計数をするように構成してもよい。
【０４６６】
続いて、制御部３００は、算出した獲得玉数の情報、積算したアウトパルス数および積算したセーフパルス数をクリアする（ステップＳ１３３０）。
【０４６７】
一方、ステップＳ１３１０の判定で、確定信号の入力がない、または、確定信号の入力はあるが、その入力が初回でないと判定した場合（ステップＳ１３１０のＮｏ）には、リターンする。
【０４６８】
上記した計数処理の動作において、ステップＳ１２００の判定で、計数方式が各遊技機毎の計数機９３０からの情報によるものであると判定した場合（ステップＳ１２００の「各遊技機毎の計数機」）は、パチンコ機９０１毎に設置された計数機９３０からの計数情報などから、管理装置１３は、ＩＤ、遊技したパチンコ機９０１の台番号情報、獲得玉数の情報を関連付けて得ることができる。
【０４６９】
一方、ステップＳ１２００の判定で、計数方式が遊技データのアウトおよびセーフから算出するものであると判定した場合（ステップＳ１２００の「アウト、セーフより」）は、セーフ数とアウト数などの情報から、管理装置１３は、ＩＤ、遊技したパチンコ機９０１の台番号情報、獲得玉数の情報を関連付けて得ることができる。
【０４７０】
また、上記したステップＳ１２００の判定で、計数方式が各遊技機毎の計数機９３０からの情報によるものであると判定した場合（ステップＳ１２００の「各遊技機毎の計数機」）からの処理と、ステップＳ１２００の判定で、計数方式が遊技データのアウトおよびセーフから算出するものであると判定した場合（ステップＳ１２００の「アウト、セーフより」）からの処理は、直列的に実行する（以降、直列実行モードと呼ぶ）こともできる。
【０４７１】
この直列実行モードの場合、ステップＳ１２００の処理を排除し、ステップＳ１２６０〜ステップＳ１３００（ステップＳ１３１０、Ｓ１３２０、Ｓ１３３０の処理を排除し、ステップＳ１３１０の処理の代わりにステップＳ１２３０の処理を当て、ステップＳ１３２０の処理の代わりにステップＳ１２４０の処理を当て同じ処理を行い、ステップＳ１３３０の処理の代わりにステップＳ１２５０の処理を当て同じ処理を行う。）を実行後、ステップＳ１２１０以降の処理を実行し、リターンに至るようにする。この場合、ステップＳ１２４０において、つまり確定ボタン３ｈが押された瞬間に、各遊技機毎に１台設置された計数機９３０の計数情報である獲得玉数を記憶するとともに、台間機３の表示部３ｅに獲得玉数を表示し、その獲得玉数に基づいて、幕板表示機９５０を作動させる。
【０４７２】
この直列実行モードの場合のステップＳ１２４０において、アウトとセーフの差である勝敗と計数機９３０によって計数された獲得玉数の情報を比較し、勝敗と獲得玉数とに所定以上の差が生じた場合には、店員の携帯する携帯端末装置（インカム）に、例えば「ただいま○○○番台で○○個の外部から持ち込まれたと思われるパチンコ玉が計数されましたので注意してください。」などの情報を自動的に報知する。また、警察に上記した違法の情報、遊技ホールの住所、名称、電話番号などを電話などで自動的に報知する。そして後程詳述する図８１および図８２の表を不正の証拠として印刷し、警察に提示できるようにする。なお、ここで、勝敗と獲得玉数との差の範囲には、例えば、複数のレベル分け区分を設け、所定の区分以上を違法行為と判定する。
【０４７３】
なお、この違法行為の判定、店員や警察への報知は、台間機３の返却ボタン３ｄが押されたと同時にすることもできるが、確定ボタン３ｈが押され、違法行為と判定した後、すぐに行うことが好ましい。確定ボタン３ｈが押され、違法行為と判定した後にすぐに報知する方が、遊技者の特定などに有効であり、違法行為中に遊技者を捕らえることも可能となる。
【０４７４】
また、この直列実行モードにおけるステップＳ１２４０の処理において、非会員が貯留機構付き紙幣識別装置１９の紙幣挿入口１９ａに現金を入金して遊技し、その後計数して確定ボタン３ｈを押す場合に、上記した如くの不正があった場合には、カード貯留部２０４に貯留された有価価値を有しない非会員用ＩＣカード３１は発行しない。そして、上記した如くの不正がなかった場合や不正のランクの低い、すなわち勝敗と遊技機毎の計数結果との差が小さい場合には、計数結果および／またはその計数結果を管理装置１３に記憶し記憶した計数結果を特定できる、例えばＩＤ情報などの計数結果特定情報を非会員用ＩＣカード３１に記憶して発行する。このＩＤは、入金して使用しなかった度数残高を特定可能でもある。会員の場合には、台間機３のカード挿入口３ａより挿入された会員用ＩＣカード３０に記憶されたＩＤによって、上記同様、パチンコ玉やメダルなどの遊技媒体を貸し出すために引き落とされる度数情報とともに、上記計数結果を特定可能にする。また、遊技機に遊技媒体を貸し出すために引き落とされる度数や、その度数が特定可能なＩＤ情報を会員用ＩＣカード３０や非会員用カード３１に記憶させないようにし、上記計数結果のみを特定可能なＩＤ情報のみを記憶するようにしてもよい。
【０４７５】
これによって、管理装置１３は、計数方式が各遊技機毎の計数機９３０からの情報によるものであると判定した場合（ステップＳ１２００の「各遊技機毎の計数機」）からの処理で算出された獲得玉数と、ステップＳ１２００の判定で、計数方式が遊技データのアウトおよびセーフから算出するものであると判定した場合（ステップＳ１２００の「アウト、セーフより」）からの処理で算出された獲得玉数とを、それぞれＩＤ、遊技したパチンコ機９０１の台番号情報、獲得玉数の情報を関連付けて得ることができる。これによって、各遊技機毎の計数機９３０からの情報による獲得玉数と、遊技データのアウトおよびセーフから算出された獲得玉数とを比較することができ、不正の有無などを判定することができる。例えば、各遊技機毎の計数機９３０からの情報による獲得玉数と、遊技データのアウトおよびセーフから算出された獲得玉数との差が大きい場合には、何らかの不正があったものと判定することかできる。
【０４７６】
次に、獲得玉数に対応する表示動作の一例について、図８０を参照して説明する。
【０４７７】
図８０は、獲得玉数に対応する表示動作の流れを示す図である。
【０４７８】
獲得玉数の表示は、例えば、台間機３の表示部３ｅに獲得した具体的な玉数を表示し、さらに、前述したように、幕板表示機９５０に所定の獲得玉数毎の表示をすることができる。なお、ここで表示される獲得玉数は、前述した、各遊技機毎の計数機９３０からの情報に基づいて算出されたものを用いることが好ましいが、遊技データのアウトおよびセーフから算出されたものを用いてもよい。ここでは、各遊技機毎の計数機９３０からの情報に基づいて算出された獲得玉数を用いる場合について説明する。
【０４７９】
まず、制御部３００は、各遊技機毎の計数機９３０からの情報に基づいて算出された獲得玉数を表示するための情報を、台間機３の表示部３ｅに出力する。表示部３ｅでは、その情報に基づいて、例えば、「現在の獲得玉数６５００玉」などの表示を行う（ステップＳ１４００）。
【０４８０】
続いて、制御部３００は、各遊技機毎の計数機９３０からの情報に基づいて算出された獲得玉数を、所定の単位玉数（例えば、２０００玉）で除して、その結果の整数値を「Ｎ」とする（ステップＳ１４１０）。この「Ｎ」の値は、前述した幕板表示機９５０の表示体設置部９６０に設置する表示体９７０の数を示している。
【０４８１】
続いて、制御部３００は、上記した幕板表示機９５０の動作で説明したように、幕板表示機９５０に、表示体設置部９６０の所定の発光手段９６３をオンするための信号を出力し、幕板表示機９５０を動作させる（ステップＳ１４２０）。ここで、例えば、「Ｎ」の値が「３」の場合には、幕板表示機９５０の３箇所の表示体設置部９６０に、それぞれ表示体９７０が設置され、設置された３本の表示体９７０が発光する。
【０４８２】
上記した獲得遊技媒体表示システム９００によれば、表示体設置部９６０に設置された表示体９７０の数によって、遊技者本人または他の遊技者は、この遊技機から獲得された獲得玉数を一目で把握することができる。また、この幕板表示機９５０を設けることで、玉箱を積み上げなくても、獲得された獲得玉数を一目で把握することができる。さらに、玉箱が一杯になる毎に、計数機９３０で計数処理することができるので、通路に玉箱が積み上げられることがなく、安全性を確保することができる。
【０４８３】
また、上記した獲得遊技媒体表示システム９００では、計数機９３０からの信号配線、幕板表示機９５０からの信号配線は、すべて台間機３を介して配線されるので、稼働率の落ちた遊技機を交換する際、容易に交換することができ、さらに、遊技機交換後の配線も容易に行うことができる。また、台間機３内の配線は、例えば、金属のパイプなどで一つまたは複数に束ねて配線されており、ノイズなどの影響を受け難く、誤計数などを防止することができる。
【０４８４】
さらに、台間機３、計数機９３０および幕板表示機９５０を、１つの制御部９７０で制御することができるので、機器のコンパクト化および製造コストの削減を図ることができる。
【０４８５】
（計数機９）
一部の遊技機において、各遊技機毎に計数機９３０を設け、他の遊技機には計数機９３０を設けない場合、島に１台や遊技ホールに数台設置された計数機を用いる必要がある。このような場合に対応し、計数機９を設ける。この計数機９を用いる場合には、前述したようなパチンコ機９０１毎に計数機９３０は設置されず、遊技者などが、計数機９まで玉箱を運んで、計数処理を行う。
【０４８６】
図４７は、計数機９の外観を示す斜視図、図４８は、計数機９の構成部を示す図、図４９は、計数機９における動作の流れを示す図である。
【０４８７】
まず、図４７を参照して、計数機９の構成について説明する。
【０４８８】
図４７には、計数機９の斜視図が示されており、カード挿入口９ａ、遊技媒体投入部９ｂ、全部ボタン９ｃ、計数結果表示部９ｄ、返却ボタン９ｅ、レシート発券口９ｆから主に構成されている。
【０４８９】
計数機９は、パチンコ玉またはメダルの数量を計数するものである。会員用ＩＣカード３０のみを受け入れるカード挿入口９ａに会員用ＩＣカード３０が挿入された場合には、会員用ＩＣカード３０に記憶されたＩＤを読み取り、計数された計数値が貯玉数としてそのＩＤに基づき管理装置１３に記憶される。また、計数機９では、会員用ＩＣカード３０の利用によって付与されるポイントを、例えば、玉数として還元し、計数機９によって計数された玉数にその還元された玉数を加算することもできる。
【０４９０】
一方、会員用ＩＣカード３０がカード挿入口９ａに挿入されない場合には、計数された情報を、例えば、バーコードとしてレシートに記録し、そのレシートがレシート発券口９ｆから発行される。また、このレシートには、簡易管理用ＩＤが記録され、その簡易管理用ＩＤは、そのレシートを用いて景品交換されるまで、管理装置１３で計数機９で計数された玉数とともに管理される。
【０４９１】
図４８に示すように、計数機９は、制御部４００、カード処理部４０１、記録媒体処理部４０２、選択ボタン検知部４０３、計数処理部４０４から構成されている。
【０４９２】
制御部４００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部４００では、カード処理部４０１、記録媒体処理部４０２、選択ボタン検知部４０３、計数処理部４０４の各機部間の信号の出入力、および、ネットワーク８を介して管理装置１３との間の信号の出入力を制御している。
【０４９３】
カード処理部４０１は、カード挿入口９ａから挿入された会員用ＩＣカード３０に記憶された、例えば、ＩＤやそのＩＤで管理されている有価情報などの読み取り、その読み取った情報の制御部４００への出力、制御部４００からの更新された有価情報などの会員用ＩＣカード３０への書き込みなどを行うもので、例えば、リーダライタなどで構成される。
【０４９４】
記録媒体処理部４０２は、計数処理部４０４で計数された玉数および簡易管理用ＩＤをレシートに、例えば、バーコードとして記録し、その記録されたレシートをレシート発券口９ｆから発券するものである。
【０４９５】
選択ボタン検知部４０３は、全部ボタン９ｃ、返却ボタン９ｅが押されたことを検知し、その押された信号に基づいて、制御部４００に信号を出力するものである。
【０４９６】
計数処理部４０４は、遊技媒体投入部９ｂに投入された玉数を計数し、その計数した情報を制御部４００へ出力するものである。計数処理部４０４で計数された結果は、例えば、計数結果表示部９ｄに表示することもできる。
【０４９７】
そして、制御部４００によって制御される、カード処理部４０１、記録媒体処理部４０２、選択ボタン検知部４０３、計数処理部４０４の各機器部は、次のように動作する（図４９）。
【０４９８】
以下に、図４９を参照してその動作を説明する。
【０４９９】
計数処理部４０４において、遊技媒体投入部９ｂに投入された遊技媒体の計数を行う（ステップＳ４１０）。計数処理部４０４で計数された結果は、制御部４００に出力される。制御部４００は、その係数結果を、例えば、計数結果表示部９ｄに表示するための情報を計数結果表示部９ｄに出力することもできる。
【０５００】
そして、全部ボタン９ｃが押されたが否かを選択ボタン検知部４０３が判定する（ステップＳ４１１）。ステップＳ４１１の判定で、Ｎｏの場合には、リターンしスタートに戻る。ステップＳ４１１の判定で、Ｙｅｓの場合には、その情報を制御部４００に出力する。
【０５０１】
続いて、カード処理部４０１において会員用ＩＣカード３０が挿入されているか否かが判定される（ステップＳ４１２）。
【０５０２】
ステップＳ４１２の判定で、Ｎｏの場合には、制御部４００は、計数処理部４０４で計数された玉数および簡易管理用ＩＤの情報をネットワーク８を介して管理装置１３に出力するとともに、記録媒体処理部４０２に制御部４００から計数処理部４０４で計数された玉数および簡易管理用ＩＤの情報が出力される。記録媒体処理部４０２では、制御部４００から出力された情報に基づいて、レシートに玉数および簡易管理用ＩＤを、例えば、バーコードとして記録し、レシート発券口９ｆからレシートを発券する（ステップＳ４１３）。        
【０５０３】
ステップＳ４１２の判定で、Ｙｅｓの場合には、カード処理部４０１は、会員用ＩＣカード３０に記憶されたＩＤを読み取り、読み取ったＩＤを制御部４００に出力する（ステップＳ４１４）。
【０５０４】
次に、返却ボタン９ｅが押されたが否かを選択ボタン検知部４０３が判定する（ステップＳ４１５）。
【０５０５】
ステップＳ４１５の判定で、Ｎｏの場合には、リターンしスタートに戻る。ステップＳ４１５の判定で、Ｙｅｓの場合には、カード処理部４０１は、カード挿入口９ａから会員用ＩＣカード３０を返却（カード挿入口９ａへ返送）する。制御部４００は、カード処理部４０１で読み取られたＩＤおよび計数処理部４０４で計数された玉数をネットワーク８を介して管理装置１３に送信する（ステップＳ４１７）。そして、管理装置１３では、ＩＤに基づいて、すでに記憶されている貯玉数に計数処理部４０４で計数された玉数が加算される（ステップＳ４１７）。
【０５０６】
なお、ステップＳ４１７で、加算後の貯玉数を表示させるようにすると、遊技客に全貯玉数がトータルいくらになったのかが把握できるので好ましい。また、計数機９は、パチンコ玉用と、スロットマシンで用いられるメダル用とがある。
【０５０７】
（景品管理機（ＰＯＳ）１１）
図５０は、景品管理機（ＰＯＳ）１１の外観を示す側面図、図５１は、景品管理機（ＰＯＳ）１１の構成部を示す図、図５２は、景品管理機（ＰＯＳ）１１における動作の流れを示す図である。
【０５０８】
まず、図５０を参照して、景品管理機（ＰＯＳ）１１の構成について説明する。
【０５０９】
図５０には、景品管理機（ＰＯＳ）１１を側面から見た図が示されており、カード挿入口１１ａ、暗証番号入力用テンキーボード１１ｂ、バーコードリーダ１１ｃ、表示部１１ｄ、特殊景品ボタン１１ｅ、一般景品選択部１１ｆで主に構成されている。
【０５１０】
景品管理機（ＰＯＳ）１１は、カード挿入口１１ａより挿入された会員用ＩＣカード３０より、ＩＤに基づき貯玉数を参照し、貯玉数とその貯玉数により交換される景品種別と数量の表示を行い、景品払出機１８が併設される場合、景品払出機１８へ払い出す景品の種別と数量を指示するものである。また、計数機９で発券されたレシートを用いる場合には、バーコードリーダ１１ｃでレシートに記録された情報を読み取り、その情報に基づく貯玉数の範囲で貯玉数と景品との交換を行うものである。
【０５１１】
特殊景品ボタン１１ｅが押された場合の景品は、例えば、大景品（２５００円）、小景品（１０００円）などがあり、貯玉数より端玉（景品と交換後の残り玉）を最小にするよう計算されて、例えば、景品払出機１８が併設されている場合には、景品が自動的に払い出される。景品払出機１８が併設されていない場合には、表示された交換される景品の種別と数量の表示に基づいて、店員などによって景品が払い出される。また、例えば、タバコ、ジュースなどの一般景品と交換する場合には、一般景品選択部１１ｆにより、交換したい景品や個数を選択し、景品交換を行う。一般景品と交換する場合には、店員などが景品を払い出すことが多いが、景品払出機などで自動的に景品を払い出すこともできる。
【０５１２】
また、景品管理機（ＰＯＳ）１１では、会員用ＩＣカード３０の利用によって付与されるポイントと、例えば、タバコ、ジュースなどの賞品と交換することができるようにしてもよい。
【０５１３】
図５１に示すように、景品管理機（ＰＯＳ）１１は、制御部５００、カード処理部５０１、記録媒体処理部５０２、選択ボタン検知部５０３、景品払出処理部５０４から構成されている。
【０５１４】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、カード処理部５０１、記録媒体処理部５０２、選択ボタン検知部５０３、景品払出処理部５０４の各機部間の信号の出入力、および、ネットワーク８を介して管理装置１３との間の信号の出入力を制御している。
【０５１５】
カード処理部５０１は、カード挿入口１１ａから挿入された会員用ＩＣカード３０に記憶された、例えば、ＩＤやそのＩＤで管理されている有価情報などの読み取り、その読み取った情報の制御部５００への出力、制御部５００からの更新された有価情報などの会員用ＩＣカード３０への書き込みなどを行うもので、例えば、リーダライタなどで構成される。
【０５１６】
記録媒体処理部５０２は、バーコードリーダ１１ｃなどによって、レシートに記録された玉数および簡易管理用ＩＤを読み取り、その読み取った情報を制御部５００に出力するものである。
【０５１７】
カード処理部５０１や記録媒体処理部５０２で読み取られた、例えば、計数された玉数などの情報は、表示部１１ｄに表示される。また、表示部１１ｄには、景品交換される景品の種類や個数なども表示させる。
【０５１８】
選択ボタン検知部５０３は、暗証番号入力用テンキーボード１１ｂ、特殊景品ボタン１１ｅ、一般景品選択部１１ｆの選択ボタンが押されたことを検知し、その押された信号に基づいて、制御部５００に信号を出力するものである。
【０５１９】
景品払出処理部５０４は、選択ボタン検知部５０３で検知された信号に基づいて、例えば、表示部１１ｄや景品払出機１８に払い出される特殊景品の種類や個数などの景品払出情報を出力するものである。
【０５２０】
そして、制御部５００によって制御される、カード処理部５０１、記録媒体処理部５０２、選択ボタン検知部５０３、景品払出処理部５０４の各機器部は、次のように動作する（図５２）。
【０５２１】
以下に、図５２を参照してその動作を説明する。
【０５２２】
カード処理部５０１において会員用ＩＣカード３０が挿入されているか否かが判定される（ステップＳ５１０）。
【０５２３】
ステップＳ５１０の判定で、Ｎｏの場合には、バーコードリーダによって、レシートに記録された玉数および簡易管理用ＩＤを読み取る（ステップＳ５１１）。カード処理部５０１において読み取られた簡易管理用ＩＤは、制御部５００に出力され、さらに、制御部５００からネットワーク８を介して管理装置１３に出力される（ステップＳ５１１）。そして、管理装置１３に記憶されている簡易管理用ＩＤに基づく玉数を管理装置からネットワーク８を介して制御部５００に出力する（ステップＳ５１１）。
【０５２４】
制御部５００では、レシートに記録された簡易管理用ＩＤに基づく玉数と管理装置１３から出力された簡易管理用ＩＤに基づく玉数とを比較し、それぞれが一致するか否かを判定する（ステップＳ５１２）。
【０５２５】
ステップＳ５１２の判定で、Ｎｏの場合には、制御部５００は待機状態となる。ステップＳ５１２の判定で、Ｙｅｓの場合には、ステップＳ５１８に進む。
【０５２６】
ステップＳ５１０の判定で、Ｙｅｓの場合には、カード処理部５０１は、会員用ＩＣカード３０に記憶されたＩＤおよび暗証番号を読み取り、読み取ったＩＤおよび暗証番号を制御部５００に出力する（ステップＳ５１３）。
【０５２７】
また、選択ボタン検知部５０３は、暗証番号入力用テンキーボード１１ｂで入力された暗証番号を検知し、その検知信号を制御部５００に出力する（ステップＳ５１４）。制御部５００は、会員用ＩＣカード３０から読み取られた暗証番号と暗証番号入力用テンキーボード１１ｂで入力された暗証番号とを比較判定する（ステップＳ５１５）。
【０５２８】
ステップＳ５１５の判定で、双方の番号が一致しない場合（ＮＧの場合）には、カード処理部５０１は、会員用ＩＣカード３０をカード挿入口１１ａから返却する（カード挿入口１１ａへ返送）（ステップＳ５１６）。ただし、ここで、会員用ＩＣカード３０を返却せずに、店員に暗証番号が一致しない旨を報知し、店員がその会員用ＩＣカード３０を利用した遊技者に、例えば、生年月日や電話番号などを質問し、遊技者による回答が、実際に登録されているものと一致すれば、忘れた暗証番号の変更手続きを取れるようにしてもよい。
【０５２９】
一方、ステップＳ５１５の判定で、双方の番号が一致した場合（ＯＫの場合）には、制御部５００は、ステップＳ５１３で読み取られたＩＤをネットワーク８を介して管理装置１３に送信する（ステップＳ５１７）。そして、管理装置１３は、そのＩＤで管理されている貯玉数などを読み取る（ステップＳ５１７）。
【０５３０】
次に、特殊景品ボタン１１ｅが押されたが否かを選択ボタン検知部５０３が判定する（ステップＳ５１８）。
【０５３１】
ステップＳ５１８の判定で、Ｎｏの場合には、景品交換が要求されているものが、一般景品の例えば、タバコやジュースなどであり、一般景品選択部１１ｆで選択された景品および数量の情報を選択ボタン検知部４０３が判定する（ステップＳ５１９）。
【０５３２】
選択ボタン検知部４０３で判定された検知信号は、制御部５００を介して景品払出処理部５０４に出力される。選択された一般景品は、その種別と数量が表示部１１ｄに表示される（ステップＳ５２０）。  
【０５３３】
そして、制御部５００において、払出景品在庫数から払い出された景品の数量を差し引き、その情報を景品払出処理部５０４に出力し、景品払出処理部５０４では払出景品在庫数の情報を更新する（ステップＳ５２１）。
【０５３４】
ステップＳ５１８の判定で、Ｙｅｓの場合には、景品払出処理部５０４において、景品払出機１８が併設されているか否かが判定される（ステップＳ５２２）。
【０５３５】
ステップＳ５２２の判定で、Ｙｅｓの場合には、制御部５００は、ＩＤまたは簡易管理ＩＤに基づいて管理装置１３から読み取られた貯玉数の情報から、払い出される景品の種類およびその個数などの情報を景品払出処理部５０４に出力するとともに表示部１１ｄに表示する（ステップＳ５２３）。景品払出処理部５０４では、その情報を景品払出機１８にに出力し、景品払出機１８から景品を払い出させる（ステップＳ５２３）。
【０５３６】
ステップＳ５２２の判定で、Ｎｏの場合には、制御部５００は、ＩＤまたは簡易管理ＩＤに基づいて管理装置１３から読み取られた貯玉数の情報から、払い出される景品の種類およびその個数などの情報を景品払出処理部５０４に出力する。そして、景品払出処理部５０４は、その情報を表示部１１ｄに表示する（ステップＳ５２４）。この場合には、店員などによって、その表示部１１ｄの表示に基づいて、景品が払い出される。
【０５３７】
そして、制御部５００において、特殊景品在庫数から払い出された特殊景品の数量を差し引き、その情報を景品払出処理部５０４に出力し、景品払出処理部５０４では特殊景品在庫数の情報を更新する（ステップＳ５２５）。
【０５３８】
次に、再度、カード処理部５０１において会員用ＩＣカード３０が挿入されているか否かが判定される（ステップＳ５２６）。
【０５３９】
ステップＳ５２６の判定で、Ｎｏの場合には、簡易管理ＩＤに基づいて、景品と交換された玉数および払い出された景品の種類や個数は、景品払出処理部５０４に記憶される（ステップＳ５２７）。なお、景品払出処理部５０４に記憶されたこれらの情報は、所定期間記憶されている。また、管理装置１３に記憶されていた簡易管理ＩＤと玉数の情報は消去される（ステップＳ５２７）。
【０５４０】
ステップＳ５２６の判定で、Ｙｅｓの場合には、景品と交換された玉数および払い出された景品の種類や個数は、ＩＤに基づいて、制御部５００からネットワーク８を介して管理装置１３に送信され、管理装置１３でＩＤ毎に記憶される（ステップＳ５２８）。
【０５４１】
（精算機１０）
図５３は、精算機１０の外観を示す側面図、図５４は精算機１０の構成部を示す図、図５５は精算機１０における動作の流れを示す図である。
【０５４２】
まず、図５３を参照して、精算機１０の構成について説明する。
【０５４３】
図５３には、精算機１０を側面から見た図が示されており、カード挿入口１０ａ、暗証番号入力用テンキーボード１０ｂ、紙幣返却口１０ｃ、釣銭受１０ｄ、精算ボタン１０ｅ、取消ボタン１０ｆ、表示部１０ｇで主に構成されている。
【０５４４】
精算機１０は、カード挿入口１０ａより挿入された会員用ＩＣカード３０または非会員用ＩＣカード３１の度数残高を現金で返却するものである。ここで、度数とは、入金された金額を度数化したもので、例えば、１万円を度数化すると１００度数となる。度数残高とは、度数から使用した度数分を差し引いた残りの度数である。
【０５４５】
また、精算機１０では、会員用ＩＣカード３０の利用によって付与されるポイントを、例えば、現金化によって還元してもよい。
【０５４６】
会員用ＩＣカード３０が挿入された場合は、精算機１０に設けられた暗証番号入力用テンキーボード１０ｂによって暗証番号が入力されると、会員用ＩＣカード３０に記憶された暗証番号と入力された暗証番号との照合が行われ、それらが一致すれば精算動作を行う。これによって、会員の遊技者の場合には、例えば、会員用ＩＣカード３０を落として、第三者に会員用ＩＣカード３０が渡っても、暗証番号がわからない限りは、度数残高が現金化されることはない。このようにすると遊技者が、例えば、トイレに行くためなどで離席した場合、会員用ＩＣカードを盗まれても度数残高を現金化されることはない。
【０５４７】
また、第三者に会員用ＩＣカード３０が渡った場合、第三者に度数残高分を遊技に使用されることが考えられるが、台間機と管理装置１３とが連携して、例えば、台間機にて入力した会員番号や暗証番号に基づいて、その会員用ＩＣカード３０を各機器に使用できないように制御することなどもできる。
【０５４８】
非会員用ＩＣカード３１を用いる場合には、度数残高として保持できる期間が、例えば、１日などのように限られているため、その期間内でなければ、精算機１０で度数残高を精算し、現金化することができない。これによって、非会員用ＩＣカード３１が、パチンコホールやスロットマシンホールの外部に持ち出され、紛失したり、傷つけられたりするのを防止することができる。
【０５４９】
図５４に示すように、精算機１０は、制御部６００、カード処理部６０１、貨幣処理部６０２、選択ボタン検知部６０３から構成されている。
【０５５０】
制御部６００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部６００では、カード処理部６０１、貨幣処理部６０２、選択ボタン検知部６０３の各機部間の信号の出入力、および、ネットワーク８を介して管理装置１３との間の信号の出入力を制御している。
【０５５１】
カード処理部６０１は、カード挿入口１０ａから挿入された会員用ＩＣカード３０または非会員用ＩＣカード３１に記憶された、例えば、ＩＤやそのＩＤで管理されている有価情報などの読み取り、その読み取った情報の制御部６００への出力、制御部６００からの更新された有価情報などの会員ＩＣカード３０または非会員用ＩＣカード３１への書き込みなどを行うもので、例えば、リーダライタなどで構成される。
【０５５２】
貨幣処理部６０２は、カード処理部６０１で読み取られたＩＤに基づいて、管理装置１３から読み取った有価情報の度数に対応する金額を紙幣返却口１０ｃ、釣銭受１０ｄから返金するものである。また、貨幣処理部６０２は、度数残高や返金額などの情報を表示部１０ｇに出力し、表示部１０ｇに度数残高や返金額などを表示させることもできる。
【０５５３】
選択ボタン検知部６０３は、暗証番号入力用テンキーボード１０ｂ、精算ボタン１０ｅ、取消ボタン１０ｆが押されたことを検知し、その押された信号に基づいて、制御部６００に信号を出力するものである。
【０５５４】
そして、制御部６００によって制御される、カード処理部６０１、貨幣処理部６０２、選択ボタン検知部６０３の各機器部は、次のように動作する（図５５）。
【０５５５】
以下に、図５５を参照してその動作を説明する。
【０５５６】
カード処理部６０１において非会員ＩＣカード３１が投入されているか否かが判定される（ステップＳ６１０）。
【０５５７】
ステップＳ６１０の判定で、Ｙｅｓの場合には、非会員ＩＣカード３１に記憶されている日付情報が制御部６００に出力され、日付が有効か否かが判定される（ステップＳ６１１）。
【０５５８】
ステップＳ６１１の判定において、Ｎｏの場合には、制御部６００は、カード処理部６０１に非会員ＩＣカード３１を返却する情報を出力する。その情報を受けたカード処理部６０１は、非会員ＩＣカード３１をカード挿入口１０ａから返却（カード挿入口１０ａへ返送）する（ステップＳ６１２）。
【０５５９】
ステップＳ６１１の判定において、Ｙｅｓの場合には、カード処理部６０１は、非会員ＩＣカード３１に記憶されたＩＤを読み取り、読み取ったＩＤを制御部６００に出力する。制御部６００に出力されたＩＤは、ネットワーク８を介して管理装置１３に出力される（ステップＳ６１３）。そして、管理装置１３に記憶されている非会員ＩＣカード３１のＩＤに基づく度数残高の情報を管理装置１３からネットワーク８を介して制御部６００に出力する（ステップＳ６１３）。制御部６００に出力された度数残高の情報は、制御部６００から貨幣処理部６０２に出力される。さらに、その度数残高の情報は、貨幣処理部６０２から表示部１０ｇに出力され、度数残高が表示部１０ｇに表示される（ステップＳ６１９）。
【０５６０】
ステップＳ６１０の判定で、Ｎｏの場合には、カード処理部６０１において会員用ＩＣカード３０が挿入されているか否かが判定される（ステップＳ６１４）。
【０５６１】
ステップＳ６１４の判定で、Ｎｏの場合には、制御部６００は待機状態となる。ステップＳ６１４の判定で、Ｙｅｓの場合には、カード処理部６０１は、会員用ＩＣカード３０に記憶されたＩＤおよび暗証番号を読み取り、読み取ったＩＤおよび暗証番号を制御部６００に出力する（ステップＳ６１５）。また、制御部６００に出力されたＩＤは、ネットワーク８を介して管理装置１３に出力される（ステップＳ６１５）。そして、管理装置１３に記憶されている会員用ＩＣカード３０のＩＤに基づく度数残高を管理装置１３からネットワーク８を介して制御部６００に出力する（ステップＳ６１５）。
【０５６２】
次に、選択ボタン検知部６０３は、暗証番号入力用テンキーボード１０ｂで入力された暗証番号を検知し、その検知信号を制御部６００に出力する（ステップＳ６１６）。
【０５６３】
制御部６００は、会員用ＩＣカード３０から読み取られた暗証番号と暗証番号入力用テンキーボード１０ｂで入力された暗証番号とを比較判定する（ステップＳ６１７）。
【０５６４】
ステップＳ６１７の判定で、双方の番号が一致しない場合（ＮＧの場合）には、制御部６００は、カード処理部６０１に会員用ＩＣカード３０を返却する情報を出力する。その情報を受けたカード処理部６０１は、会員用ＩＣカード３０をカード挿入口１０ａから返却（カード挿入口１０ａへ返送）する（ステップＳ６１８）。
【０５６５】
一方、ステップＳ６１７の判定で、双方の番号が一致した場合（ＯＫの場合）には、制御部６００は、ステップＳ６１５で管理装置１３からネットワーク８を介して制御部６００に出力された度数残高の情報を貨幣処理部６０２に出力する。さらに、その度数残高の情報は、貨幣処理部６０２から表示部１０ｇに出力され、度数残高が表示部１０ｇに表示される（ステップＳ６１９）。
【０５６６】
次に、精算ボタン１０ｅが押されたが否かを選択ボタン検知部６０４が判定する（ステップＳ６２０）。
【０５６７】
ステップＳ６２０の判定で、Ｎｏの場合には、その情報は制御部６００に出力される。続いて、取消ボタン１０ｆが押されたが否かを選択ボタン検知部６０４が判定する（ステップＳ６２１）。
【０５６８】
ステップＳ６２１の判定で、Ｎｏの場合には、制御部６００は待機状態となる。ステップＳ６２１の判定で、Ｙｅｓの場合には、選択ボタン検知部６０４はその情報を制御部６００に出力する。制御部６００は、カード処理部６０１に、会員用ＩＣカード３０または非会員用ＩＣカード３１を返却する情報を出力する。その情報を受けたカード処理部６０１は、会員用ＩＣカード３０または非会員用ＩＣカード３１をカード挿入口１０ａから返却（カード挿入口１０ａへ返送）する（ステップＳ６２２）。
【０５６９】
ステップＳ６２０の判定で、Ｙｅｓの場合には、選択ボタン検知部６０３はその情報を制御部６００に出力する。そして、制御部６００は、貨幣処理部６０２に、ＩＤに基づいて管理装置１３から読み取られた残高度数に対応する金額を返金する情報を出力する。貨幣処理部６０２は、その情報に基づいて、紙幣返却口１０ｃ、釣銭受１０ｄから貨幣を返金する（ステップＳ６２３）。
【０５７０】
会員ＩＣカード３０または非会員用ＩＣカード３１のＩＤに基づいて、精算された金額は、制御部６００からネットワーク８を介して管理装置１３に出力され、それぞれのＩＤに基づいて、度数残高から精算された度数が減じられる。基本的には、度数残高のすべてが精算されるため、度数残高は０となる（ステップＳ６２４）。
【０５７１】
ステップＳ６２４の処理が終わると、会員ＩＣカード３０は、カード処理部６０１によって、カード挿入口１０ａから返却（カード挿入口１０ａへ返送）される（ステップＳ６１８）。
【０５７２】
一方、非会員用ＩＣカード３１は、度数残高のすべてが精算され、度数残高が０となるので、カード処理部６０１から精算機１０に設けられた貯留部（図示しない）に移動され、回収される（ステップＳ６２５）。
【０５７３】
（管理装置１３）
図５６は、管理装置１３の構成部を示す図、図５７は、管理装置１３における動作の流れを示す図である。
【０５７４】
図１に示されているように、管理装置１３は、複数のパチンコ機２、９１０、複数のパチンコ機２のそれぞれに接続された台間機３、４、複数のスロットマシン機５、スロットマシン機５間に接続された台間機６と島コンピュータ７およびネットワーク８を介して接続されている。また、管理装置１３は、計数機９３０、計数機９、精算機１０、景品管理機（ＰＯＳ）１１、再プレー受付機１２、発券機２０、データ表示機２１、データ公開機２２などともネットワーク８を介して接続されている。
【０５７５】
さらに、ネットワーク８を介して管理装置１３に入力された情報は、プロトコルコンバータ１４、モデム１５を介してカードセンタ１６に送信される。また、管理装置１３は、例えば、パーソナルコンピュータ１７などとも接続され、パーソナルコンピュータ１７で管理装置１３の情報を見ることができる。また、パーソナルコンピュータ１７は、管理装置１３で管理している各情報にアクセスことができるので、各情報の表示や印刷をすることができる。さらに、パーソナルコンピュータ１７では、例えば、再プレー手数料の設定などの管理装置１３の種々の設定や会員登録などを行うこともできる。
【０５７６】
管理装置１３は、台間機３、４、６、計数機９３０、計数機９、精算機１０、景品管理機（ＰＯＳ）１１、再プレー受付機１２、発券機２０、データ表示機２１、データ公開機２２などの機器からの情報を管理するものである。前述した各機器毎の管理装置１３との情報の通信に基づいて、管理装置１３には後述するような様々な情報が記憶されている。
【０５７７】
また、管理装置１３は、各遊技機における、例えば、スランプグラフ、スタート回数、大当たり回数などの情報を各遊技機の上部に取り付けられたデータ表示機２１に出力することもできる。データ表示機２１では、こられの情報を表示部に表示して、遊技台の情報を遊技者に提供する。
【０５７８】
さらに、管理装置１３は、例えば、各遊技機におけるスランプグラフ、スタート回数、大当たり回数などの情報、遊技台ランキング、遊技台毎の勝敗などの情報をデータ公開機２２に出力することもできる。データ公開機２２では、こられの情報を表示部に表示して、遊技台の情報を遊技者に提供する。
【０５７９】
図５６に示すように、管理装置１３は、制御部７００、会員カード情報管理部７０１、非会員カード情報管理部７０２、出力処理部７０３から構成されている。
【０５８０】
制御部７００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７００では、会員カード情報管理部７０１、非会員カード情報管理部７０２、出力処理部７０３の各機部間の信号の出入力、および、ネットワーク８を介して各機器との間の信号の出入力を制御している。また、制御部７００は、管理装置１３とネットワーク８を介して各機器の制御部と通信できるように接続されている。
【０５８１】
なお、ここで管理装置１３は役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０５８２】
会員カード情報管理部７０１は、各機器に会員用ＩＣカード３０が用いられたときの情報を管理するもので、図５８に情報管理一覧表７５０の一例を示す。図５８に示された情報管理一覧表７５０は、管理装置１３に接続された、例えば、パーソナルコンピュータ１７などで見ることができる。
【０５８３】
会員用ＩＣカード３０が用いられた場合には、会員用ＩＣカード３０のＩＤに基づき、情報管理一覧表７５０に記載されているような、例えば、貯玉数、度数残高、再プレー用貯玉数、ポイント、台間機又は発券機に挿入した金額、精算金額などを管理している。これらのデータは、会員用ＩＣカード３０のＩＤ毎に管理され、さらに、履歴情報、日毎情報、週毎情報などとしても管理されている。図５８に示された情報管理一覧表７５０は、日毎情報の一例である。
【０５８４】
なお、会員用ＩＣカード３０を用いた会員の遊技者用の管理項目は、図５８の情報管理一覧表７５０に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０５８５】
非会員カード情報管理部７０２は、各機器に非会員用ＩＣカード３１が用いられたときの情報を管理するもので、図５９に情報管理一覧表７５１の一例を示す。図５８に示された情報管理一覧表７５１は、管理装置１３に接続された、例えば、パーソナルコンピュータ１７などで見ることができる。
【０５８６】
非会員用ＩＣカード３１が用いられた場合には、非会員用ＩＣカード３１のＩＤに基づき、情報管理一覧表７５１に記載されているような、例えば、度数残高、台間機又は発券機に挿入した金額、精算金額などを管理している。これらのデータは、非会員用ＩＣカード３１のＩＤ毎に管理される。非会員用ＩＣカード３１を用いる場合には、度数残高を保持できる期間が、例えば、１日などのように限られている。そのため、その期間内でなければ、精算機１０で度数残高を精算し、現金化することができない。
【０５８７】
非会員用ＩＣカード３１が用いられた場合には、度数残高を保持できる期間に対応した情報が管理されている。図５９に示された情報管理一覧表７５１は、その管理期間における情報の一例である。なお、レシート発券時の簡易管理ＩＤおよび玉数（計数機９で計数されたもの）の情報は、偽造されたレシートが使用されるのを防ぐために、一時的に管理されている。したがって、景品管理機（ＰＯＳ）１１における景品交換時において、レシートの適正を確認した後には、簡易管理ＩＤおよび玉数の情報は、管理装置１３から消去される。
【０５８８】
ここで、非会員用ＩＣカード３１が用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、会員用ＩＣカード３０のを用いた場合の情報とは異なる。
【０５８９】
さらに、会員カード情報管理部７０１は、図８１および図８２に示すような、情報管理を行うこともできる。
【０５９０】
図８１には、所定の遊技者、つまり所定のＩＤに基づく３日間の遊技情報が時系列で示されている。また、図８１には、所定の遊技機における１日の履歴情報が示されている。
【０５９１】
図８１に示すように、会員カード情報管理部７０１は、所定の遊技者（例えば、ＩＤが６４５８８の会員の遊技者）における３日間の、遊技した遊技機の台番号、遊技開始時刻、遊技開始時のアウトとセーフ、遊技終了時刻、遊技終了時のアウトとセーフ、大当回数、勝敗（アウト−セーフ）、計数玉数、不正玉数などの情報を管理することができる。
【０５９２】
ここで、不正玉数は、アウトからセーフを減算して算出した勝敗と、各遊技機毎に１台設置された計数機で計数された計数玉数との差であり、この差が大きい場合には、不正が行われた可能性がある。この不正玉数の表示は、例えば、所定の不正玉数毎にランク付けして、表示色を変えて表示してもよい。不正玉数が、所定のランク以上の場合には、例えば、次回に会員用ＩＣカード３０を利用不可能にして、例えば、景品交換のカウンタへ遊技者をこさせるような手段をとることもできる。また、前述したように、店員の所持する携帯端末装置（インカム）や警察へ報知することもできる。不正玉数が、中位のランクの場合には、仲間のパチンコ玉を譲り受けたことが考えられ、不正とは言えないので、その旨を店員の携帯端末（インカム）に通知し、店員に注意させるに留めるようにしてもよい。不正玉数が軽位のランクの場合には、パチンコ玉を島間通路において拾った程度なので無視してもよい。
【０５９３】
なお、この違法行為の判定、店員や警察への報知は、台間機３の返却ボタン３ｄが押されたと同時にすることもできるが、確定ボタン３ｈが押され、違法行為と判定した後、すぐに行うことが好ましい。確定ボタン３ｈが押され、違法行為と判定した後にすぐに報知する方が、遊技者の特定などに有効であり、違法行為中に遊技者を捕らえることも可能となる。
【０５９４】
また、図８２に示すように、会員カード情報管理部７０１は、所定の遊技機（例えば、遊技台番号が５５５のパチンコ機）における１日の、遊技した遊技者のＩＤ、遊技開始時刻、遊技開始時のアウトとセーフ、遊技終了時刻、遊技終了時のアウトとセーフ、大当回数、勝敗（アウト−セーフ）、計数玉数、不正玉数などの情報を管理することができる。
【０５９５】
この場合にも、不正玉数が、所定のランク以上の場合には、例えば、次回に会員用ＩＣカード３０を利用不可能にして、例えば、景品交換のカウンタへ遊技者をこさせるような手段をとることもできる。また、前述したように、店員の所持する携帯端末装置（インカム）や警察へ報知することもできる。
【０５９６】
この違法行為の判定、店員や警察への報知は、台間機３の返却ボタン３ｄが押されたと同時にすることもできるが、確定ボタン３ｈが押され、違法行為と判定した後、すぐに行うことが好ましい。確定ボタン３ｈが押され、違法行為と判定した後にすぐに報知する方が、遊技者の特定などに有効であり、違法行為中に遊技者を捕らえることも可能となる。
【０５９７】
図８１および図８２に示したような管理は、非会員の遊技者に対して非会員カード情報管理部７０２で行うこともできる。非会員の遊技者の所有する非会員用ＩＣカード３１は、例えば、有効期間が１日などと定められているため、これらの図に示すことができる情報は、その有効期間内の情報となる。
【０５９８】
図８１および図８２に示すように、各遊技機毎に１台設置された計数機を設け、各遊技機毎の計数玉数情報をカードＩＤ毎に管理し、勝敗と比較することで、従来、外部からの大量に持ち込まれていた倒産した他の遊技ホールのパチンコ玉や偽造玉（１玉２円なので４円で貸し出され、等価交換のホールにおいては４円で買い取るので差額２円が儲けになる。）を不正玉数として検知できるようになる。さらに、その不正玉数のランクに応じて報知し、アラームすることができるようになる。また、図８１や図８２示すような遊技データを印刷して出力し、警察への不正の証拠として提示することができる。これによって、外部からのパチンコ玉の持込による不正を撲滅できる。
【０５９９】
出力処理部７０３は、カードセンタ１６に送信する、例えば、一日の営業結果などの情報を、会員カード情報管理部７０１および非会員カード情報管理部７０２に管理されているデータに基づいて管理している。例えば、パーソナルコンピュータ１７などから終業処理の信号が管理装置１３に入力されると、カードセンタ１６に送信する情報を制御部７００を介してプロトコルコンバータ１４に出力する。プロトコルコンバータ１４に出力された情報は、モデム１５を介してカードセンタ１６に送信される。
【０６００】
そして、制御部７００によって制御される、会員カード情報管理部７０１、非会員カード情報管理部７０２、出力処理部７０３の各機器部は、次のように動作する（図５７）。なお、各機器との情報の通信についての動作は、各機器の説明部分で述べたので、ここでは、管理装置１３に入力された情報の管理動作について主に説明する。
【０６０１】
以下に、図５７を参照してその動作を説明する。
【０６０２】
管理装置１３の制御部７００に、発券機２０、再プレー受付機１２、台間機３、４、６、計数機９３０、計数機９、景品管理機（ＰＯＳ）１１、精算機１０などからの情報が入力される（ステップＳ７１０）。
【０６０３】
ステップＳ７１０で入力された情報は、制御部７００で、会員用ＩＣカード３０のを用いた場合の情報か否かが判定される（ステップＳ７１１）。
【０６０４】
ステップＳ７１１の判定で、Ｙｅｓの場合には、入力された情報は、会員カード情報管理部７０１に出力される（ステップＳ７１２）。会員カード情報管理部７０１では、その入力された情報に基づいて、例えば、図５８に示すように、ＩＤおよび項目毎に入力情報が管理される（ステップＳ７１２）。
【０６０５】
ステップＳ７１１の判定で、Ｎｏの場合には、入力された情報は、非会員カード情報管理部７０２に出力される（ステップＳ７１３）。非会員カード情報管理部７０２では、その入力された情報に基づいて、例えば、図５９に示すように、ＩＤおよび項目毎に入力情報が管理される（ステップＳ７１３）。
【０６０６】
次に、出力処理部７０３において、パーソナルコンピュータ１７などから終業処理信号が管理装置１３に入力されたか否かが判定される（ステップＳ７１４）。
【０６０７】
ステップＳ７１４の判定で、Ｎｏの場合には、制御部７００は待機状態となる。ステップＳ７１４の判定で、Ｙｅｓの場合には、出力処理部７０３から、例えば、会員カード情報管理部７０１および非会員カード情報管理部７０２で管理されているデータに基づいて集計された一日の営業結果などの情報が、制御部７００、プロトコルコンバータ１４およびモデム１５を介してカードセンタ１６に送信される（ステップＳ７１５）。
【０６０８】
次に、出力処理部７０３において、パーソナルコンピュータ１７などからデータ送信要求信号が管理装置１３に入力されたか否かが判定される（ステップＳ７１６）。
【０６０９】
ステップＳ７１６の判定で、Ｎｏの場合には制御部７００は待機状態となる。ステップＳ７１６の判定で、Ｙｅｓの場合には、会員カード情報管理部７０１および非会員カード情報管理部７０２に管理されているデータに基づいて、例えば、図５８や図５９に示すようなデータを、パーソナルコンピュータ１７などに出力する（ステップＳ７１７）。会員カード情報管理部７０１および非会員カード情報管理部７０２に管理されているデータに基づいて、出力されたデータは、パーソナルコンピュータ１７の画面に表示される。
【０６１０】
次に、始業処理を実施する（ステップＳ７１８）。始業処理とは、上記した各機器との通信がネットワークを介して可能か否かどうか、および、各機器の自己診断機能により、各機器における故障の有無を確認する。この確認において、各機器との通信ができない場合や各機器で故障があると判断された場合には、店員に報知される。
【０６１１】
以上、本発明の獲得遊技媒体表示システム９００によれば、表示体設置部９６０に設置された表示体９７０の数によって、遊技者本人または他の遊技者は、この遊技機から獲得された獲得玉数を一目で把握することができる。また、この幕板表示機９５０を設けることで、玉箱を積み上げなくても、獲得された獲得玉数を一目で把握することができる。さらに、玉箱が一杯になる毎に、計数機９３０で計数処理することができるので、通路に玉箱が積み上げられることがなく、安全性を確保することができる。
【０６１２】
また、本発明の獲得遊技媒体表示システム９００では、計数機９３０からの信号配線、幕板表示機９５０からの信号配線は、すべて台間機３を介して配線されるので、稼働率の落ちた遊技機を交換する際、容易に交換することができ、さらに、遊技機交換後の配線も容易に行うことができる。また、台間機３内の配線は、例えば、金属のパイプなどで一つまたは複数に束ねて配線されており、ノイズなどの影響を浮け難く、誤計数などを防止することができる。
【０６１３】
さらに、台間機３、計数機９３０および幕板表示機９５０を、１つの制御部９７０で制御することができるので、機器のコンパクト化および製造コストの削減を図ることができる。
【０６１４】
また、上記した本発明の獲得遊技媒体表示システムを備えた記憶媒体処理システム１においては、非会員の遊技者が、券売機まで行ってプリペイドカードを購入せずに、直接遊技台に向かい、記憶媒体処理装置と情報通信ができるように接続された貯留機構付き紙幣識別装置１９の紙幣挿入口１９ａに、例えば、１万円などの現金を入金して遊技することができるので、遊技を不便なく快適に行うことができる。また、これによって、遊技者による遊技の停止時間を削減でき、遊技機の稼働率の向上を図ることができ、遊技場の経営の側においては、効率のよい運営をすることができる。
【０６１５】
また、カード貯留部２０４に貯留された有価価値を有しない非会員用ＩＣカード３１に、再度、有価価値を付与して発行することができるので、遊技者による遊技の停止時間を削減でき、遊技機の稼働率の向上を図ることができる。また、非会員用ＩＣカード３１を多数貯留することができるので、店員が非会員用ＩＣカード３１の補充または回収を頻繁に行う手間を省くことができる。
【０６１６】
さらに、有価価値を有しない非会員用ＩＣカード３１は、返却されずにカード貯留部２０４によって貯留されるので、非会員用ＩＣカード３１を紛失するなどの問題を解消することができる。また、カード貯留部２０４における非会員用ＩＣカード３１の貯留容量を超えた場合には、カード回収部２１６で非会員用ＩＣカード３１を回収することができるので、多くの非会員用ＩＣカード３１を記憶媒体処理装置内に貯留することができる。
【０６１７】
また、記憶媒体処理装置では、外部から読み取りまたは書き込みが不可能である不良の会員用ＩＣカード３０または非会員用ＩＣカード３１が挿入されたときには、不良の会員用ＩＣカード３０または非会員用ＩＣカード３１は返却されるので、特に、非会員用ＩＣカード３１の場合に、不良の非会員用ＩＣカード３１が貯留されるのを防止することができる。また、貯留されている非会員用ＩＣカード３１に不良があっても排除することができる。
【０６１８】
さらに、会員の遊技者と非会員の遊技者とを、会員用ＩＣカード３０または非会員用ＩＣカード３１の利用によって、区別して管理することができるので、会員の遊技者に特典を付与するなどして、会員の遊技者と非会員の遊技者との差別化を図ることができる。
【０６１９】
また、上記したように、会員としての処理、非会員としての処理に差を持たせ、会員の処理を優遇することで、再来店を促すようにしているが、会員としての処理、非会員としての処理は前述した処理に限るものではなく、会員としての処理と非会員としての処理に差があればよい。
【０６２０】
また、管理装置１３により、各機器の情報を管理しているので、管理装置１３に接続されているパーソナルコンピュータ１７などで、各遊技機毎や遊技ホール全体としての売上状況、各会員の遊技者の利用状況などを一括して把握することができる。
【０６２１】
ここでは、会員用ＩＣカード３０または非会員用ＩＣカード３１は、ＩＤだけを有し、その他の情報は管理装置１３において管理されるシステムを示したが、上記した実施の形態に何ら限定されるものではなく、構成、システムの制御等は本発明の技術的思想の範囲で拡張、変更することができる。
【０６２２】
そして、この拡張、変更した実施の形態も本発明の技術的範囲に含まれる。例えば、会員用ＩＣカード３０または非会員用ＩＣカード３１のそれ自身にも情報を記憶させておくこともできる。その場合には、会員用ＩＣカード３０または非会員用ＩＣカード３１の返却前に、会員用ＩＣカード３０または非会員用ＩＣカード３１に最新情報の書き込みが行われ、その後返却される。
【０６２３】
さらに、上記した一実施の形態では、遊技媒体としてパチンコ玉が使用された場合について説明したが、勿論、遊技媒体にメダルを使用した場合にも同様の作用効果を得ることができる。
【図面の簡単な説明】
【０６２４】
【図１】本発明の一実施の形態の獲得遊技媒体表示システムを備えた記憶媒体処理システムの概要図。
【図２】会員用ＩＣカードおよび非会員用ＩＣカードの斜視図。
【図３】発券機の外観を示す側面図。
【図４】発券機の構成部を示す図。
【図５】発券機における動作の流れを示す図。
【図６】再プレー受付機の外観を示す側面図。
【図７】再プレー受付機の構成部を示す図。
【図８】再プレー受付機における動作の流れを示す図。
【図９】台間機の平面図。
【図１０】台間機（ユニット）の一例を示す平面図。
【図１１】カード処理機の斜視図。
【図１２】図１１のカード処理機のＡ−Ａ断面図。
【図１３】図１１のカード処理機のＢ−Ｂ断面図。
【図１４】会員用ＩＣカードまたは非会員用ＩＣカードの搬送動作を示す図１１のＡ−Ａ断面図。
【図１５】会員用ＩＣカードまたは非会員用ＩＣカードの搬送動作を示す図１１のＡ−Ａ断面図。
【図１６】会員用ＩＣカードまたは非会員用ＩＣカードの搬送動作を示す図１１のＡ−Ａ断面図。
【図１７】会員用ＩＣカードまたは非会員用ＩＣカードの搬送動作を示す図１１のＡ−Ａ断面図。
【図１８】会員用ＩＣカードまたは非会員用ＩＣカードの搬送動作を示す図１１のＡ−Ａ断面図。
【図１９】会員用ＩＣカードまたは非会員用ＩＣカードの搬送動作を示す図１１のＡ−Ａ断面図。
【図２０】会員用ＩＣカードまたは非会員用ＩＣカードの搬送動作を示す図１１のＡ−Ａ断面図。
【図２１】カード処理機本体のＣ−Ｃ断面図。
【図２２】カード処理機本体のＤ−Ｄ断面図。
【図２３】搬送ベルトおよび２つの回転軸の外観を示す図。
【図２４】カード取込上部およびカード取込下部に挟持された非会員用ＩＣカードの斜視図。
【図２５】非会員用ＩＣカードのカード貯留部への貯留動作を示す図。
【図２６】非会員用ＩＣカードのカード貯留部からの取出動作を示す図。
【図２７】非会員用ＩＣカードのカード排出部への誘導動作を示す図。
【図２８】下部フラップの他の構成を示すカード処理機本体のＣ−Ｃ断面図。
【図２９】台間機の構成部を示す図。
【図３０】台間機における動作の流れを示す図。
【図３１】カード処理機の斜視図。
【図３２】図３１のカード処理機のＡ−Ａ断面図。
【図３３】図３１のカード処理機のＢ−Ｂ断面図。
【図３４】図３１のカード処理機のＣ−Ｃ断面図。
【図３５】図３４のカード処理機のＤ−Ｄ断面図。
【図３６】会員用ＩＣカードまたは非会員用ＩＣカードの搬送動作を示す図３４のＤ−Ｄ断面図。
【図３７】会員用ＩＣカードまたは非会員用ＩＣカードの搬送動作を示す図３４のＤ−Ｄ断面図。
【図３８】会員用ＩＣカードまたは非会員用ＩＣカードの搬送動作を示す図３４のＤ−Ｄ断面図。
【図３９】会員用ＩＣカードまたは非会員用ＩＣカードの搬送動作を示す図３４のＤ−Ｄ断面図。
【図４０】会員用ＩＣカードまたは非会員用ＩＣカードの搬送動作を示す図３１のＣ−Ｃ断面図。
【図４１】会員用ＩＣカードまたは非会員用ＩＣカードの搬送動作を示す図３１のＣ−Ｃ断面図。
【図４２】会員用ＩＣカードまたは非会員用ＩＣカードの搬送動作を示す図３１のＣ−Ｃ断面図。
【図４３】会員用ＩＣカードまたは非会員用ＩＣカードの搬送動作を示す図３４のＤ−Ｄ断面図。
【図４４】会員用ＩＣカードまたは非会員用ＩＣカードの搬送動作を示す図３４のＤ−Ｄ断面図。
【図４５】会員用ＩＣカードまたは非会員用ＩＣカードの搬送動作を示す図３４のＤ−Ｄ断面図。
【図４６】カード処理機の他の一例の断面図。
【図４７】計数機の外観を示す斜視図。
【図４８】計数機の構成部を示す図。
【図４９】計数機における動作の流れを示す図。
【図５０】景品管理機（ＰＯＳ）の外観を示す側面図。
【図５１】景品管理機（ＰＯＳ）の構成部を示す図。
【図５２】景品管理機（ＰＯＳ）における動作の流れを示す図。
【図５３】精算機の外観を示す側面図。
【図５４】精算機の構成部を示す図。
【図５５】精算機における動作の流れを示す図。
【図５６】管理装置の構成部を示す図。
【図５７】管理装置における動作の流れを示す図。
【図５８】会員ＩＣカードが用いられた場合の情報管理一覧表の一例を示す図。
【図５９】ＩＣコインが用いられた場合の情報管理一覧表の一例を示す図。
【図６０】第３の実施の形態に係るカード処理装置の斜視外観図。
【図６１】第３の実施の形態に係るカード処理装置の構成を示す側面説明図。
【図６２】第３の実施の形態に係るカード処理装置の構成を示す底面説明図。
【図６３】第３の実施の形態に係るカード処理装置の構成を示す説明図。
【図６４】カード形状記憶媒体のリードライト位置を示す説明図。
【図６５】振り分け案内板が移動する位置を示す説明図。
【図６６】振り分け案内板の、カード形状記憶媒体の導入側の一端部の拡大説明図。
【図６７】振り分け案内板がカード形状記憶媒体をカード排出口側へ案内している状態を示す説明図。
【図６８】振り分け案内板がカード形状記憶媒体をカード貯留庫側へ案内している状態を示す説明図。
【図６９】カード貯留庫内に貯留されているカード形状記憶媒体を、一枚あてリードライト位置へ移動させる際の動作を示す説明図。
【図７０】本発明の一実施の形態の獲得遊技媒体表示システムを示す正面図。
【図７１】本発明の一実施の形態の獲得遊技媒体表示システムの側面図。
【図７２】パチンコ機を除く本発明の一実施の形態の獲得遊技媒体表示システムの構成を示す斜視図。
【図７３】台間機、計数機、幕板表示機とが無線通信を行う際の交信システムの構成図。
【図７４】幕板表示機の正面図。
【図７５】図７４のＡ−Ａ断面図。
【図７６】幕板表示機を構成する表示体の断面図。
【図７７】他の構成の表示体の側面図。
【図７８】獲得遊技媒体表示システムの全体的な動作の流れを示す図。
【図７９】計数処理の動作の流れを示す図。
【図８０】獲得玉数に対応する表示動作の流れを示す図。
【図８１】所定の遊技者に基づく３日間の遊技情報を示す図。
【図８２】所定の遊技機における１日の履歴情報を示す図。
【符号の説明】
【０６２５】
１…記憶媒体処理装置、２…パチンコ機、３、４、６…台間機、５…スロットマシン機、７…島コンピュータ、８…ネットワーク、９…計数機、１０…精算機、１１…景品管理機（ＰＯＳ）、１２…再プレー受付機、１３…管理装置、１４…プロトコルコンバータ、１５…モデム、１６…カードセンタ、１７…パーソナルコンピュータ、１８…景品払出機、１９…貯留機構付き紙幣識別装置、１９ａ…紙幣挿入口、１９ｂ…台間機指定ボタン、２０…発券機、２１…データ表示機、２２…データ公開機、９００…獲得遊技媒体表示システム、９０１…パチンコ機、９３０…計数機、９５０…幕板表示機、９７０…制御部。
【図１】
2006175061.tif 000003
【図２】
2006175061.tif 000004
【図３】
2006175061.tif 000005
【図４】
2006175061.tif 000006
【図５】
2006175061.tif 000007
【図６】
2006175061.tif 000008
【図７】
2006175061.tif 000009
【図８】
2006175061.tif 000010
【図９】
2006175061.tif 000011
【図１０】
2006175061.tif 000012
【図１１】
2006175061.tif 000013
【図１２】
2006175061.tif 000014
【図１３】
2006175061.tif 000015
【図１４】
2006175061.tif 000016
【図１５】
2006175061.tif 000017
【図１６】
2006175061.tif 000018
【図１７】
2006175061.tif 000019
【図１８】
2006175061.tif 000020
【図１９】
2006175061.tif 000021
【図２０】
2006175061.tif 000022
【図２１】
2006175061.tif 000023
【図２２】
2006175061.tif 000024
【図２３】
2006175061.tif 000025
【図２４】
2006175061.tif 000026
【図２５】
2006175061.tif 000027
【図２６】
2006175061.tif 000028
【図２７】
2006175061.tif 000029
【図２８】
2006175061.tif 000030
【図２９】
2006175061.tif 000031
【図３０】
2006175061.tif 000032
【図３１】
2006175061.tif 000033
【図３２】
2006175061.tif 000034
【図３３】
2006175061.tif 000035
【図３４】
2006175061.tif 000036
【図３５】
2006175061.tif 000037
【図３６】
2006175061.tif 000038
【図３７】
2006175061.tif 000039
【図３８】
2006175061.tif 000040
【図３９】
2006175061.tif 000041
【図４０】
2006175061.tif 000042
【図４１】
2006175061.tif 000043
【図４２】
2006175061.tif 000044
【図４３】
2006175061.tif 000045
【図４４】
2006175061.tif 000046
【図４５】
2006175061.tif 000047
【図４６】
2006175061.tif 000048
【図４７】
2006175061.tif 000049
【図４８】
2006175061.tif 000050
【図４９】
2006175061.tif 000051
【図５０】
2006175061.tif 000052
【図５１】
2006175061.tif 000053
【図５２】
2006175061.tif 000054
【図５３】
2006175061.tif 000055
【図５４】
2006175061.tif 000056
【図５５】
2006175061.tif 000057
【図５６】
2006175061.tif 000058
【図５７】
2006175061.tif 000059
【図５８】
2006175061.tif 000060
【図５９】
2006175061.tif 000061
【図６０】
2006175061.tif 000062
【図６１】
2006175061.tif 000063
【図６２】
2006175061.tif 000064
【図６３】
2006175061.tif 000065
【図６４】
2006175061.tif 000066
【図６５】
2006175061.tif 000067
【図６６】
2006175061.tif 000068
【図６７】
2006175061.tif 000069
【図６８】
2006175061.tif 000070
【図６９】
2006175061.tif 000071
【図７０】
2006175061.tif 000072
【図７１】
2006175061.tif 000073
【図７２】
2006175061.tif 000074
【図７３】
2006175061.tif 000075
【図７４】
2006175061.tif 000076
【図７５】
2006175061.tif 000077
【図７６】
2006175061.tif 000078
【図７７】
2006175061.tif 000079
【図７８】
2006175061.tif 000080
【図７９】
2006175061.tif 000081
【図８０】
2006175061.tif 000082
【図８１】
2006175061.tif 000083
【図８２】
2006175061.tif 000084